(57)【要約】【課題】顧客に硬貨を払い戻したり顧客から硬貨を受け取ったりする負担を軽減する。【解決手段】ＰＯＳ端末は、買物に関する顧客への釣り銭と交換にオファーするアップセルを決定する。ＰＯＳ端末は、望ましくは、顧客に支払うべき釣り銭と交換に顧客にオファーする少なくとも一つのアップセル価格及びそれに対応するアップセルのデータベースを維持する。顧客がそのアップセルを受け入れれば、レジ係は、ＰＯＳ端末の選択ボタンを押すことによってそのように表示する。次に、顧客が支払うように要求された支払額が、購入価格ではなくて、丸められた価格に等しく設定される。こうすることで、顧客は、支払われる硬貨の代わりにアップセルを受け取るため、顧客とＰＯＳ端末との間で硬貨のやり取りをする必要がない。【選択図】図１４
2006059345.tif 000002
【特許請求の範囲】
【請求項１】
宝くじデータ処理システムと、
商売情報を記憶する記憶装置を含むコントローラであって、前記宝くじデータ処理システムから宝くじ情報を受信するのに適合化されたコントローラと、
該コントローラに接続された、前記受信された宝くじ情報に従って商取引および宝くじ取引を実行する少なくとも１つのＰＯＳ端末とを含み、
該ＰＯＳ端末が、商売および宝くじ情報を記録媒体に記録するレコーダを含む、
システム。
【請求項２】
前記コントローラが、前記宝くじデータ処理システムと本質的に実時間で通信する、請求項１記載のシステム。
【請求項３】
前記記憶装置が、前記宝くじデータ処理システムから受信された、ランダムに選ばれた宝くじ券番号を含む宝くじ情報を記憶する、請求項１記載のシステム。
【請求項４】
前記ＰＯＳ端末が、顧客が選んだ宝くじ番号を入力するのに適合化されており、
前記コントローラが、前記顧客が選んだ宝くじ番号を前記宝くじデータ処理システムに送信するのに適合化されており、
前記コントローラが、暗号化された認証コードと宝くじ取引を実行するための許可とを前記宝くじデータ処理システムから受信するのに適合化されている、
請求項２記載のシステム。
【請求項５】
前記コントローラが、店舗ネットワークサーバーである、請求項１記載のシステム。
【請求項６】
宝くじ取引を実行する方法であって、
宝くじ取引および商取引の両方を実行するのに適合化されたＰＯＳ端末において前記宝くじ取引を開始するステップと、
前記宝くじ取引が開始されたことを、前記ＰＯＳ端末に接続された１つのＰＯＳコントローラに前記ＰＯＳ端末から通信するステップと、
前記ＰＯＳコントローラと通信するのに適合化された宝くじデータ処理システムと前記ＰＯＳコントローラとの間の通信を確立するステップと、
前記宝くじデータ処理システムから前記ＰＯＳコントローラに宝くじ情報を送信するように要求するステップと、
前記宝くじデータ処理システムで前記宝くじ情報を発生するステップと、
前記宝くじ情報を前記宝くじデータ処理システムから前記ＰＯＳコントローラを経由して前記ＰＯＳ端末に送信するステップと、
前記ＰＯＳ端末によって前記宝くじ情報を記録媒体に出力するステップと、
を含む、方法。
【請求項７】
前記発生するステップが、ランダムに選ばれた宝くじ番号と暗号化された認証コードとを含む宝くじ情報を発生するステップを含む、請求項６記載の方法。
【請求項８】
前記出力するステップが、前記宝くじ取引および商取引に関する情報を有する販売レシートを含む記録媒体を出力するステップを含む、請求項６記載の方  法。
【請求項９】
顧客が選んだ宝くじ番号を前記ＰＯＳ端末に入力するステップと、
前記顧客が選んだ宝くじ番号を前記宝くじデータ処理システムに送るステップと、をさらに含み、
前記発生するステップが、前記顧客が選んだ宝くじ番号を使用して前記宝くじ取引を完了させるための許可と前記顧客が選んだ宝くじ番号に関する暗号化された認証コードとを含む宝くじ情報を発生するステップを含む、
請求項６記載の方法。
【請求項１０】
全価格宝くじ券の割合の表示を前記ＰＯＳ端末に入力するステップと、
前記表示を前記宝くじデータ処理システムに送るステップと、をさらに含み、
前記発生するステップが、分割式宝くじ券取引に対する許可を含む宝くじ情報を発生するステップを含む、
請求項６記載の方法。
【請求項１１】
ＣＰＵと該ＣＰＵに接続されたメモリとを含む宝くじコントローラを含み、
該宝くじコントローラが、商取引情報を記憶する記憶装置を含む少なくとも１つの遠隔コントローラと通信するのに適合化されており、
前記宝くじコントローラが、前記遠隔コントローラから宝くじ情報に対する要求を受信するとともに、それに応答して前記遠隔コントローラに前記宝くじ情報を送信するの適合化されており、
前記宝くじコントローラの前記メモリが、前記ＣＰＵによって実行されるのに適合化された、前記宝くじ情報に対する要求を処理し、前記要求された宝くじ情報を発生し、前記要求された宝くじ情報を記憶するために前記メモリ内にデータベースを維持するプログラムを含む、
宝くじデータ処理システム。
【請求項１２】
前記メモリ内の前記プログラムが、ランダムに選ばれた宝くじ番号の少なくとも１つのグループと前記遠隔コントローラに送信するための暗号化された認証コードとを含む宝くじ情報を発生するのに適合化されている、請求項１１記載のシステム。
【請求項１３】
前記宝くじコントローラが、顧客が選んだ宝くじ番号の少なくとも１つのグループを前記遠隔コントローラから受信するのに適合化されている、請求項１１記載のシステム。
【請求項１４】
前記メモリ内の前記プログラムが、前記宝くじ情報に対する要求に関する宝くじ取引を完了させるための許可と前記遠隔コントローラに送信するための顧客が選んだ宝くじ番号の前記グループに関する暗号化された認証コードとを含む宝くじ情報を発生するのに適合化されている、請求項１３記載のシステム。
【請求項１５】
前記宝くじコントローラおよびＰＳＴＮに接続されたＩＶＲＵをさらに含み、
前記宝くじコントローラが、前記ＩＶＲＵを介して前記ＰＳＴＮからアルファベット数字コードを受信するのに適合化されており、
前記メモリ内の前記プログラムが、
前記メモリ内の前記データベースを検索して、前記アルファベット数字コードと一致する記憶された暗号化認証コードを探し、一致が見つかれば、前記アルファベット数字コードを解読して、前記ＩＶＲＵを介して前記ＰＳＴＮに第１のメッセージを送信し、そうでなければ、前記ＩＶＲＵを介して前記ＰＳＴＮに第２のメッセージを送信するのにさらに適合化されている、
請求項１２記載のシステム。
【請求項１６】
前記宝くじネットワーク・コントローラおよびＰＳＴＮに接続されたＩＶＲＵをさらに含み、
前記宝くじコントローラが、前記ＩＶＲＵを介して前記ＰＳＴＮからアルファベット数字コードを受信するのに適合化されており、
前記メモリ内の前記プログラムが、
前記メモリ内の前記データベースを検索して、前記アルファベット数字コードと一致する記憶された暗号化認証コードを探し、一致が見つかれば、前記アルファベット数字コードを解読して、前記ＩＶＲＵを介して前記ＰＳＴＮに第１のメッセージを送信し、そうでなければ、前記ＩＶＲＵを介して前記ＰＳＴＮに第２のメッセージを送信するのにさらに適合化されている、
請求項１４記載のシステム。
【請求項１７】
前記第１のメッセージが、前記暗号化されたアルファベット数字コードに基づく情報を含む、請求項１５記載のシステム。
【請求項１８】
前記第２のメッセージが、一致が見つからなかったことの表示を含む、請求項１５記載のシステム。
【請求項１９】
前記第１のメッセージが、前記アルファベット数字コードが当たり宝くじ券からのものであるかどうかに関する表示を含む、請求項１５記載のシステム。
【請求項２０】
ＣＰＵと該ＣＰＵに接続されたメモリとを含む宝くじコントローラを使用して宝くじ情報に対する要求を処理する方法であって、前記メモリが、前記ＣＰＵによって実行されるのに適合化された、宝くじ情報要求を処理するためのプログラムを含む、方法であって、
宝くじ券取引および商取引を実行するの適合化されたデータ処理システムから宝くじ情報に対する要求を受信するステップと、
前記宝くじ情報に対する要求に基づいて宝くじ情報を発生するステップと、
前記メモリ内に前記宝くじ情報を記憶するステップと、
宝くじ券取引および商取引を実行するのに適合化されたデータ処理システムに前記宝くじ情報を送信するステップと、
を含む、方法。
【請求項２１】
宝くじ券要求を処理するための方法であって、
少なくとも１つの宝くじ券に対する要求を受信するステップと、
前記宝くじ券のために使用されるべきランダムに選ばれた番号を発生するステップと、
前記ランダムに選ばれた番号を含む認証コードを発生するステップと、
前記認証コードを暗号化するステップと、
前記ランダムに選ばれた番号および前記暗号化された認証コードを記憶装置に記憶するステップと、
前記ランダムに選ばれた番号および前記暗号化された認証コードを出力するステップと、
を含む、方法。
【請求項２２】
前記受信するステップでの前記要求が、分割式宝くじ券に対するものである、請求項２１記載の方法。
【請求項２３】
コンピュータ読取り可能媒体に記憶された、宝くじ券取引を処理するコンピュータ実行可能プロセス・ステップであって、
宝くじ券要求を受信するステップと、
ランダムに選ばれた宝くじ番号を発生するステップと、
前記ランダムに選ばれた宝くじ番号に基づいて認証コードを発生するステップと、
前記認証コードを暗号化するステップと、
前記ランダムに選ばれた宝くじ番号と前記暗号化された認証コードとを記憶装置に記憶するステップと、
前記ランダムに選ばれた宝くじ番号と前記暗号化された認証コードとを出力するステップと、
を含む、コンピュータ実行可能プロセス・ステップ。
【請求項２４】
前記受信するステップにおける前記宝くじ券要求が、分割式宝くじ券に対するものである、請求項２３記載のコンピュータ実行可能プロセス・ステップ。
【請求項２５】
宝くじ券取引および商取引を実行するシステムであって、
商売情報および宝くじ情報を記憶する記憶装置を含むＰＯＳコントローラと、
宝くじデータ処理システムと通信するのに適合化された前記ＰＯＳコントローラと、
宝くじ情報に対する要求を前記宝くじデータ処理システムに送信するとともに、それに応答して前記宝くじデータ処理システムから前記要求された宝くじ情報を受信するのにさらに適合化された前記ＰＯＳコントローラと、
前記ＰＯＳコントローラに接続された、前記受信された宝くじ情報に従って商取引および宝くじ取引を実行する少なくとも１つのＰＯＳ端末と、
該ＰＯＳ端末に接続された、前記商取引および宝くじ取引に関するレシートを発行するレコーダであって、前記レシートが、前記宝くじデータ処理システムからの前記宝くじ情報を含む、レコーダと、
を含む、システム。
【請求項２６】
商売情報を記憶する記憶装置を含むＰＯＳコントローラに接続されたＰＯＳ端末を使用して宝くじ券取引および商取引を実行する方法であって、
少なくとも１枚の宝くじ券を購入する要求を含む、購入すべき複数の品目に関する取引を前記ＰＯＳ端末において開始するステップと、
宝くじ券情報に対する要求を前記ＰＯＳ端末に入力するステップと、
前記宝くじ券情報に対する要求を前記ＰＯＳコントローラに送信するステップと、
前記要求された宝くじ券情報を前記ＰＯＳコントローラから前記ＰＯＳ端末で受信するステップと、
前記宝くじ券情報および前記商取引を記録媒体に記録するステップと、
を含む、方法。
【請求項２７】
前記要求された宝くじ券情報を前記ＰＯＳコントローラの前記記憶装置に記憶するステップをさらに含む、請求項２６記載の方法。
【請求項２８】
ＣＰＵおよび該ＣＰＵに接続された記憶装置を含むＰＯＳコントローラと、
宝くじ取引および商取引を実行することができる、少なくとも１つのＰＯＳ端末から前記宝くじ情報に対する要求を受信するのに適合化された前記ＰＯＳコントローラと、
宝くじ情報を発生することのできる宝くじデータ処理システムに前記宝くじ情報に対する要求を通信するとともに、それに応答して前記要求された宝くじ情報を受信するのにさらに適合化された前記ＰＯＳコントローラと、
前記ＣＰＵによって実行されるのに適合化された、前記ＰＯＳ端末からの前記宝くじ情報に対する前記要求を処理するプログラムを含む前記ＰＯＳコントローラ内の前記記憶装置と、
を含む、データ処理システム。
【請求項２９】
ＣＰＵと該ＣＰＵに接続された記憶装置とを含み、前記ＣＰＵによって実行されるのに適合化された、宝くじ券要求を処理するプログラムを含むＰＯＳコントローラを使用して宝くじ券要求を処理する方法であって、
宝くじ取引および商取引を実行するＰＯＳ端末からの宝くじ情報に対する要求を受信するステップと、
前記宝くじ情報に対する要求に基づいて宝くじ情報を発生することのできる宝くじデータ処理システムに前記要求を送信するステップと、
前記宝くじデータ処理システムから前記宝くじ情報を受信するステップと、
前記宝くじ情報を前記ＰＯＳ端末に送るステップと、
を含む、方法。
【請求項３０】
宝くじ取引および商取引を実行するのに適合化されたＰＯＳ端末と、
ＰＯＳコントローラと通信するのに適合化された前記ＰＯＳ端末と、
前記ＰＯＳコントローラに宝くじ情報に対する要求を送信するとともに、前記ＰＯＳコントローラから前記要求された宝くじ券情報を受信するのに適合化された前記ＰＯＳ端末と、
記録媒体に前記商取引および宝くじ取引を記録するレコーダを含む前記ＰＯＳ端末と、
を含む、取引処理装置。
【請求項３１】
宝くじデータ処理システムと通信するのに適合化されたＰＯＳコントローラに接続されたＰＯＳ端末を使用して宝くじ券取引および商取引を実行する方法であって、
少なくとも１枚の宝くじ券を購入する要求を含む、購入すべき複数の品目に関する取引を前記ＰＯＳ端末で開始するステップと、
前記ＰＯＳ端末に宝くじ情報に対する要求を入力するステップと、
暗号化された認証コードを含む宝くじ情報を前記ＰＯＳ端末で受信するステップと、
記録媒体に前記宝くじ情報および前記商取引を記録するステップと、
を含む、方法。
【請求項３２】
前記入力するステップが、ランダムに選ばれた宝くじ番号を含む宝くじ情報に対する要求を入力するステップを含み、
前記受信するステップが、前記ランダムに選ばれた宝くじ番号と前記暗号化された認証コードとを受信するステップを含む、
請求項３１記載の方法。
【請求項３３】
前記入力するステップが、特定の顧客の選んだ宝くじ番号が要求されている前記宝くじ情報の少なくとも一部として使用されることを要求するステップを含む、請求項３１記載の方法。
【請求項３４】
前記開始するステップにおける前記要求が、分割式宝くじ券に対するものである、請求項３１記載の方法。
【請求項３５】
前記受信された宝くじ情報が、分割式宝くじ券取引を実行するための許可を含む、請求項３４記載の方法。
【請求項３６】
宝くじ券を購入する方法であって、
少なくとも１枚の宝くじ券および少なくとも１つの商売品目の購入を要求するステップと、
前記宝くじ券を構成する、前記商売品目の購入に関する情報を含む記録媒体を受信するステップと、
を含む、方法。
【請求項３７】
前記要求するステップにおいて要求された前記宝くじ券が、分割式宝くじ券である、請求項３６記載の方法。
【請求項３８】
宝くじ券を購入する方法であって、
商売の１品目の購入を要求するステップおよび購入価格を超えて前記購入のための金額を支払うステップと、
前記購入価格を超えて前記購入のために支払われる金額を分割価値宝くじ券の購入に充てるように命令するステップと、
前記分割価値宝くじ券を構成する、前記商売の品目の購入に関する情報を含む記録媒体を受信するステップと、
を含む、方法。
【請求項３９】
記憶装置を含む宝くじ中央コントローラを使用して宝くじ券を認証する方法であって、
前記宝くじ券に関する第１の情報を受信するステップと、
前記第１の情報が前記記憶装置に記憶された第２の情報と等価であるかどうかを決定するステップであって、前記第２の情報が複数の認証された宝くじ券に関連している、ステップと、
等価なものが見つからなければ、一致が見つからなかったことを表示する第１のメッセージを出力するステップと、
一致が見つかれば、前記第１の情報に対して解読操作を実行するステップと、
前記解読操作に基づいて第２のメッセージを出力するステップと、
を含む、方法。
【請求項４０】
前記受信された第１の情報が、暗号化された認証コードを含む、請求項３９記載の方法。
【請求項４１】
前記受信するステップが、ＰＳＴＮに接続されたＩＶＲＵを介して前記第１の情報を受信するステップを含む、請求項３９記載の方法。
【請求項４２】
前記受信するステップが、別のデータ処理システムから前記第１の情報を受信する捨ステップを含む、請求項３９記載の方法。
【請求項４３】
前記第２のメッセージが、前記宝くじ券が当たり宝くじ券であるかどうかについての報告を含む、請求項３９記載の方法。
【請求項４４】
前記解読操作が、前記暗号化された認証コードを解読するステップを含み、
前記第２のメッセージが、前記解読された認証コードに基づく情報を含む、
請求項４０記載の方法。
【請求項４５】
宝くじ券情報，商取引情報および暗号化認証コードが記録された記録媒体を含む、レシート。
【請求項４６】
前記宝くじ券情報が、分割式宝くじ券を含む、請求項４５記載のレシート。
【請求項４７】
宝くじ券取引および商取引を実行するのに適合化されたＰＯＳ端末と、
前記ＰＯＳ端末に付随する、購入すべき少なくとも１つの品目とその品目に対して支払う金額とに関する情報を前記ＰＯＳ端末に入力する入力装置と、
前記品目に対して支払われる金額に基づいて釣り銭の額を計算するのに適合化された前記ＰＯＳ端末と、
前記計算された釣り銭の額の値に等しい額の宝くじ券の購入に前記釣り銭の額を当てることによって前記ＰＯＳ端末に宝くじ券取引を実行させる駆動可能部分を含む前記入力装置と、
前記商取引と前記計算された釣り銭の額で購入された額の宝くじ券とを記録媒体に記録するレコーダを含む前記ＰＯＳ端末と、
を含む、取引処理システム。
【請求項４８】
前記購入された額の宝くじ券が、分割式宝くじ券を含む、請求項４７記載の取引処理システム。
【請求項４９】
販売地点端末で買物のアップセルを決定する方法であって、
前記買物の購入価格を発生するステップと、
丸められた価格を発生するステップと、
前記購入価格と前記丸められた価格との差である切上げ額を計算するステップと、
前記アップセルと釣り銭との間の選択を表示する選択信号を発生するステップと、
前記選択信号が前記アップセルの選択を表示していれば、前記切上げ額を前記アップセルと交換するステップと、
を含む、方法。
【請求項５０】
前記選択信号が釣り銭の選択を表示していれば、
第２のアップセルを同定するステップと、
前記第２のアップセルと釣り銭との間の選択を表示する第２の選択信号を発生するステップと、
前記第２の選択信号が前記第２のアップセルの選択を表示していれば、前記切上げ額を前記第２のアップセルと交換するステップと、
をさらに含む、請求項４９記載の方法。
【請求項５１】
乱数を発生するステップをさらに含み、
前記第２のアップセルを同定するステップが、前記乱数が所定の範囲の値内にあるときだけ実行される、
請求項５０記載の方法。
【請求項５２】
引換券を印刷するステップを、さらに含む、請求項４９記載の方法。
【請求項５３】
識別子データベースを維持するステップと、
一意的な識別子を発生するステップと、
前記一意的な識別子を前記識別子データベースに記憶するステップと、
前記一意的な識別子を前記引換券に印刷するステップと、
をさらに含む、請求項５２記載の方法。
【請求項５４】
前記購入の日付に依存する日付識別子を発生するステップと、
前記引換券に前記日付識別子を印刷するステップと、
をさらに含む、請求項５２記載の方法。
【請求項５５】
オファーされたアップセルのデータベースを維持するステップと、
前記オファーされたアップセルのデータベースに前記切上げ額を記憶するステップと、
前記オファーされたアップセルのデータベースに前記アップセルを記憶するステップと、
前記オファーされたアップセルのデータベースに前記選択信号を記憶するステップと、
をさらに含む、請求項４９記載の方法。
【請求項５６】
前記オファーされたアップセルのデータベースに前記購入の日付を記憶するステップをさらに含む、請求項５５記載の方法。
【請求項５７】
前記アップセルが、ゲーム・エントリーを含む、請求項４９記載の方法。
【請求項５８】
ゲーム・データベースを維持するステップと、
一意的な識別子を発生するステップと、
前記一意的な識別子を前記ゲーム・データベースに記憶するステップと、
前記切上げ額を前記ゲーム・データベースに記憶するステップと、
をさらに含む、請求項５７記載の方法。
【請求項５９】
前記選択信号が前記アップセルの選択を表示していれば、前記アップセルを表示する信号を顧客記録に記憶して、それによって、前記アップセルを顧客と関連付けるステップをさらに含む、請求項４９記載の方法。
【請求項６０】
前記アップセルを寄付する第１の顧客を同定する第１の顧客識別子を表示する信号を記憶するステップと、
前記アップセルを受け取る第２の顧客を同定する第２の顧客識別子を表示する信号を記憶するステップと、
をさらに含む、請求項５９記載の方法。
【請求項６１】
前記アップセルを寄付する第１の顧客を同定する第１の顧客識別子を表示する信号を記憶するステップと、
複数の顧客を同定する複数の顧客識別子を表示する信号を記憶するステップと、
前記複数の顧客識別子から少なくとも１つを選んで、それによって、前記アップセルを受け取る少なくとも１人の顧客を選ぶステップと、
をさらに含む請求項５９記載の方法。
【請求項６２】
前記アップセルを同定するステップが、前記比較されたアップセル価格に対応する複数のアップセルを前記データベースで同定するステップを含み、
前記出力するステップが、前記複数の同定されたアップセルの少なくとも１つを表示する信号を出力するステップを含む、
請求項４９記載の方法。
【請求項６３】
前記複数の同定されたアップセルの少なくとも１つと釣り銭との間の選択を表示するための選択信号を発生するステップをさらに含む、請求項６２記載の方法。
【請求項６４】
前記複数の同定されたアップセルをソーティングして、それによって、第１のアップセルが第２のアップセルより前にくるように配置するステップをさらに含む、請求項６２記載の方法。
【請求項６５】
前記出力するステップが、前記第１のアップセルを表示する信号を出力するステップを含む、請求項６４記載の方法。
【請求項６６】
前記同定されたアップセルと釣り銭との間の選択を表示する選択信号を発生するステップと、
前記選択信号が前記第１のアップセルの選択を表示していなければ、前記第２のアップセルを表示する信号を出力するステップと、
をさらに含む、請求項６５記載の方法。
【請求項６７】
前記ソーティングするステップが、前記複数の同定されたアップセルを、各同定されたアップセルのコストに従ってソーティングするステップを含む、請求項６４記載の方法。
【請求項６８】
購入条件を発生するステップをさらに含み、
前記データベースを維持するステップが、
少なくとも１つのアップセル価格，対応するアップセルおよび少なくとも１つの対応するアップセル条件のデータベースを維持するステップを含み、
前記同定するステップが、
前記比較されたアップセル価格および前記購入条件に対応する少なくとも１つのアップセルを前記データベースで同定するステップを含む、
請求項４９記載の方法。
【請求項６９】
前記丸められた価格を発生するステップが、前記購入価格よりも大きい整数に依存して丸められた価格を発生するステップを含む、請求項４９記載方法。
【請求項７０】
前記丸められた価格を発生するステップが、前記購入価格よりも大きい最小の整数に依存して丸められた価格を発生するステップを含む、請求項６９記載の方法。
【請求項７１】
前記丸められた価格を発生するステップが、前記購入価格よりも大きい１／４の倍数に依存して丸められた価格を発生するステップを含む、請求項６９記載の方法。
【請求項７２】
複数の顧客の各々に対して１つのアップセルを表示する好適アップセル信号を記憶するステップをさらに含む、請求項４９記載の方法。
【請求項７３】
前記選択信号を発生するステップが、前記記憶された好適アップセル信号をアクセスし、それに依存して前記選択信号を発生するステップを含む、請求項７２記載の方法。
【請求項７４】
販売地点端末で買物のアップセルを決定する方法であって、
少なくとも１つのアップセル価格および対応するアップセルのデータベースを維持するステップと、
前記買物の購入価格を発生するステップと、
丸められた価格を発生するステップと、
前記購入価格と前記丸められた価格との差である切上げ額を計算するステップと、
前記データベースの前記アップセル価格の少なくとも１つと前記計算された切上げ額を比較するステップと、
前記計算された切上げ額が１つの比較されたアップセル価格に対応していれば、前記比較されたアップセル価格に対応する前記データベース中の少なくとも１つのアップセルを同定するステップと、
を含む、方法。
【請求項７５】
前記同定されたアップセルと釣り銭との間の選択を表示する選択信号を発生するステップをさらに含む、請求項７４記載の方法。
【請求項７６】
前記データベースが、複数のアップセル価格および対応するアップセルを含み、
前記方法が、前記選択信号が釣り銭の選択を表示していれば、前記比較されたアップセルに対応する前記データベース中の第２のアップセルを同定するステップをさらに含む、
請求項７５記載の方法。
【請求項７７】
前記選択信号を発生するステップが、前記同定されたアップセル，釣り銭および第２のアップセル間の選択を表示する選択信号を発生するステップを含み、
前記方法が、前記選択信号が前記第２のアップセルの選択を表示していれば、前記第２のアップセルに対応する第２のアップセル価格を決定するステップをさらに含む、
請求項７４記載の方法。
【請求項７８】
引換券を印刷するステップをさらに含む、請求項７５記載の方法。
【請求項７９】
前記引換券に識別子を印刷するステップをさらに含む、請求項７８記載の方法。
【請求項８０】
識別子データベースを維持するステップと、
一意的な識別子を発生するステップと、
前記一意的な識別子を前記識別子データベースに記憶するステップと、
前記一意的な識別子を前記引換券に印刷するステップと、
をさらに含む、請求項７８記載の方法。
【請求項８１】
前記購入の日付に依存する日付識別子を発生するステップと、
前記日付識別子を前記引換券に印刷するステップと、
をさらに含む、請求項７８記載の方法。
【請求項８２】
オファーされたアップセルのデータベースを維持するステップと、
前記オファーされたアップセルのデータベースに前記切上げ額を記憶するステップと、
前記オファーされたアップセルのデータベースに前記同定されたアップセルを記憶するステップと、
前記オファーされたアップセルのデータベースに前記選択信号を記憶するステップと、
をさらに含む、請求項７５記載の方法。
【請求項８３】
前記オファーされたアップセルのデータベースに前記購入の日付を記憶するステップをさらに含む、請求項８２記載の方法。
【請求項８４】
前記アップセルが、ゲーム・エントリーを含む、請求項７５記載の方法。
【請求項８５】
ゲーム・データベースを維持するステップと、
一意的な識別子を発生するステップと、
前記ゲーム・データベースに前記一意的な識別子を記憶するステップと、
前記ゲーム・データベースに前記切上げ額を記憶するステップと、
をさらに含む、請求項８４記載の方法。
【請求項８６】
前記選択信号が前記同定されたアップセルの選択を表示していれば、前記同定されたアップセルを表示する信号を顧客記録に記憶して、それによって、前記同定されたアップセルを顧客と関連付けるステップをさらに含む、請求項７５記載の方法。
【請求項８７】
前記同定されたアップセルを寄付する第１の顧客を同定する第１の顧客識別子を表示する信号を記憶するステップと、
前記寄付されたアップセルを受け取る第２の顧客を同定する第２の顧客識別子を表示する信号を記憶するステップと、
をさらに含む、請求項８６記載の方法。
【請求項８８】
前記同定されたアップセルを寄付する第１の顧客を同定する第１の顧客識別子を表示する信号を記憶するステップと、
複数の顧客を同定する複数の顧客識別子を表示する信号を記憶するステップと、
前記複数の顧客識別子の少なくとも１つを選んで、それによって、前記寄付されたアップセルを受け取る少なくとも１人の顧客を選ぶステップと、
をさらに含む、請求項８６記載の方法。
【請求項８９】
複数の顧客の各々に対して１つのアップセルを表示する好適アップセル信号を記憶するステップをさらに含む、請求項７５記載の方法。
【請求項９０】
前記選択信号を発生するステップが、前記記憶された好適アップセル信号をアクセスするステップと、それに依存して前記選択信号を発生するステップとを含む、請求項８９記載の方法。
【請求項９１】
前記アップセルを同定するステップが、前記比較されたアップセル価格に対応する前記データベース中の複数のアップセルを同定するステップを含む、請求項７４記載の方法。
【請求項９２】
前記複数の同定されたアップセルの少なくとも１つと釣り銭との間の選択を表示する選択信号を発生するステップをさらに含む、請求項９１記載の方法。
【請求項９３】
前記複数の同定されたアップセルをソーティングして、それによって、第１のアップセルが第２のアップセルより前にくるように配置するステップをさらに含む、請求項９１記載の方法。
【請求項９４】
前記ソーティングするステップが、各同定されたアップセルのコストに従って前記複数の同定されたアップセルをソーティングするステップを含む、請求項９３記載の方法。
【請求項９５】
購入条件を発生するステップをさらに含み、
前記データベースを維持するステップが、少なくとも１つのアップセル価格，対応するアップセルおよび少なくとも１つの対応するアップセル条件のデータベースを維持するステップを含み、
前記同定するステップが、前記比較されたアップセル価格および前記購入条件に対応する前記データベース中の少なくとも１つのアップセルを同定するステップを含む、請求項７４記載の方法。
【請求項９６】
前記丸められた価格を発生するステップが、前記購入価格よりも大きい整数に基づいて丸められた価格を発生するステップを含む、請求項７４記載の方法。
【請求項９７】
前記丸められた価格を発生するステップが、前記購入価格よりも大きい最小の整数に基づいて丸められた価格を発生するステップを含む、請求項９６記載の方法。
【請求項９８】
前記丸められた価格を発生するステップが、前記購入価格よりも大きい１／４の倍数に依存して丸められた価格を発生するステップを含む、請求項７４記載の方法。
【請求項９９】
買物のアップセルを決定する装置であって、
記憶装置と、
該記憶装置に接続されたプロセッサとを含み、
前記記憶装置が、少なくとも１つのアップセル価格および対応するアップセルのデータベースと、前記プロセッサを制御するプログラムとを記憶し、
前記プロセッサが、前記プログラムにより、
前記買物の購入価格を発生し、
丸められた価格を発生し、
前記購入価格と前記丸められた価格との差である切上げ額を計算し、
該計算された切上げ額を前記データベース中の前記アップセル価格の少なくとも１つと比較し、
前記計算された切上げ額が比較されたアップセル価格に対応していれば、前記比較されたアップセル価格に対応する前記データベース中の少なくとも１つのアップセルを同定する、
装置。
【請求項１００】
前記プロセッサがさらに、前記プログラムにより、前記同定されたアップセルと釣り銭との間の選択を表示する選択信号を発生する、請求項９９記載の装置。
【請求項１０１】
前記データベースが、複数のアップセル価格および対応するアップセルを含み、
前記プロセッサがさらに、前記プログラムにより、前記選択信号が釣り銭の選択を表示していれば、前記比較されたアップセルに対応する前記データベース中の第２のアップセルを同定する、
請求項１００記載の装置。
【請求項１０２】
前記プロセッサがさらに、前記プログラムにより、
前記同定されたアップセル，釣り銭および第２のアップセル間の選択を表示する選択信号を発生し、
前記選択信号が前記第２のアップセルの選択を表示していれば、前記第２のアップセルに対応する第２のアップセル価格を決定する、
請求項９９記載の装置。
【請求項１０３】
前記プロセッサに接続された、引換券を印刷するプリンタをさらに含む、請求項１００記載の装置。
【請求項１０４】
前記プロセッサがさらに、前記プログラムにより、前記プリンタを駆動して前記引換券に識別子を印刷させる、請求項１０３記載の装置。
【請求項１０５】
前記記憶装置がさらに、識別子データベースを記憶し、
前記プロセッサがさらに、前記プログラムにより、
一意的な識別子を発生し、
前記識別子データベースに前記一意的な識別子を記憶し、
前記プリンタを駆動して前記引換券に前記一意的な識別子を印刷する、
請求項１０３記載の装置。
【請求項１０６】
前記プロセッサがさらに、前記プログラムにより、
前記購入の日付に依存する日付識別子を発生し、
前記プリンタを駆動して前記引換券に前記日付識別子を印刷する、
請求項１０３記載の装置。
【請求項１０７】
前記記憶装置がさらに、オファーされたアップセルのデータベースを記憶し、
前記プロセッサがさらに、前記プログラムにより、
前記オファーされたアップセルのデータベースに前記切上げ額を記憶し、
前記オファーされたアップセルのデータベースに前記同定されたアップセルを記憶し、
前記オファーされたアップセルのデータベースに前記選択信号を記憶する、
請求項１００記載の装置。
【請求項１０８】
前記プロセッサがさらに、前記プログラムにより、前記オファーされたアップセルのデータベースに前記購入の日付を記憶する、請求項１０７記載の装置。
【請求項１０９】
前記アップセルが、ゲーム・エントリーを含む、請求項１００記載の装置。
【請求項１１０】
前記記憶装置がさらに、ゲーム・データベースを記憶し、
前記プロセッサがさらに、前記プログラムにより、
一意的な識別子を発生し、
前記ゲーム・データベースに前記一意的な識別子を記憶し、
前記ゲームデータベースに前記切上げ額を記憶する、
請求項１０９記載の装置。
【請求項１１１】
前記記憶装置がさらに、顧客記録を記憶し、
前記プロセッサがさらに、前記プログラムにより、
前記選択信号が前記同定されたアップセルの選択を表示していれば、前記同定されたアップセルを表示する信号を前記顧客記録に記憶して、それによって、前記同定されたアップセルを顧客と関連付ける、
請求項１００記載の装置。
【請求項１１２】
前記記憶装置がさらに、前記同定されたアップセルを寄付する第１の顧客を同定する第１の顧客識別子を表示する信号と、前記寄付されたアップセルを受け取る第２の顧客を同定する第２の顧客識別子を表示する信号とを記憶する、請求項１１１記載の装置。
【請求項１１３】
前記記憶装置がさらに、前記同定されたアップセルを寄付する第１の顧客を同定する第１の顧客識別子を表示する信号と、複数の顧客を同定する複数の顧客識別子を表示する信号とを記憶し、
前記プロセッサがさらに、前記プログラムにより、前記複数の顧客識別子の少なくとも１人を選んで、それによって、前記寄付されたアップセルを受け取る少なくとも１人の顧客を選ぶ、
請求項１１１記載の装置。
【請求項１１４】
前記記憶装置がさらに、複数の顧客の各々に対して１つのアップセルを表示する好適アップセル信号を記憶する、請求項１００記載の装置。
【請求項１１５】
前記プロセッサがさらに、前記プログラムにより、前記記憶された好適アップセル信号をアクセスして、それに依存して前記選択信号を発生する、請求項１１４記載の装置。
【請求項１１６】
前記プロセッサがさらに、前記プログラムにより、前記比較されたアップセル価格に対応する前記データベース中の複数のアップセルを同定する、請求項１００記載の装置。
【請求項１１７】
前記プロセッサがさらに、前記プログラムにより、前記複数の同定されたアップセルのうちの少なくとも１つと釣り銭との間の選択を表示する選択信号を発生する、請求項１１６記載の装置。
【請求項１１８】
前記プロセッサがさらに、前記プログラムにより、前記複数の同定されたアップセルをソーティングして、それによって、第１のアップセルが第２のアップセルより前にくるように配置する、請求項１１６記載の装置。
【請求項１１９】
前記プロセッサがさらに、前記プログラムにより、各同定されたアップセルのコストに従って前記複数の同定されたアップセルをソーティングする、請求項１１８記載の装置。
【請求項１２０】
前記記憶装置がさらに、少なくとも１つのアップセル価格，対応するアップセルおよび少なくとも１つの対応するアップセル条件のデータベースを記憶し、
前記プロセッサがさらに、前記プログラムにより、
購入条件を発生し、
前記比較されたアップセル価格および前記購入条件に対応する前記データベース中の少なくとも１つのアップセルを同定する、
請求項９９記載の装置。
【請求項１２１】
前記プロセッサがさらに、前記プログラムにより、前記購入価格よりも大きい整数に依存して丸められた価格を発生する、請求項９９記載の装置。
【請求項１２２】
前記プロセッサがさらに、前記プログラムにより、前記購入価格よりも大きい最小の整数に依存して丸められた価格を発生する、請求項１２１記載の装置。
【請求項１２３】
前記プロセッサがさらに、前記プログラムにより、前記購入価格よりも大きい１／４の倍数に依存して丸められた価格を発生する、請求項９９記載の装置。
【請求項１２４】
要求された支払額を記憶する販売地点端末で買物のアップセルを決定する方法であって、
少なくとも１つのアップセル価格および対応するアップセルのデータベースを維持するステップと、
前記買物の購入価格を発生するステップと、
前記要求された支払額を前記購入価格に等しく設定するステップと、
丸められた価格を発生するステップと、
前記購入価格と前記丸められた価格との差である切上げ額を計算するステップと、
前記データベース中の前記アップセル価格の少なくとも１つと前記計算された切上げ額を比較するステップと、
前記計算された切上げ額が比較された１つのアップセル価格に対応していれば、前記比較されたアップセル価格に対応する前記データベース中の少なくとも１つのアップセルを同定するステップと、
前記同定されたアップセルを表示する信号を出力するステップと、
を含む、方法。
【請求項１２５】
前記同定されたアップセルと釣り銭との間の選択を表示する選択信号を発生するステップと、
前記選択信号が前記同定されたアップセルの選択を表示していれば、前記要求された支払額を前記丸められた価格に等しく設定するステップと、  
をさらに含む、請求項１２４記載の方法。
【請求項１２６】
前記データベースが、複数のアップセル価格および対応するアップセルを含み、
前記方法が、
前記選択信号が釣り銭の選択を表示していれば、
前記比較されたアップセル価格に対応する前記データベース中の第２のアップセルを同定するステップと、
該同定された第２のアップセルを表示する信号を出力するステップと、
をさらに含む、
請求項１２５記載の方法。
【請求項１２７】
乱数を発生するステップをさらに含み、
前記乱数が所定の範囲の値内にあるときにのみ、前記同定された第２のアップセルを表示する信号を出力するステップが実行される、
請求項１２６記載の方法。
【請求項１２８】
前記選択信号を発生するステップが、前記同定されたアップセル，釣り銭および第２のアップセルの間の選択を表示する選択信号を発生するステップを含み、
前記方法が、
前記選択信号が前記第２のアップセルの選択を表示していれば、
前記第２のアップセルに対応する第２のアップセル価格を決定するステップと、
前記計算された切上げ額が前記第２のアップセル価格に対応していれば、前記要求された支払額を前記丸められた価格に等しく設定するステップと、
をさらに含む、
請求項１２４記載の方法。
【請求項１２９】
引換券を印刷するステップをさらに含む、請求項１２５記載の方法。
【請求項１３０】
前記引換券に識別子を印刷するステップをさらに含む方法、請求項１２９記載の方法。
【請求項１３１】
識別子データベースを維持するステップと、
一意的な識別子を発生するステップと、
前記識別子データベースに前記一意的な識別子を記憶するステップと、
前記一意的な識別子を前記引換券に印刷するステップと、
をさらに含む、請求項１２９記載の方法。
【請求項１３２】
前記購入の日付に依存する日付識別子を発生するステップと、
前記日付識別子を前記引換券へ印刷するステップと、
をさらに含む、請求項１２９記載の方法。
【請求項１３３】
オファーされたアップセルのデータベースを維持するステップと、
前記オファーされたアップセルのデータベースに前記切上げ額を記憶するステップと、
前記オファーされたアップセルのデータベースに前記同定されたアップセルを記憶するステップと、
前記オファーされたアップセルのデータベースに前記選択信号を記憶するステップと、
をさらに含む、請求項１２５記載の方法。
【請求項１３４】
前記オファーされたアップセルのデータベースに前記購入の日付を記憶するステップをさらに含む、請求項１３３記載の方法。
【請求項１３５】
前記アップセルが、ゲーム・エントリーを含む、請求項１２５記載の方法。
【請求項１３６】
ゲーム・データベースを維持するステップと、
一意的な識別子を発生するステップと、
前記ゲーム・データベースに前記一意的な識別子を記憶するステップと、
前記ゲーム・データベースに前記切上げ額を記憶するステップと、
をさらに含む、請求項１３５記載の方法。
【請求項１３７】
前記選択信号が前記同定されたアップセルの選択を表示していれば、前記同定されたアップセルを表示する信号を顧客記録に記憶して、それによって、前記同定されたアップセルを顧客と関連付けるステップをさらに含む、請求項１２５記載の方法。
【請求項１３８】
前記同定されたアップセルを寄付する第１の顧客を同定する第１の顧客識別子を表示する信号を記憶するステップと、
前記寄付されたアップセルを受け取る第２の顧客を同定する第２顧客識別子を表示する信号を記憶するステップと、
をさらに含む、請求項１３７記載の方法。
【請求項１３９】
前記同定されたアップセルを寄付する第１の顧客を同定する第１の顧客識別子を表示する信号を記憶するステップと、
複数の顧客を同定する複数の顧客識別子を表示する信号を記憶するステップと、
前記複数顧客識別子の少なくとも１つを選んで、それによって、前記寄付されたアップセルを受け取る少なくとも１人の顧客を選ぶステップと、
をさらに含む、請求項１３７記載の方法。
【請求項１４０】
複数の顧客の各々に対して１つのアップセルを表示する好適アップセル信号を記憶するステップをさらに含む、請求項１２５記載の方法。
【請求項１４１】
前記選択信号を発生するステップが、前記記憶された好適アップセル信号をアクセスするステップと、それに依存して前記選択信号を発生するステップとを含む、請求項１４０記載の方法。
【請求項１４２】
前記アップセルを同定するステップが、前記比較されたアップセル価格に対応する前記データベース中の複数のアップセルで同定するステップを含み、
前記出力するステップが、前記複数の同定されたアップセルの少なくとも１つを表示する信号を出力するステップを含む、
請求項１２４記載の方法。
【請求項１４３】
前記複数の同定されたアップセルの少なくとも１つと釣り銭との間の選択を表示する選択信号を発生するステップをさらに含む、請求項１４２記載の方法。
【請求項１４４】
前記複数の同定されたアップセルをソーティングして、それによって、第１のアップセルが第２のアップセルより前にくるように配置するステップをさらに含む、請求項１４２記載の方法。
【請求項１４５】
前記出力するステップが、前記第１のアップセルを表示する信号を出力するステップを含む、請求項１４４記載の方法。
【請求項１４６】
前記同定されたアップセルと釣り銭との間の選択を表示する選択信号を発生するステップと、
前記選択信号が前記第１のアップセルの選択を表示していなければ、前記第２のアップセルを表示する信号を出力するステップと、
をさらに含む、請求項１４５記載の方法。
【請求項１４７】
前記ソーティングするステップが、各同定されたアップセルのコストに従って前記複数の同定されたアップセルをソーティングするステップを含む、請求項１４４記載の方法。
【請求項１４８】
購入条件を発生するステップをさらに含み、
前記データベースを維持するステップが、少なくとも１つのアップセル価格，対応するアップセルおよび少なくとも１つの対応するアップセル条件のデータベースを維持するステップを含み、
前記同定するステップが、前記比較されたアップセル価格および前記購入条件に対応する前記データベース中の少なくとも１つのアップセルを同定するステップを含む、
請求項１２４記載の方法。
【請求項１４９】
前記丸められた価格を発生するステップが、前記購入価格よりも大きい整数に依存して丸められた価格を発生するステップを含む、請求項１２４記載の方法。
【請求項１５０】
前記丸められた価格を発生するステップが、前記購入価格よりも大きい最小の整数に依存して丸められた価格を発生するステップを含む、請求項１４９記載の方法。
【請求項１５１】
前記丸められた価格を発生するステップが、前記購入価格よりも大きい１／４の倍数に依存して丸められた価格を発生するステップを含む、請求項１４９記載の方法。
【請求項１５２】
買物のアップセルを決定する装置であって、
記憶装置と、
該記憶装置に接続されたプロセッサとを含み、
前記記憶装置が、
要求された支払額と、
少なくとも１つのアップセル価格および対応するアップセルのデータベースと、
前記プロセッサを制御するプログラムと、
を記憶し、
前記プロセッサが、前記プログラムにより、
前記買物の購入価格を発生し、
前記要求された支払額を前記購入価格に等しく設定し、
丸められた価格を発生し、
前記購入価格と前記丸められた価格との差である切上げ額を計算し、
該計算された切上げ額を前記データベース中の前記アップセル価格の少なくとも１つと比較し、
前記計算された切上げ額が比較されたアップセル価格の１つに対応していれば、前記比較されたアップセル価格に対応する前記データベース中の少なくとも１つのアップセルを同定し、
前記同定されたアップセルを表示する信号を出力する、
装置。
【請求項１５３】
前記プロセッサがさらに、前記プログラムにより、前記同定されたアップセルと釣り銭との間の選択を表示する選択信号を発生する、請求項１５２記載の装置。
【請求項１５４】
前記データベースが、複数のアップセル価格および対応するアップセルを含み、
前記プロセッサがさらに、前記プログラムにより、前記選択信号が釣り銭の選択を表示していれば、前記比較されたアップセルに対応する前記データベース中の第２のアップセルを同定する、
請求項１５３記載の装置。
【請求項１５５】
前記プロセッサがさらに、前記プログラムにより、
前記同定されたアップセル，釣り銭および第２のアップセル間の選択を表示する選択信号を発生し、
前記選択信号が前記第２のアップセルの選択を表示していれば、前記第２のアップセルに対応する第２のアップセルを決定する、
請求項１５２記載の装置。
【請求項１５６】
前記プロセッサに接続された、引換券を印刷するプリンタをさらに含む、請求項１５３記載の装置。
【請求項１５７】
前記プロセッサがさらに、前記プログラムにより、前記プリンタを駆動して、前記引換券に識別子を印刷する、請求項１５６記載の装置。
【請求項１５８】
前記記憶装置がさらに、識別子データベースを記憶し、
前記プロセッサがさらに、前記プログラムにより、
一意的な識別子を発生し、
前記識別子データベースに前記一意的な識別子を記憶し、
前記プリンタを駆動して、前記引換券に前記一意的な識別子を印刷する、
請求項１５６記載の装置。
【請求項１５９】
前記プロセッサがさらに、前記プログラムにより、
前記購入の日付に依存する日付識別子を発生し、
前記プリンタを駆動して、前記引換券に前記日付識別子を印刷する、
請求項１５６記載の装置。
【請求項１６０】
前記記憶装置がさらに、オファーされたアップセルのデータベースを記憶し、
前記プロセッサがさらに、前記プログラムにより、
前記オファーされたアップセルのデータベースに前記切上げ額を記憶し、
前記オファーされたアップセルのデータベースに前記同定されたアップセルを記憶し、
前記オファーされたアップセルのデータベースに前記選択信号を記憶する、
請求項１５３記載の装置。
【請求項１６１】
前記プロセッサがさらに、前記プログラムにより、前記オファーされたアップセルのデータベースに前記購入の日付を記憶する、請求項１６０記載の装置。
【請求項１６２】
前記アップセルが、ゲーム・エントリーを含む、請求項１５３記載の装置。
【請求項１６３】
前記記憶装置が、ゲーム・データベースをさらに記憶しており、
前記プロセッサがさらに、前記プログラムにより、
一意的な識別子を発生し、
前記ゲーム・データベースに前記一意的な識別子を記憶し、
前記ゲーム・データベースに前記切上げ額を記憶する、
請求項１６２記載の装置。
【請求項１６４】
前記記憶装置が、顧客記録をさらに記憶しており、
前記プロセッサがさらに、前記プログラムにより、
前記選択信号が前記同定されたアップセルの選択を表示していれば、前記顧客記録に前記同定されたアップセルを表示する信号を記憶し、それによって、前記同定されたアップセルを顧客と関連付ける、
請求項１５３記載の装置。
【請求項１６５】
前記記憶装置が、
前記同定されたアップセルを寄付する第１の顧客を同定する第１の顧客識別子を表示する信号と、
前記寄付されたアップセルを受け取る第２の顧客を同定する第２の顧客識別子を表示する信号とをさらに記憶する、
請求項１６４記載の装置。
【請求項１６６】
前記記憶装置が、
前記同定されたアップセルを寄付する第１の顧客を同定する第１の顧客識別子を表示する信号と、
複数の顧客を同定するための複数の顧客識別子を表示する信号とをさらに記憶し、
前記プロセッサがさらに、前記プログラムにより、前記複数の顧客識別子の少なくとも１つを選び、それによって、前記寄付されたアップセルを受け取る少なくとも１人の顧客を選ぶ、
請求項１６４記載の装置。
【請求項１６７】
前記記憶装置が、複数の顧客の各々に対して１つのアップセルを表示する好適アップセル信号をさらに記憶する、請求項１５３記載の装置。
【請求項１６８】
前記プロセッサがさらに、前記プログラムにより、前記記憶された好適アップセル信号をアクセスし、それに依存して前記選択信号を発生する、請求項１６７記載の装置。
【請求項１６９】
前記プロセッサがさらに、前記プログラムにより、前記比較されたアップセル価格に対応する前記データベース中の複数のアップセルを同定する、請求項１５２記載の装置。
【請求項１７０】
前記プロセッサがさらに、前記プログラムにより、
前記複数の同定されたアップセルのうちの少なくとも１つと釣り銭との間の選択を表示する選択信号を発生する、
請求項１６９記載の装置。
【請求項１７１】
前記プロセッサがさらに、前記プログラムにより、前記複数の同定されたアップセルをソーティングし、それによって、第１のアップセルが第２のアップセルより前にくるように配置する、請求項１６９記載の装置。
【請求項１７２】
前記プロセッサがさらに、前記プログラムにより、前記複数の同定されたアップセルを各同定されたアップセルのコストに従ってソーティングする、請求項１７１記載の装置。
【請求項１７３】
前記記憶装置が、少なくとも１つのアップセル価格，対応するアップセルおよび少なくとも１つの対応するアップセル条件のデータベースをさらに記憶しており、
前記プロセッサがさらに、前記プログラムにより、
購入条件を発生し、
前記比較されたアップセル価格および前記購入条件に対応する前記データベース中の少なくとも１つのアップセルを同定する、
請求項１５２記載の装置。
【請求項１７４】
前記プロセッサがさらに、前記プログラムにより、前記購入価格よりも大きい整数に依存して丸められた価格を発生する、請求項１５２記載の装置。
【請求項１７５】
前記プロセッサがさらに、前記プログラムにより、前記購入価格よりも大きい最小の整数に依存して丸められた価格を発生する、請求項１７４記載の装置。
【請求項１７６】
前記プロセッサがさらに、前記プログラムにより、前記購入価格よりも大きい１／４の倍数に依存して丸められた価格を発生する、請求項１５２記載の装置。
【請求項１７７】
第１の製品を含む買物に依存して第２の製品を決定する方法であって、端末が要求された支払額を記憶している、方法であって、
少なくとも１つのアップセル価格，対応する購入品目および対応する第２の製品のデータベースを維持するステップと、
前記買物の購入価格を発生するステップと、
前記要求された支払額を前記購入価格に等しく設定するステップと、
丸められた価格を発生するステップと、
前記購入価格と前記丸められた価格との差である切上げ額を計算するステップと、
前記計算された切上げ額を前記データベース中の前記アップセル価格の少なくとも１つと比較するステップと、
前記計算された切上げ額が比較されたアップセル価格の１つに対応していれば、  前記データベース中の前記比較されたアップセル価格に対応する前記購入品目および第２の製品を同定するステップと、
前記第１の製品が前記同定された購入品目に対応していれば、前記第２の製品を表示する信号を出力するステップと、
前記第２の製品と前記第１の製品との間の選択を表示する選択信号を発生するステップと、
前記選択信号が前記第２の製品の選択を表示していれば、前記要求される支払額を前記丸められた価格に等しく設定するステップと、
を含む、方法。
【請求項１７８】
第１の製品を含む買物に依存して第２の製品を決定する装置であって、
記憶装置と、
該記憶装置に接続されたプロセッサとを含み、
前記記憶装置が、
要求された支払額と、
少なくとも１つのアップセル価格および対応するアップセルのデータベースと、
前記プロセッサを制御するプログラムとを記憶しており、
前記プロセッサが、前記プログラムにより、
前記買物の購入価格を発生し、
前記要求された支払額を前記購入価格に等しく設定し、
丸められた価格を発生し、
前記購入価格と前記丸められた価格との差である切上げ額を計算し、
前記計算された切上げ額を前記データベース中のアップセル価格の少なくとも１つと比較し、
前記計算された切上げ額が１つの比較されたアップセルに対応していれば、前記データベース中の前記比較されたアップセル価格に対応する前記購入品目および第２の製品を同定し、
前記第１の製品が前記同定された購入品目に対応していれば、前記第２の製品を表示する信号を出力し、
前記第２の製品と前記第１の製品との間の選択を表示する選択信号を発生し、
前記選択信号が前記第２の製品の選択を表示していれば、前記要求された支払額を前記丸められた価格に等しく設定する、
装置。
【請求項１７９】
第１の製品を含む買物に依存して第２の製品を決定する方法であって、前記端末が要求された支払額を記憶している、方法であって、
少なくとも１つのアップセル価格，対応する購入品目および対応する第２の製品のデータベースを維持するステップと、
前記買物の購入価格を発生するステップと、
前記要求された支払額を前記購入価格に等しく設定するステップと、
丸められた価格を発生するステップと、
前記購入価格と前記丸められた価格との差である切上げ額を計算するステップと、
前記計算された切上げ額を前記データベース中の前記アップセル価格の少なくとも１つと比較するステップと、
前記計算された切上げ額が１つの比較されたアップセル価格に対応していれば、前記データベース中の前記比較されたアップセル価格に対応する前記購入品目および第２の製品を同定するステップと、
前記第１の製品が前記同定された購入品目に対応していれば、前記第２の製品を表示する信号を出力するステップと、
前記第２の製品と釣り銭との間の選択を表示する選択信号を発生するステップと、
前記選択信号が前記第２の製品の選択を表示していれば、前記要求された支払額を前記丸められた価格に等しく設定するステップと、
を含む、方法。
【請求項１８０】
第１の製品を含む買物に依存して第２の製品を決定する装置であって、
記憶装置と、
該記憶装置に接続されたプロセッサとを含み、
前記記憶装置が、
要求された支払額と、
少なくとも１つのアップセル価格および対応するアップセルのデータベースと、
前記プロセッサを制御するプログラムとを記憶しており、
前記プロセッサが、前記プログラムにより、
前記買物の購入価格を発生し、
前記要求された支払額を前記購入価格に等しく設定し、
丸められた価格を発生し、
前記購入価格と前記丸められた価格との差である切上げ額を計算し、
前記計算された切上げ額を前記データベース中のアップセル価格の少なくとも１つと比較し、
前記計算された切上げ額が１つの比較されたアップセルに対応していれば、前記データベース中の前記比較されたアップセル価格に対応する前記購入品目および第２の製品を同定し、
前記第１の製品が前記同定された購入品目に対応していれば、前記第２の製品を表示する信号を出力し、
前記第２の製品と釣り銭との間の選択を表示する選択信号を発生し、
前記選択信号が前記第２の製品の選択を表示していれば、前記要求された支払額を前記丸められた価格に等しく設定する、
装置。
【請求項１８１】
販売地点端末で買物のアップセルをオファーする方法であって、
前記買物の購入価格を発生するステップと、
要求された支払額を前記購入価格に等しく設定するステップと、
丸められた価格を発生するステップと、
前記購入価格と前記丸められた価格との差である切上げ額を計算するステップと、
前記アップセルと釣り銭との間の選択を表示する選択信号を発生するステップと、
前記選択信号が前記アップセルの選択を表示していれば、前記要求された支払額を前記丸められた価格に等しく設定するステップと、
を含む、方法。
【請求項１８２】
前記選択信号が前記アップセルの選択を表示していれば、引換券を提供するステップをさらに含む、請求項１８１記載の方法。
【請求項１８３】
前記引換券に識別子を印刷するステップをさらに含む、請求項１８２記載の方法。
【請求項１８４】
識別子データベースを維持するステップと、
一意的な識別子を発生するステップと、
前記一意的な識別子を前記識別子データベースに記憶するステップと、
前記一意的な識別子を前記引換券に印刷するステップと、
をさらに含む、請求項１８２記載の方法。
【請求項１８５】
前記購入の日付に依存する日付識別子を発生するステップと、
前記日付識別子を前記引換券に印刷するステップと、
をさらに含む、請求項１８２記載の方法。
【請求項１８６】
オファーされたアップセルのデータベースを維持するステップと、
前記オファーされたアップセルのデータベースに前記切上げ額を記憶するステップと、
前記オファーされたアップセルのデータベースに前記同定されたアップセルを記憶するステップと、
前記オファーされたアップセルのデータベースに前記選択信号を記憶するステップと、
をさらに含む、請求項１８１記載の方法。
【請求項１８７】
前記オファーされたアップセルのデータベースに前記購入の日付を記憶するステップをさらに含む、請求項１８６記載の方法。
【請求項１８８】
前記アップセルが、ゲーム・エントリーを含む、請求項１８１記載の方法。
【請求項１８９】
ゲーム・データベースを維持するステップと、
一意的な識別子を発生するステップと、
前記ゲーム・データベースに前記一意的な識別子を記憶するステップと、
前記ゲーム・データベースに前記切上げ額を記憶するステップと、
をさらに含む、請求項１８８記載の方法。
【請求項１９０】
前記選択信号が前記同定されたアップセルの選択を表示していれば、顧客記録に前記アップセルを表示する信号を記憶し、それによって、前記同定されたアップセルを顧客と関連付けるステップをさらに含む、請求項１８１記載の方法。
【請求項１９１】
前記同定されたアップセルを寄付する第１の顧客を同定する第１の顧客識別子を表示する信号を記憶するステップと、
前記寄付されたアップセルを受け取る第２の顧客を同定する第２の顧客識別子を表示する信号を記憶するステップと、
をさらに含む、請求項１９０記載の方法。
【請求項１９２】
前記同定されたアップセルを寄付する第１の顧客を同定する第１の顧客識別子を表示する信号を記憶するステップと、
複数の顧客を同定する複数の顧客識別子を表示する信号を記憶するステップと、
前記複数の顧客識別子の少なくとも１つを選び、それによって、前記寄付されたアップセルを受け取る少なくとも１人の顧客を選ぶステップと、
をさらに含む、請求項１９０記載の方法。
【請求項１９３】
複数の顧客の各々に対して１つのアップセルを表示する好適アップセル信号を記憶するステップをさらに含む、請求項１８１記載の方法。
【請求項１９４】
前記選択信号を発生するステップが、前記記憶された好適アップセル信号をアクセスするステップと、それに依存して前記選択信号を発生するステップとを含む、請求項１９３記載の方法。
【請求項１９５】
前記丸められた価格を発生するステップが、前記購入価格よりも大きい整数に依存して丸められた価格を発生するステップを含む、請求項１８１記載の方法。
【請求項１９６】
前記丸められた価格を発生するステップが、前記購入価格よりも大きい最小の整数に依存して丸められた価格を発生するステップを含む、請求項１９５記載の方法。
【請求項１９７】
前記丸められた価格を発生するステップが、前記購入価格よりも大きい１／４の倍数に依存して丸められた価格を発生するステップを含む、請求項１８１記載の方法。
【請求項１９８】
買物のアップセルをオファーする装置であって、
記憶装置と、
該記憶装置に接続されたプロセッサとを含み、
前記記憶装置が、
要求された支払額と、
前記プロセッサを制御するプログラムとを記憶し、
前記プロセッサが、前記プログラムにより、
前記買物の購入価格を発生し、
要求された支払額を前記購入価格に等しく設定し、
丸められた価格を発生し、
前記購入価格と前記丸められた価格との差である切上げ額を計算し、
前記アップセルと釣り銭との間の選択を表示する選択信号を発生し、
前記選択信号が前記アップセルの選択を表示していれば、前記要求された支払額を前記丸められた価格に等しく設定する、
装置。
【請求項１９９】
前記プロセッサがさらに、前記プログラムにより、前記同定されたアップセルと釣り銭との間の選択を表示する選択信号を発生する、請求項１９８記載の装置。
【請求項２００】
前記プロセッサに接続された、引換券を印刷するプリンタをさらに含む、請求項１９９記載の装置。
【請求項２０１】
前記プロセッサがさらに、前記プログラムにより、前記プリンタを駆動して前記引換券に識別子を印刷させる、請求項２００記載の装置。
【請求項２０２】
前記記憶装置が、識別子データベースをさらに記憶し、
前記プロセッサがさらに、前記プログラムにより、
一意的な識別子を発生し、
前記一意的な識別子を前記識別子データベースに記憶し、
前記プリンタを駆動して前記引換券に前記一意的な識別子を印刷する、
請求項２００記載の装置。
【請求項２０３】
前記プロセッサがさらに、前記プログラムにより、
前記購入の日付に依存して日付識別子を発生し、
前記プリンタを駆動して前記引換券に前記日付識別子を印刷する、
請求項１９９記載の装置。
【請求項２０４】
前記記憶装置が、オファーされたアップセルのデータベースをさらに記憶し、
前記プロセッサがさらに、前記プログラムにより、
前記オファーされたアップセルのデータベースに前記切上げ額を記憶し、
前記オファーされたアップセルのデータベースに前記同定されたアップセルを記憶し、
前記オファーされたアップセルのデータベースに前記選択信号を記憶する、
請求項１９９記載の装置。
【請求項２０５】
前記プロセッサがさらに、前記プログラムにより、前記オファーされたアップセルのデータベースに前記購入の日付を記憶する、請求項２０４記載の装置。
【請求項２０６】
前記アップセルが、ゲーム・エントリーを含む、請求項１９９記載の装置。
【請求項２０７】
前記記憶装置が、ゲーム・データベースをさらに記憶し、
前記プロセッサがさらに、前記プログラムにより、
一意的な識別子を発生し、
前記一意的な識別子を前記ゲームデータベースに記憶し、
前記ゲーム・データベースに前記切上げ額を記憶する、
請求項２０６記載の装置。
【請求項２０８】
前記記憶装置が、顧客記録をさらに記憶し、
前記プロセッサがさらに、前記プログラムにより、前記選択信号が前記同定されたアップセルの選択を表示していれば、前記顧客記録に前記同定されたアップセルを表示する信号を記憶し、それによって、前記想定されたアップセルを顧客と関連付ける、
請求項１９９記載の装置。
【請求項２０９】
前記記憶装置が、
前記同定されたアップセルを寄付する第１の顧客を同定する第１の顧客識別子を表示する信号と、
前記寄付されたアップセルを受け取る第２の顧客を同定する第２の顧客識別子を表示する信号とをさらに記憶する、
請求項２０８記載の装置。
【請求項２１０】
前記記憶装置が、
前記同定されたアップセルを寄付する第１の顧客を同定する第１の顧客識別子を表示する信号と、
複数の顧客を同定するための複数の顧客識別子を表示する信号とをさらに記憶し、
前記プロセッサがさらに、前記プログラムにより、前記複数の顧客識別子の少なくとも１つを選び、それによって、前記寄付されたアップセルを受け取る少なくとも１人の顧客を選ぶ、
請求項２０８記載の装置。
【請求項２１１】
前記記憶装置が、複数の顧客の各々に対して１つのアップセルを表示する好適アップセル信号をさらに記憶する、請求項１９９記載の装置。
【請求項２１２】
前記プロセッサがさらに、前記プログラムにより、前記記憶された好適アップセル信号をアクセスして、それに依存して前記選択信号を発生する、請求項２１１記載の装置。
【請求項２１３】
前記プロセッサがさらに、前記プログラムにより、前記購入価格よりも大きい整数に依存して丸められた価格を発生する、請求項１９８記載の装置。
【請求項２１４】
前記プロセッサがさらに、前記プログラムにより、前記購入価格よりも大きい最小の整数に依存して丸められた価格を発生する、請求項２１３記載の装置。
【請求項２１５】
前記プロセッサがさらに、前記プログラムにより、前記購入価格よりも大きい１／４の倍数に依存して丸められた価格を発生する、請求項１９８記載の装置。
【請求項２１６】
販売地点端末で買物のアップセルを決定する方法であって、
前記買物の購入価格を発生するステップと、
丸められた価格を発生するステップと、
前記購入価格と前記丸められた価格との差である切上げ額を計算するステップと、
前記アップセルと釣り銭との間の選択を表示する選択信号を発生するステップと、
前記選択信号が前記アップセルの選択を表示していれば、前記切上げ額を表示する標印を印刷するステップと、
を含む、方法。
【請求項２１７】
買物のアップセルを決定する装置であって、
記憶装置と、
前記記憶装置に接続されたプロセッサと、
前記プロセッサに接続されたプリンタとを含み、
前記記憶装置が、
前記プロセッサを制御するプログラムを記憶し、
前記プロセッサが、前記プログラムにより、
前記買物の購入価格を発生し、
丸められた価格を発生し、
前記購入価格と前記丸められた価格との差である切上げ額を計算し、
前記アップセルと釣り銭との間の選択を表示する選択信号を発生し、
前記プリンタが、前記選択信号が前記アップセルの選択を表示していれば、前記切上げ額を表示する標印を印刷する、
装置。
【請求項２１８】
販売地点端末で買物のアップセルを決定する方法であって、前記端末が要求された支払額を記憶する、方法であって、
前記買物の購入価格を発生するステップと、
丸められた価格を発生するステップと、
前記購入価格と前記丸められた価格との差である切上げ額を計算するステップと、
前記要求された支払額を前記丸められた価格に等しく設定するステップと、
前記切上げ額と交換にアップセルを提供するステップと、
を含む、方法。
【請求項２１９】
買物のアップセルを決定する方法であって、
少なくとも１つのアップセル価格および対応するアップセルのデータベースを維持するステップと、
前記買物の購入価格を受信するステップと、
丸められた価格を発生するステップと、
前記購入価格と前記丸められた価格との差である切上げ額を計算するステップと、
前記計算された切上げ額を前記データベース中の前記アップセル価格の少なくとも１つと比較するステップと、
前記計算された切上げ額が１つの比較されたアップセル価格に対応していれば、前記比較されたアップセル価格に対応する前記データベース中の少なくとも１つのアップセルを同定するステップと、
前記同定されたアップセルを表示する信号を出力するステップと、
を含む、方法。
【請求項２２０】
前記同定されたアップセルと釣り銭との間の選択を表示する選択信号を発生するステップと、
前記選択信号が前記同定されたアップセルの選択を表示していれば、前記丸められた価格を送信するステップと、
をさらに含む、請求項２１９記載の方法。
【請求項２２１】
前記丸められた価格を送信するステップが、前記選択信号が前記同定されたアップセルの選択を表示していれば、前記丸められた価格をレジスタに送信するステップを含む、請求項２２０記載の方法。
【請求項２２２】
前記購入価格を受信するステップが、前記買物の前記購入価格をレジスタから受信するステップを含む、請求項２１９記載の方法。
【請求項２２３】
買物のアップセルを決定する装置であって、
記憶装置と、
該記憶装置に接続されたプロセッサとを含み、
前記記憶装置が、
少なくとも１つのアップセル価格および対応するアップセルのデータベースと、
前記プロセッサを制御するプログラムとを記憶し、
前記プロセッサが、前記プログラムにより、
前記買物の購入価格を受信し、
丸められた価格を発生し、
前記購入価格と前記丸められた価格との差である切上げ額を計算し、
前記計算された切上げ額を前記データベース中の前記アップセル価格の少なくとも１つと比較し、
前記計算された切上げ額が１つの比較されたアップセル価格に対応していれば、前記比較されたアップセル価格に対応する前記データベース中の少なくとも１つのアップセルを同定し、
前記同定されたアップセルを表示する信号を出力する、
装置。
【請求項２２４】
前記プロセッサがさらに、前記プログラムにより、
前記同定されたアップセルと釣り銭との間の選択を表示する選択信号を発生し、
前記選択信号が前記同定されたアップセルの選択を表示していれば、前記丸められた価格を送信する、
請求項２２３記載の装置。
【請求項２２５】
前記プロセッサがさらに、前記プログラムにより、前記選択信号が前記同定されたアップセルの選択を表示していれば、前記丸められた価格をレジスタに送信する、請求項２２４記載の装置。
【請求項２２６】
前記プロセッサがさらに、前記プログラムにより、前記買物の前記購入価格をレジスタから受信する、請求項２２３記載の装置。
【請求項２２７】
要求された支払額を記憶する、処理システムと通信するレジスタで買物のアップセルを決定する方法であって、
前記買物の購入価格を発生するステップと、
前記要求された支払額を前記購入価格に等しく設定するステップと、
前記購入価格を前記処理システムに送信するステップと、
前記処理システムから丸められた価格が受信されれば、前記要求された支払額を前記丸められた価格に等しく設定するステップと、
を含む、方法。
【請求項２２８】
処理システムと通信する、買物のアップセルを決定する装置であって、
記憶装置と、
該記憶装置に接続されたプロセッサとを含み、
前記記憶装置が、
要求された支払額と、
前記プロセッサを制御するプログラムとを記憶し、
前記プロセッサが、前記プログラムにより、
前記買物の購入価格を発生し、
前記要求された支払額を前記購入価格に等しく設定し、
前記購入価格を前記処理システムに送信し、
前記処理システムから丸められた価格が受信されれば、前記要求された支払額を前記丸められた価格に等しく設定する、
装置。
【請求項２２９】
販売地点端末を用いて分割式宝くじ券の購入を容易にする方法であって、
金銭的な価値を決定するステップと、
１枚の券の一部を割り当てるステップであって、前記部分が前記金銭的価値に基づく、ステップと、
前記券を同定する券識別子と前記券の前記割り当てられた部分を同定する部分識別子とを出力するステップと、
前記券識別子と前記部分識別子とを記憶するステップと、
を含む、方法。
【請求項２３０】
前記金銭的価値を決定するステップが、買物の釣り銭の額に基づいて金銭的価値を決定するステップを含む、請求項２２９記載の方法。
【請求項２３１】
複数の券から前記券を選ぶステップをさらに含む、請求項２２９記載の方法。
【請求項２３２】
前記複数の券から前記券を選ぶステップが、前記金銭的価値と少なくとも同じ大きさの未割当部分を有する券を選ぶステップを含む、請求項２３１記載の方法。
【請求項２３３】
前記複数の券から前記券を選ぶステップが、
前記金銭的価値と少なくとも同じ大きさの未割当部分をそれぞれが有する１組の券を決定するステップと、
最小の未割当部分を有する１枚の券を前記１組の券から選ぶステップと、
を含む、請求項２３１記載の方法。
【請求項２３４】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
金銭的価値を決定し、
該金銭的価値に基づく１枚の券の一部を割り当て、
前記券を同定する券識別子と前記券の前記割り当てられた部分を同定する部分識別子とを出力し、
前記券識別子および前記部分識別子を前記記憶装置に記憶する、
装置。
【請求項２３５】
前記プロセッサがさらに、前記プログラムにより、買物の釣り銭の額に基づいて金銭的価値を決定する、請求項２３４記載の装置。
【請求項２３６】
前記プロセッサがさらに、前記プログラムにより、複数の券から前記券を選ぶ、請求項２３４記載の装置。
【請求項２３７】
前記プロセッサがさらに、前記プログラムにより、前記金銭的価値と少なくとも同じ大きさの未割当部分を有する券を選ぶ、請求項２３６記載の装置。
【請求項２３８】
前記プロセッサがさらに、前記プログラムにより、
前記金銭的価値と少なくとも同じ大きさの未割当部分をそれぞれが有する１組の券を決定し、
最小の未割当部分を有する１枚の券を前記１組の券から選ぶ、
請求項２３６記載の装置。
【請求項２３９】
販売地点端末を用いて分割式宝くじ券の購入を容易にする方法であって、
金銭的な価値を決定するステップと、
複数の券の各券の一部を割り当てるステップであって、前記各券の前記部分が前記金銭的価値の一部と関連する、ステップと、
前記複数の券を同定する複数の券識別子と前記各券の前記割り当てられた部分を同定する複数の部分識別子とを出力するステップと、
前記券識別子および前記部分識別子を記憶するステップと、
を含む、方法。
【請求項２４０】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
金銭的価値を決定し、
前記金銭的価値の一部と関連する、複数の券の各券の一部を割り当て、
前記複数の券を同定する複数の券識別子と前記各券の前記割り当てられた部分を同定する複数の部分識別子とを出力し、
前記券識別子および前記部分識別子を記憶する、
装置。
【請求項２４１】
販売地点端末を用いて分割式宝くじ券の購入を容易にする方法であって、
買物の釣り銭の額を決定するステップと、
該釣り銭の額に基づいて金銭的価値を決定するステップと、
該金銭的価値と少なくとも同じ大きさの未割当部分を有する１枚の券を複数の券から選ぶステップと、
前記金銭的価値に基づく、前記選ばれた券の少なくとも一部を割り当てるステップと、
前記券を同定する券識別子と前記選ばれた券の前記割り当てられた部分を同定する部分識別子とを出力するステップと、
前記券識別子および前記部分識別子を記憶するステップと、
を含む、方法。
【請求項２４２】
前記金銭的価値を決定するステップが、
所定の倍数によって前記釣り銭の額を丸め、それによって、丸められた釣り銭の額を発生するステップと、
前記金銭的価値を前記丸められた釣り銭の額に等しく設定するステップと、
を含む、請求項２４１記載の方法。
【請求項２４３】
前記釣り銭の額を丸めるステップが、所定の倍数に従って前記釣り銭の額を切り捨て、それによって、切り捨てられた釣り銭の額を発生するステップを含む、請求項２４２記載の方法。
【請求項２４４】
分割式宝くじ券を釣り銭と交換するオファーを出力するステップをさらに含む、請求項２４１記載の方法。
【請求項２４５】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
買物の釣り銭の額を決定し、
該釣り銭の額に基づいて金銭的価値を決定し、
前記金銭的価値と少なくとも同じの大きさの未割当部分を有する１枚の券を複数の券から選び、
前記金銭的価値に基づく、前記選ばれた券の少なくとも一部を割り当て、
前記券を同定する券識別子と前記選ばれた券の前記割り当てられた部分を同定する部分識別子とを出力し、
前記券識別子および前記部分識別子を前記記憶装置に記憶する、
装置。
【請求項２４６】
前記プロセッサがさらに、前記プログラムにより、
前記釣り銭の額を所定の倍数に丸め、それによって、丸められた釣り銭の額を発生し、
前記金銭的価値を前記丸められた釣り銭の額に等しく設定する、
請求項２４５記載の装置。
【請求項２４７】
前記プロセッサがさらに、前記プログラムにより、前記釣り銭の額を所定の倍数に従って切り捨て、それによって、切り捨てられた釣り銭の額を発生する、請求項２４６記載の装置。
【請求項２４８】
前記プロセッサがさらに、前記プログラムにより、分割式宝くじ券を釣り銭と交換するオファーを出力する、請求項２４５記載の装置。
【請求項２４９】
販売地点端末を用いて分割式宝くじ券の購入を容易にする方法であって、
券を同定する券識別子と前記券の割当部分を同定する部分識別子とを受信するステップと、
前記券の賞品価値を決定するステップと、
前記券の前記割当部分に基づいて前記賞品価値の部分を決定するステップと、
を含む、方法。
【請求項２５０】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
券を識別する券識別子と券の割当部分を識別する部分識別子とを受信し、
前記券の賞品価値を決定し、
前記券の前記割当部分に基づいて前記賞品価値の部分を決定する、
装置。
【請求項２５１】
販売地点端末を用いて分割式宝くじ券の購入を容易にする方法であって、
金銭的価値を決定するステップと、
該金銭的価値に基づく、１枚の券の少なくとも一部を割り当てるステップと、
前記券の賞品価値を決定するステップと、
前記券の前記割り当てられた部分に基づいて前記賞品価値の部分を提供するステップと、
を含む、方法。
【請求項２５２】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
金銭的価値を決定し、
前記金銭的価値に基づく、１枚の券の少なくとも一部を割り当て、
前記券の賞品価値を決定し、
前記券の前記割り当てられた部分に基づいて前記賞品価値の部分を提供する、
装置。
【請求項２５３】
販売地点端末を用いて分割式宝くじ券の購入を容易にする方法であって、
複数の券の供給を維持するステップであって、各券が未割当部分を有する、ステップと、
追加の券を取得するステップと、
を含む、方法。
【請求項２５４】
前記追加の券を取得するステップが、
第１の所定のしきい値を超える未割当部分を有する券の枚数を計数するステップと、
前記第１の所定のしきい値を超える未割当部分を有する券の枚数が第２の所定のしきい値よりも少なければ、追加の券を取得するステップと、
を含む、請求項２５３記載の方法。
【請求項２５５】
前記追加の券を取得するステップが、
要求された部分の表示を受信するステップと、
前記要求された部分を超える未割当部分を有する券の枚数を計数するステップと、
前記要求された部分を超える未割当部分を有する券の枚数が所定のしきい値よりも少なければ、追加の券を取得するステップと、
を含む、請求項２５３記載の方法。
【請求項２５６】
前記追加の券を取得するステップが、所定の枚数の追加の券を取得するステップを含む、請求項２５３記載の方法。
【請求項２５７】
前記券の前記未割当部分の和を計算するステップをさらに含む、請求項２５３記載の方法。
【請求項２５８】
前記追加の券を取得するステップが、前記計算された和が所定のしきい値よりも小さければ、追加の券を取得するステップを含む、請求項２５７記載の方法。
【請求項２５９】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
それぞれが未割当部分を有する券の供給を維持し、
追加の券を取得する、
装置。
【請求項２６０】
前記プロセッサがさらに、前記プログラムにより、
第１の所定のしきい値を超える未割当部分を有する券の枚数を計数し、
前記第１の所定のしきい値を超える未割当部分を有する券の枚数が第２の所定のしきい値よりも少なければ、追加の券を取得する、
請求項２５９記載の装置。
【請求項２６１】
前記プロセッサがさらに、前記プログラムにより、
要求された部分の表示を受信し、
該要求された部分を超える未割当部分を有する券の枚数を計数し、
前記要求された部分を超える未割当部分を有する券の枚数が所定のしきい値よりも少なければ、追加の券を取得する、
請求項２５９記載の装置。
【請求項２６２】
前記プロセッサがさらに、前記プログラムにより、所定の枚数の追加の券を取得する、請求項２５９記載の装置。
【請求項２６３】
前記プロセッサがさらに、前記プログラムにより、前記券の前記未割当部分の和を計算する、請求項２５９記載の装置。
【請求項２６４】
前記プロセッサがさらに、前記プログラムにより、前記計算された和が所定のしきい値よりも小さければ、追加の券を取得する、請求項２６３記載の装置。
【請求項２６５】
販売地点端末で補助的製品販売を提供する方法であって、
少なくとも１つの品目を含む買物を受け取るステップと、
前記少なくとも１つの品目に基づいてアップセルを決定するステップと、
該アップセルの表示を出力するステップと、
を含む、方法。
【請求項２６６】
販売地点端末で補助的製品販売を提供する装置であって、
記憶装置と、
該記憶装置に接続されたプロセッサとを含み、
前記記憶装置が、前記プロセッサを制御するプログラムを記憶し、
前記プロセッサが、前記プログラムにより、
少なくとも１つの品目を含む買物を受け取り、
前記少なくとも１つの品目に基づいてアップセルを決定し、
該アップセルの表示を出力する、
装置。
【請求項２６７】
販売地点端末で補助的製品販売を提供する方法であって、
少なくとも１つの品目を含む買物を受け取るステップと、
前記少なくとも１つの品目に基づいてアップセルを決定するステップと、
前記少なくとも１つの品目および前記アップセルに対する丸められた価格を決定するステップと、
前記少なくとも１つの品目および前記アップセルを丸められた価格と交換するオファーを提供するステップと、
を含む、方法。
【請求項２６８】
前記オファーに対する応答を受信するステップと、
前記少なくとも１つの品目および前記アップセルを前記丸められた価格と交換するステップと、
をさらに含む、請求項２６７記載の方法。
【請求項２６９】
販売地点端末で補助的製品販売を提供する装置であって、
記憶装置と、
該記憶装置に接続されたプロセッサとを含み、
前記記憶装置が、前記プロセッサを制御するプログラムを記憶し、
前記プロセッサが、前記プログラムにより、
少なくとも１つの品目を含む買物を受け取り、
前記少なくとも１つの品目に基づいてアップセルを決定し、
前記少なくとも１つの品目および前記アップセルに対して丸められた価格を決定し、
前記少なくとも１つの品目および前記アップセルを丸められた価格と交換するオファーを提供する、
装置。
【請求項２７０】
前記プロセッサがさらに、前記プログラムにより、
前記オファーに対する応答を受信し、
前記少なくとも１つの品目および前記アップセルを前記丸められた価格と交換する、
請求項２６９記載の装置。
【請求項２７１】
販売地点端末で補助的製品販売を提供する方法であって、
少なくとも１つの品目を含む買物を受け取るステップと、
前記少なくとも１つの品目に対応するデータベース中の１つの記録を決定するステップと、
前記記録に基づいてアップセルを決定するステップと、
該アップセルの表示を出力するステップと、
を含む、方法。
【請求項２７２】
前記少なくとも１つの品目および前記アップセルに対して丸められた価格を決定するステップをさらに含む、請求項２７１記載の方法。
【請求項２７３】
前記丸められた価格を決定するステップが、前記記録に基づいて前記丸められた価格を決定するステップを含む、請求項２７２記載の方法。
【請求項２７４】
前記丸められた価格を決定するステップが、
前記買物の購入価格を決定するステップと、
前記記録に基づいて丸め倍数を決定するステップと、
該丸め倍数に従って前記購入価格を丸め、それによって、前記丸められた価格を発生するステップと、
を含む、請求項２７２記載の方法。
【請求項２７５】
前記丸められた価格を決定するステップが、
前記買物の購入価格を決定するステップと、
前記記録に基づいてアップセル価格を決定するステップと、
前記アップセル価格に前記購入価格を加え、それによって、前記丸められた価格を発生するステップと、
を含む、請求項２７２記載の方法。
【請求項２７６】
要求された支払額を前記丸められた価格に設定するステップをさらに含む、請求項２７２記載の方法。
【請求項２７７】
前記記録を決定するステップが、
それぞれが前記少なくとも１つの品目に対応する前記データベース中の複数の記録を決定するステップと、
それぞれが前記複数の記録の１つの記録に基づく複数のアップセルを決定するステップと、
前記複数のアップセルの少なくとも１つのアップセルの表示を出力するステップと、
を含む、請求項２７１記載の方法。
【請求項２７８】
販売地点端末で補助的製品販売を提供する装置であって、
記憶装置と、
該記憶装置に接続されたプロセッサとを含み、
前記記憶装置が、前記プロセッサを制御するプログラムを記憶し、
前記プロセッサが、前記プログラムにより、
少なくとも１つの品目を含む買物を受け取り、
前記少なくとも１つの品目に対応するデータベース中の１つの記録を決定し、
該記録に基づいて１つのアップセルを決定し、
該アップセルの表示を出力する、
装置。
【請求項２７９】
前記プロセッサがさらに、前記プログラムにより、前記少なくとも１つの品目および前記アップセルに対して丸められた価格を決定する、請求項２７８記載の装置。
【請求項２８０】
前記プロセッサがさらに、前記プログラムにより、前記記録に基づいて前記丸められた価格を決定する、請求項２７９記載の装置。
【請求項２８１】
前記プロセッサがさらに、前記プログラムにより、
前記買物の購入価格を決定し、
前記記録に基づいて丸め倍数を決定し、
該丸め倍数に従って前記購入価格を丸め、それによって、前記丸められた価格を発生する、
請求項２７９記載の装置。
【請求項２８２】
前記プロセッサがさらに、前記プログラムにより、
前記買物の購入価格を決定し、
前記記録に基づいてアップセル価格を決定し、
該アップセル価格に前記購入価格を加え、それによって、前記丸められた価格を発生する、
請求項２７９記載の装置。
【請求項２８３】
前記プロセッサがさらに、前記プログラムにより、要求された支払額を前記丸められた価格に設定する、請求項２７９記載の装置。
【請求項２８４】
前記プロセッサがさらに、前記プログラムにより、
それぞれが前記少なくとも１つの品目に対応する前記データベース中の複数の記録を決定し、
それぞれが前記複数の記録の１つの記録に基づく複数のアップセルを決定し、
該複数のアップセルの少なくとも１つのアップセルの表示を出力する、
請求項２７８記載の装置。
【請求項２８５】
販売地点端末で補助的プロセスの実行を制御する方法であって、
販売地点端末の活動率を測定するステップと、
該活動率に従って補助的プロセスを実行するステップと、
を含む、方法。
【請求項２８６】
前記補助的プロセスを実行するステップが、前記活動率が所定のしきい値よりも大きければ、補助的プロセスを提供するシステムを停止させるステップを含む、請求項２８５記載の方法。
【請求項２８７】
前記補助的プロセスを実行するステップが、前記活動率が所定のしきい値よりも小さければ、補助的プロセスを提供するシステムを動作可能にさせるステップを含む、請求項２８５記載の方法。
【請求項２８８】
一日の時刻を表示する信号に依存して所定のしきい値を決定するステップをさらに含む、請求項２８５記載の方法。
【請求項２８９】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
販売地点端末の活動率を測定し、
該活動率に従って補助的プロセスを実行する、
装置。
【請求項２９０】
前記プロセッサがさらに、前記プログラムにより、前記活動率が所定のしきい値よりも大きければ、補助的プロセスを提供するシステムを停止させる、請求項２８９記載の装置。
【請求項２９１】
前記プロセッサがさらに、前記プログラムにより、前記活動率が所定のしきい値よりも小さければ、補助的プロセスを提供するシステムを動作可能にさせる、請求項２８９記載の装置。
【請求項２９２】
前記プロセッサがさらに、一日の時刻を表示する信号に依存して所定のしきい値を決定する、請求項２８９記載の装置。
【請求項２９３】
販売地点端末で補助的プロセスの実行を制御する方法であって、
販売地点端末の活動率を測定するステップと、
該活動率およびオファー・スケジュールに従って補助的製品オファーを提供するステップと、
を含む、方法。
【請求項２９４】
前記オファー・スケジュールが、各補助的製品オファーが活動率の所定の範囲に対応する１組の補助的製品オファーを含む、請求項２９３記載の方法。
【請求項２９５】
徐々に時間の掛かかる補助的製品オファーが、活動率の徐々に広がる範囲に対応する、請求項２９４記載の方法。
【請求項２９６】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
販売地点端末の活動率を測定し、
該活動率およびオファー・スケジュールに従って補助的製品オファーを提供する、
装置。
【請求項２９７】
前記オファー・スケジュールが、各補助的製品オファーが活動率の所定の範囲に対応する１組の補助的製品オファーを含む、請求項２９６記載の装置。
【請求項２９８】
徐々に時間の掛かかる補助的製品オファーが、活動率の徐々に広がる範囲に対応する、請求項２９７記載の装置。
【請求項２９９】
販売地点端末で補助的プロセスの実行を制御する方法であって、
基準を測定するステップと、
該基準に基づいて、補助的プロセスを提供するシステムを停止すべきかどうかを決定するステップと、
補助的プロセスを提供するシステムを停止させるステップと、
を含む、方法。
【請求項３００】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
基準を測定し、
該基準に基づいて、補助的プロセスを提供するシステムを停止すべきかどうかを決定し、
補助的プロセスを提供するシステムを停止させる、
装置。
【請求項３０１】
販売地点端末で補助的プロセスの実行を制御する方法であって、
基準を測定するステップと、
該基準に基づいて、補助的プロセスを提供するシステムを動作可能にすべきかどうかを決定するステップと、
補助的プロセスを提供するシステムを動作可能にするステップと、
を含む、方法。
【請求項３０２】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
基準を測定し、
該基準に基づいて、補助的プロセスを提供するシステムを動作可能にすべきかどうかを決定し、
補助的プロセスを提供するシステムを動作可能にする、
装置。
【請求項３０３】
販売地点端末で補助的プロセスの実行を制御する方法であって、
複数の販売地点端末の活動率を測定するステップと、
該活動率に基づいて、補助的プロセスを実行すべきかどうかを決定するステップと、
少なくとも１つの販売地点端末に対して前記補助的プロセスを実行するステップと、
を含む、方法。
【請求項３０４】
前記補助的プロセスを実行するステップが、各販売地点端末に対して前記補助的プロセスを実行するステップを含む、請求項３０３記載の方法。
【請求項３０５】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
複数の販売地点端末の活動率を測定し、
該活動率に基づいて、補助的プロセスを実行すべきかどうかを決定し、
少なくとも１つの販売地点端末に対して前記補助的プロセスを実行する、
装置。
【請求項３０６】
前記プロセッサがさらに、前記プログラムにより、各販売地点端末に対して前記補助的プロセスを実行する、請求項３０５記載の装置。
【請求項３０７】
販売地点端末で補助的プロセスの実行を制御する方法であって、
複数の販売地点端末の活動率を測定するステップと、
該活動率に基づいて、補助的プロセスを提供するシステムを停止すべきかどうかを決定するステップと、
複数の販売地点端末の各々に対して補助的プロセスを提供するシステムを停止させるステップと、
を含む、方法。
【請求項３０８】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
複数の販売地点端末の活動率を測定し、
該活動率に基づいて、補助的プロセスを提供するシステムを停止すべきかどうかを決定し、
複数の販売地点端末の各々に対して前記補助的プロセスを提供するシステムを停止させる、
装置。
【請求項３０９】
販売地点端末で補助的プロセスの実行を制御する方法であって、
販売地点端末の活動率を測定するステップと、
該活動率が所定のしきい値よりも小さければ、
買物に依存してアップセルを決定するステップと、
前記買物に依存してアップセル価格を決定するステップと、
前記アップセル価格を前記アップセルと交換するようにオファーするステップと、
を含む、方法。
【請求項３１０】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
販売地点端末の活動率を測定し、
該活動率が所定のしきい値よりも小さければ、
買物に依存してアップセルを決定し、
前記買物に依存してアップセル価格を決定し、
前記アップセル価格を前記アップセルと交換するようにオファーする、
装置。
【請求項３１１】
販売地点端末で補助的プロセスの実行を制御する方法であって、
オーバーライド信号を受信するステップと、
該オーバーライド信号に従って補助的プロセスを実行するステップと、
を含む、方法。
【請求項３１２】
前記実行するステップが、前記オーバーライド信号が補助的プロセスの実行を表示していなければ、補助的プロセスを提供するシステムを停止させるステップを含む、請求項３１１記載の方法。
【請求項３１３】
前記実行するステップが、前記オーバーライド信号が補助的プロセスの実行を表示していれば、補助的プロセスを提供するシステムを動作可能にするステップを含む、請求項３１１記載の方法。
【請求項３１４】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
オーバーライド信号を受信し、
該オーバーライド信号に従って補助的プロセスを実行する、
装置。
【請求項３１５】
前記プロセッサがさらに、前記プログラムにより、前記オーバーライド信号が補助的プロセスの実行を表示していなければ、補助的プロセスを提供するシステムを停止させる、請求項３１４記載の装置。
【請求項３１６】
前記プロセッサがさらに、前記プログラムにより、前記オーバーライド信号が補助的プロセスの実行を表示していれば、補助的プロセスを提供するシステムを動作可能にする、請求項３１４記載の装置。
【請求項３１７】
販売地点端末で補助的プロセスの実行を制御する方法であって、
オーバーライド信号を受信するステップと、
該オーバーライド信号が補助的プロセスの実行を表示していれば、
買物に依存してアップセルを決定するステップと、
前記買物に依存してアップセル価格を決定するステップと、
前記アップセル価格を前記アップセルと交換するようにオファーするステップと、
を含む、方法。
【請求項３１８】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
オーバーライド信号を受信し、
該オーバーライド信号が補助的プロセスの実行を表示していれば、
買物に依存してアップセルを決定し、
前記買物に依存してアップセル価格を決定し、
前記アップセル価格を前記アップセルと交換するようにオファーする、
装置。
【請求項３１９】
販売地点端末で補助的プロセスの実行を制御する方法であって、
販売地点端末の活動率を測定するステップと、
該活動率が第１の所定のしきい値よりも小さければ、第１のオファー速度を有する第１のアップセルをオファーするステップと、
前記活動率が第２の所定のしきい値よりも大きければ、前記第１のオファー速度よりも大きい第２のオファー速度を有する第２のアップセルをオファーするステップと、
を含む、方法。
【請求項３２０】
販売地点端末で補助的プロセスの実行を制御する装置であって、
記憶装置と、
該記憶装置に接続されたプロセッサとを含み、
前記記憶装置が、前記プロセッサを制御するプログラムを記憶し、
前記プロセッサが、前記プログラムにより、
販売地点端末の活動率を測定し、
該活動率が第１の所定のしきい値よりも小さければ、第１のオファー速度を有する第１のアップセルをオファーし、
前記活動率が第２の所定のしきい値よりも大きければ、前記第１のオファー速度よりも大きい第２のオファー速度を有する第２のアップセルをオファーする、
装置。
【請求項３２１】
販売地点端末で補助的製品販売を処理する方法であって、
丸めコードを受信するステップと、
該丸めコードに基づいて購入価格を丸めるステップと、
を含む、方法。
【請求項３２２】
販売地点端末で補助的製品販売を処理する装置であって、
記憶装置と、
該記憶装置に接続されたプロセッサとを含み、
前記記憶装置が、前記プロセッサを制御するプログラムを記憶し、
前記プロセッサが、前記プログラムにより、
丸めコードを受信し、
該丸めコードに基づいて購入価格を丸める、
装置。
【請求項３２３】
販売地点端末で補助的製品販売を処理する方法であって、
対応する丸め倍数を有する丸めコードを受信するステップと、
前記丸め倍数に基づいて購入価格を丸めるステップと、
を含む、方法。
【請求項３２４】
販売地点端末で補助的製品販売を処理する装置であって、
記憶装置と、
該記憶装置に接続されたプロセッサとを含み、
前記記憶装置が、前記プロセッサを制御するプログラムを記憶し、
前記プロセッサが、前記プログラムにより、
対応する丸め倍数を有する丸めコードを受信し、
該丸め倍数に基づいて購入価格を丸める、
装置。
【請求項３２５】
販売地点端末で補助的製品販売を処理する方法であって、
丸めコードを受信するステップと、
該丸めコードに対応する丸め倍数を決定するステップと、
該丸め倍数に基づいて購入価格を丸めるステップと、
を含む、方法。
【請求項３２６】
販売地点端末で補助的製品販売を処理する装置であって、
記憶装置と、
該記憶装置に接続されたプロセッサとを含み、
前記記憶装置が、前記プロセッサを制御するプログラムを記憶し、
前記プロセッサが、前記プログラムにより、
丸めコードを受信し、
該丸めコードに対応する丸め倍数を決定し、
該丸め倍数に基づいて購入価格を丸める、
装置。
【請求項３２７】
販売地点端末で補助的製品販売を処理する方法であって、
対応する丸め倍数および固定価格をそれぞれが有する複数の丸めコードを受信するステップと、
購入価格を決定するステップと、
前記丸めコードに基づいて前記購入価格を丸めるステップと、
を含む、方法。
【請求項３２８】
前記丸めるステップが、
前記購入価格に前記固定価格の少なくとも１つを加え、それによって、増額された購入価格を発生するステップと、
丸め倍数に基づいて前記増額された購入価格を丸めるステップと、
を含む、請求項３２７記載の方法。
【請求項３２９】
前記丸めるステップが、
丸め倍数に基づいて前記購入価格を丸め、それによって、増額された購入価格を発生するステップと、
該増額された購入価格に前記固定価格の少なくとも１つを加えるステップと、
を含む、請求項３２７記載の方法。
【請求項３３０】
前記丸めるステップが、丸めコードを選択し、それによって、選択された丸めコードと選択されなかった丸めコードの組とを定義するステップを含む、請求項３２７記載の方法。
【請求項３３１】
前記丸めるステップが、
各選択されなかった丸めコードの前記固定価格を前記購入価格に加え、それによって、増額された購入価格を発生するステップと、
前記選択された丸めコードの前記丸め倍数に基づいて前記増額された購入価格を丸めるステップと、
をさらに含む、請求項３３０記載の方法。
【請求項３３２】
前記丸めるステップが、
前記選択された丸めコードの前記丸め倍数に基づいて前記購入価格を丸め、それによって、増額された価格を発生するステップと、
各選択されなかった丸めコードの固定価格を前記増額された価格に加えるステップと、
をさらに含む、請求項３３０記載の方法。
【請求項３３３】
前記丸めコードを選択するステップが、各選択されなかった丸めコードの前記丸め倍数よりも大きくない丸め倍数を有する丸めコードを選択するステップを含む、請求項３３０記載の方法。
【請求項３３４】
前記丸めコードを選択するステップが、最小丸め倍数を有する丸めコードを選択するステップを含む、請求項３３０記載の方法。
【請求項３３５】
前記固定価格と各丸めコードの前記丸め倍数とが等しい、請求項３２７記載の方法。
【請求項３３６】
販売地点端末で補助的製品販売を処理する装置であって、
記憶装置と、
該記憶装置に接続されたプロセッサとを含み、
前記記憶装置が、前記プロセッサを制御するプログラムを記憶し、
前記プロセッサが、前記プログラムにより、
対応する丸め倍数および固定価格を各丸めコードが有する複数の丸めコードを受信し、
購入価格を決定し、
前記丸めコードに基づいて前記購入価格を丸める、
装置。
【請求項３３７】
前記プロセッサがさらに、前記プログラムにより、
前記購入価格に前記固定価格の少なくとも１つを加え、それによって、増額された購入価格を発生し、
丸め倍数に基づいて前記増額された購入価格を丸める、
請求項３３６記載の装置。
【請求項３３８】
前記プロセッサがさらに、前記プログラムにより、
丸め倍数に基づいて前記購入価格を丸め、それによって、増額された購入価格を発生し、
前記固定価格の少なくとも１つを前記増額された購入価格に加える、
請求項３３６記載の装置。
【請求項３３９】
前記プロセッサがさらに、前記プログラムにより、丸めコードを選択し、それによって、選択された丸めコードと選択されなかった丸めコードの組とを定義する、請求項３３６記載の装置。
【請求項３４０】
前記プロセッサがさらに、前記プログラムにより、
各選択されなかった丸めコードの前記固定価格を前記購入価格に加え、それによって、増額された購入価格を発生し、
前記選択された丸めコードの前記丸め倍数に基づいて前記増額された購入価格を丸める、
請求項３３９記載の装置。
【請求項３４１】
前記プロセッサがさらに、前記プログラムにより、
前記選択された丸めコードの前記丸め倍数に基づいて前記購入価格を丸め、それによって、増額価格を発生し、
各選択されなかった丸めコードの前記固定価格を前記増額された価格に加える、
請求項３３９記載の装置。
【請求項３４２】
前記プロセッサがさらに、前記プログラムにより、各選択されなかった丸めコードの前記丸め倍数よりも大きくない丸め倍数を有する丸めコードを選択する、請求項３３９記載の装置。
【請求項３４３】
前記プロセッサがさらに、前記プログラムにより、最小の丸め倍数を有する丸めコードを選択する、請求項３３９記載の装置。
【請求項３４４】
前記固定価格と各丸めコードの前記丸め倍数とが等しい、請求項３２６記載の装置。
【請求項３４５】
販売地点端末で提供されるオファーを制御する方法であって、
販売地点端末で複数のオファーを提供するステップと、
各オファーのパフォーマンス・レートを測定し、それによって、複数のパフォーマンス・レートを定義するステップと、
該複数のパフォーマンス・レートの少なくとも１つに基づいてオファーのサブセットを選択するステップと、
販売地点端末で前記オファーのサブセットを提供するステップと、
を含む、方法。
【請求項３４６】
前記複数のオファーを提供するステップが、第１の時間内に実行され、
前記オファーのサブセットを提供するステップが、前記第１の時間より後の第２の時間内に実行される、請求項３４５記載の方法。
【請求項３４７】
前記複数のオファーを提供するステップが、複数の端末のそれぞれにおいて前記複数のオファーのうちの１つのオファーを提供するステップを含む、請求項３４５記載の方法。
【請求項３４８】
前記サブセットのパフォーマンス・レートを測定するステップと、
前記サブセットの前記パフォーマンス・レートが所定のしきい値よりも小さければ、前記オファーのサブセットを提供するステップの後に前記複数のオファーを提供するステップと、
をさらに含む、請求項３４５記載の方法。
【請求項３４９】
前記オファーのサブセットを選択するステップが、少なくとも所定のパフォーマンス・レートを有するオファーを選択するステップを含む、請求項３４５記載の方法。
【請求項３５０】
前記オファーのサブセットを選択するステップが、所定の数の最も高いパフォーマンス・オファーを選択するステップを含む、請求項３４５記載の方法。
【請求項３５１】
販売地点端末で提供されるオファーを制御する装置であって、
記憶装置と、
該記憶装置に接続されたプロセッサとを含み、
前記記憶装置が、前記プロセッサを制御するプログラムを記憶し、
前記プロセッサが、前記プログラムにより、
販売地点端末で複数のオファーを提供し、
各オファーのパフォーマンス・レートを測定し、それによって、複数のパフォーマンス・レートを定義し、
該複数のパフォーマンスレートの少なくとも１つに基づいてオファーのサブセットを選択し、
販売地点端末で前記サブセットのオファーを提供する、
装置。
【請求項３５２】
前記プロセッサがさらに、前記プログラムにより、
第１の時間内に複数のオファーを提供し、
前記第１の時間より後の第２の時間内に前記サブセットのオファーを提供する、
請求項３５１記載の装置。
【請求項３５３】
前記プロセッサがさらに、前記プログラムにより、複数の端末の各々において前記複数のオファーの１つのオファーを提供する、請求項３５１記載の装置。
【請求項３５４】
前記プロセッサがさらに、前記プログラムにより、
前記サブセットのパフォーマンス・レートを測定し、
前記サブセットの前記パフォーマンス・レートが所定のしきい値よりも小さければ、前記サブセットのオファーの提供の後に前記複数のオファーを提供する、請求項３５１記載の装置。
【請求項３５５】
前記プロセッサがさらに、前記プログラムにより、少なくとも所定のパフォーマンス・レートを有するオファーを選択する、請求項３５１記載の装置。
【請求項３５６】
前記プロセッサがさらに、前記プログラムにより、所定の数の最も高いパフォーマンス・オファーを選択する、請求項３５１記載の装置。
【請求項３５７】
販売地点端末で提供されるオファーを制御する方法であって、
販売地点端末で第１のオファーを提供するステップと、
該第１のオファーのパフォーマンス・レートを測定するステップと、
前記第１のオファーのパフォーマンス・レートが所定のしきい値よりも小さければ、販売地点端末で第２のオファーを提供するステップと、
を含む、方法。
【請求項３５８】
販売地点端末で提供されるオファーを制御する装置であって、
記憶装置と、
該記憶装置に接続されたプロセッサとを含み、
前記記憶装置が、前記プロセッサを制御するプログラムを記憶し、
前記プロセッサが、前記プログラムにより、
販売地点端末で第１のオファーを提供し、
該第１のオファーのパフォーマンス・レートを測定し、
該第１のオファーのパフォーマンス・レートが所定のしきい値よりも小さければ、販売地点端末で第２のオファーを提供する、
装置。
【請求項３５９】
販売地点端末で提供されるオファーを制御する方法であって、
第１の販売地点端末で第１のオファーを提供するステップと、
第２の販売地点端末で第２のオファーを提供するステップと、
前記第１のオファーのパフォーマンス・レートを測定するステップと、
前記第２のオファーのパフォーマンス・レートを測定するステップと、
前記第２のオファーの前記パフォーマンス・レートが前記第１のオファーの前記パフォーマンス・レートよりも小さければ、前記第２の販売地点端末で前記第１のオファーを提供するステップと、
を含む、方法。
【請求項３６０】
販売地点端末で提供されるオファーを制御する装置であって、
記憶装置と、
該記憶装置に接続されたプロセッサとを含み、
前記記憶装置が、前記プロセッサを制御するプログラムを記憶し、
前記プロセッサが、前記プログラムにより、
第１の販売地点端末で第１のオファーを提供し、
第２の販売地点端末で第２のオファーを提供し、
前記第１のオファーのパフォーマンス・レートを測定し、
前記第２のオファーのパフォーマンス・レートを測定し、
前記第２のオファーの前記パフォーマンス・レートが前記第１のオファーの前記パフォーマンス・レートよりも小さければ、前記第２の販売地点端末で前記第１のオファーを提供する、
装置。
【請求項３６１】
販売地点端末で提供されるオファーを制御する方法であって、
複数の買物の各々に対して、
前記買物に依存してアップセルを決定するステップと、
買物に基づくアップセル価格を決定するステップと、
該アップセル価格を前記アップセルと交換するようにオファーするステップと、
各アップセルのパフォーマンス・レートを測定し、それによって、複数のパフォーマンス・レートを定義するステップと、
前記複数のパフォーマンス・レートの少なくとも１つに基づいてアップセルのサブセットを選択するステップと、
販売地点端末で前記サブセットのアップセルを提供するステップと、
を含む、方法。
【請求項３６２】
販売地点端末で提供されるオファーを制御する装置であって、
記憶装置と、
該記憶装置に接続されたプロセッサとを含み、
前記記憶装置が、前記プロセッサを制御するプログラムを記憶し、
前記プロセッサが、前記プログラムにより、複数の買物の各々に対して、
前記買物に依存してアップセルを決定し、
買物に基づいてアップセル価格を決定し、
前記アップセル価格を前記アップセルと交換するようにオファーし、
各アップセルのパフォーマンス・レートを測定し、それによって、複数のパフォーマンス・レートを定義し、
前記複数のパフォーマンス・レートの少なくとも１つに基づいてアップセルのサブセットを選択し、
販売地点端末で前記サブセットのアップセルを提供する、
装置。
【請求項３６３】
販売地点端末で買物のアップセルを決定する方法であって、
前記買物に依存してアップセルを決定するステップと、
前記アップセル価格を前記アップセルと交換するようにオファーするステップと、
を含む、方法。
【請求項３６４】
販売地点端末で買物のアップセルを決定する装置であって、
記憶装置と、
該記憶装置に接続されたプロセッサとを含み、
前記記憶装置が、前記プロセッサを制御するプログラムを記憶し、
前記プロセッサが、前記プログラムにより、
前記買物に依存してアップセルを決定し、
前記アップセル価格を前記アップセルと交換するようにオファーする、
装置。
【請求項３６５】
販売地点端末で買物のアップセルを決定する方法であって、
前記アップセルの購入価格を発生するステップと、
該購入価格に依存してアップセル価格を決定するステップと、
前記アップセルを前記アップセル価格と交換するようにオファーするステップと、
を含む、方法。
【請求項３６６】
販売地点端末で買物のアップセルを決定する装置であって、
記憶装置と、
該記憶装置に接続されたプロセッサとを含み、
前記記憶装置が、前記プロセッサを制御するプログラムを記憶し、
前記プロセッサが、前記プログラムにより、
前記アップセルの購入価格を発生し、
該購入価格に依存してアップセル価格を決定し、
前記アップセルを前記アップセル価格と交換するようにオファーする、
装置。
【請求項３６７】
販売地点端末で買物のアップセルを決定する方法であって、
前記買物の購入価格を発生するステップと、
丸められた価格を発生するステップと、
前記購入価格と前記丸められた価格との差である切上げ額を計算するステップと、
該切上げ額に依存してアップセルを決定するステップと、
該アップセルを表示する信号を出力するステップと、
を含む、方法。
【請求項３６８】
販売地点端末で買物のアップセルを決定する装置であって、
記憶装置と、
該記憶装置に接続されたプロセッサとを含み、
前記記憶装置が、前記プロセッサを制御するプログラムを記憶し、
前記プロセッサが、前記プログラムにより、
前記買物の購入価格を発生し、
丸められた価格を発生し、
前記購入価格と前記丸められた価格との差である切上げ額を計算し、
該切上げ額に依存してアップセルを決定し、
該アップセルを表示する信号を出力する、
装置。
【請求項３６９】
販売地点端末で買物のアップセルを決定する方法であって、
買物の購入価格を発生するステップと、
丸められた価格を発生するステップと、
前記購入価格と前記丸められた価格との差である切上げ額を計算するステップと、
該切上げ額に依存してアップセルを決定するステップと、
前記切上げ額を前記アップセルと交換するようにオファーするステップと、
を含む、方法。
【請求項３７０】
販売地点端末で買物のアップセルを決定する装置であって、
記憶装置と、
該記憶装置に接続されたプロセッサとを含み、
前記記憶装置が、前記プロセッサを制御するプログラムを記憶し、
前記プロセッサが、前記プログラムにより、
買物の購入価格を発生し、
丸められた価格を発生し、
前記購入価格と前記丸められた価格との差である切上げ額を計算し、
該切上げ額に依存してアップセルを決定し、
前記切上げ額を前記アップセルと交換するようにオファーする、
装置。
【発明の詳細な説明】
【技術分野】
【０００１】
本発明は、販売地点端末に関するものであり、さらに詳細には、販売地点端末において製品販売を処理するための方法およびシステムに関する。
【背景技術】
【０００２】
この発明は、宝くじ券取引システムに関する。さらに詳細には、本発明は、商取引販売情報および宝くじ券情報の両方を含む販売レシートを発行する販売地点（ＰＯＳ）端末を使用する宝くじ券発売のためのシステムおよび方法に関する。
米国の多くの州は、いくつかの外国と同様に、政府が指導する宝くじシステムを有する。政府指導の宝くじは、望まれる製品（通常は、高額の現金という賞品を勝ち取るチャンス）を大衆に提供するとともに、大衆に付加的税金または増税を課することなく政府の歳入を増やすという利点を有する。多くの場合、政府の宝くじから発生する歳入は、教育システムの改善や財産税の削減のような特別な目的あるいは目標に投入される。
典型的な政府指導の宝くじシステムでは、中央宝くじコンピュータが、専用宝くじ端末と通信するために用いられる。プレーヤが宝くじのプレイ・スリップ（Play slip）上の番号を選択し、宝くじ端末オペレータが宝くじプレイ・スリップを宝くじ端末にある読取機に挿入する。これにより、宝くじプレイ・スリップが、既知のマーク検出プロセスを使用して光学的に読み取られる。その後、専用宝くじ端末は、プレーヤが選んだ番号を中央宝くじコンピュータへ送信して、それを記憶させる。宝くじ番号が記憶された後で、専用宝くじ端末は、中央宝くじコンピュータの制御下で宝くじ券を印刷および発行する。
「ロット（lotto）」として知られる１つの人気のある宝くじゲームは、プレーヤが１から４２までの６個の番号を選ぶことを要求するのが普通である。その後、選ばれた番号群は、ロット券を購入した後の特定の時間および日数をおいて、通常は毎週１回か２回、１から４２までの番号のより多数のプールの中からランダムに選ばれた当たりの宝くじ番号と比較される。賞品を獲得するためには、ロット券の番号が当たりの宝くじ番号のすべてまたはいくつかと一致しなければならない。
プレーヤは彼ら自身の宝くじ番号を選ぶようになっているが、ほとんどのロットゲームでは、その代わりに、中央宝くじコンピュータシステムにランダムな「クイック・ピック（quick‐pick）」宝くじ番号を選ばせるオプションを用意している。このことは、購入者に、彼または彼女自身の番号を拾い上げる時間および不便を節約させる。そのような自動的な宝くじ番号発生システムは、通常、「クイック・ピック」システムとして知られている。
典型的な宝くじでは、多様なゲームがプレイされる。従来の宝くじゲームでは、プレーヤが宝くじ券を購入する。宝くじ券上に１つまたは複数の宝くじ番号と１つの通し番号とが刻印されている。通し番号は偽造防止のための簡便な方法である。というのは、それは、販売された各宝くじ券を一意的に同定するからである。宝くじ番号もまた、プレーヤおよび宝くじシステムの両方が勝者を同定するのを可能とする。詳細には、宝くじ番号はプレーヤによって「当たり番号表」と比較されて、そのプレーヤが賞品を勝ち取ったかどうかを判定する。
【０００３】
宝くじ券の販売に先立って結果が決まっているインスタント宝くじゲームもある。宝くじ券上に刻印された隠された標印（indicia）を露わにすることによって、プレーヤは購入直後にその宝くじ券が当たりであるかどうかを判定できる。
いくつかの外国（例えば、ドイツ）では、宝くじプレーヤが分割宝くじ券を購入することを許容している。しかし、それらの宝くじシステムは、プレーヤが特定の高額な宝くじ券の固定された割合（例えば、１枚の宝くじの半分とか４分の１分）を購入することを許容するだけである。これらの場合、宝くじ券が当たりであれば、購入者は賞品額全体の半分または４分の１だけを受け取ることになろう。
宝くじ券の大半は、雑貨店，酒屋およびコンビニエンス・ストアで販売される。これらの小売り店は、商取引業務用に使用される１台または複数台のＰＯＳ端末から離れた専用宝くじ端末を設置するのが普通である。この物理的な分離は、商取引ラインが、宝くじ券を購入しようとする顧客によって遅延されたり妨害されたりすることがないようにするためである。さらに、宝くじ端末は分離した個別の会計システムを有するので、ＰＯＳ端末と専用宝くじ端末とを同じ場所に置く必要がない。
しかし、何人かの顧客は、２つの別々の取引、すなわち商取引と宝くじ券とを同じ店内で２台の異なる端末で行うことを面倒だと思うかもしれない。分離した端末はまた、顧客に２つの別の列に並ぶことを強要するか、一人の店員が２つの別々の取引を２台の端末で処理する間、商取引の精算手順全体を遅れさせたりするかもしれない。商取引だけの顧客をうんざりさせることの他に、これらの不便は、宝くじ券を衝動的に購入することを妨げるかもしれない。このことは政府および店の収入減につながる。
【０００４】
これらは、商取引および宝くじ券取引のために２台の別個の独立した端末を使用することに伴う短所である。政府は、通常、専用宝くじ端末を購入しリースし据え付けおよび保守するためのコストを負担する。各専用宝くじ端末用の宝くじ券用紙およびインクを再供給するコストもかなりなものである。さらに、複数の精算ラインおよびレジスタを備える、スーパーマーケットのような多くの小売り店舗は、各精算レジスタに専用宝くじ端末を運営するためのリソースを持たない。さらに、専用宝くじ端末はカウンター空間を占有するが、そこは収入を生み出す商品展示のために本来使用できる場所である。２台の別のタイプの商取引端末の操作を店員に訓練することもコストが掛かる。これらの因子が原因となって、宝くじ券を販売する場所の数が制限されることで、消費者に対する宝くじ券の利用性が減っており、それにより政府歳入が減少している。
数年に亘る安定した利益増加の後、多くの州経営の宝くじは収益の減退を示している。宝くじ券購入の便宜を改善することおよびそれの利用性を高めることは、多くの州で宝くじシステムを近代化する場合の主たる関心事となっている。現状の宝くじシステムは、小売りの販売地点端末で価値の分割された宝くじ券を販売することを許可していない。分割価値の宝くじ券を購入する機会を失うことから歳入の顕著な減少が生じている。従って、上述の問題点を解決するシステムに対する需要が存在する。
顧客が訪問する多くの店舗は、キャッシュ・レジスタのような販売地点端末（ＰＯＳ）を１台以上所有している。店のレジ係は、ＰＯＳ端末を使用して買物（１個または複数の商品）の合計金額を計算し、顧客に支払うべき釣り銭の額を計算する。いくつかのＰＯＳ端末はさらに、なされた買物を追跡して、それに従って店の在庫品のデータベースを調整する。
釣り銭の額は、購入価格と顧客が支払った金額との差である。顧客は、普通、紙幣の形で整数額の現金を支払うが、購入価格は、ほとんどの場合、非整数の金額である。従って、ＰＯＳ端末において顧客に払い戻すべき釣り銭の額は、普通、１枚または複数枚の硬貨を含み、ＰＯＳ端末またはレジ係がそれを顧客に支払う。
釣り銭、特に硬貨を受け取って持ち運ぶことは、多くの顧客には煩わしいことである。従って、顧客は、しばしば、欲しくない硬貨を使ってしまうために、および／または、そうでなければ彼らに買物の釣り銭として与えられるであろう硬貨を減らすために、非整数の現金を支払うことを強要される。顧客によって支払われる硬貨および紙幣は、ＰＯＳ端末においてレジ係によって集められる。
【０００５】
顧客に硬貨を払い戻したり顧客から硬貨を受け取ったりすることはいずれも、レジ係がその買物の処理に費やす時間を増やし、従って、ＰＯＳ端末において顧客が列を作って待つ時間を増大させる。従って、会社は、硬貨を取り扱うのに費やされる時間に対して賃金を支払わなければならず、また、顧客は、レジ係と顧客たちとの間で硬貨が交換される時間遅れを堪え忍ばなければならない。
さらに、レジ係が計算間違いをして間違った額の釣り銭を払い戻すこともあり得るであろう。顧客は、しばしば、そのような間違いを予期し、正しい額を受け取ったかどうかを確認するために釣り銭を勘定する。そのような顧客は、普通、ＰＯＳ端末を離れる前に釣り銭を勘定するので、他の顧客に更なる遅延を与える。
会社は、硬貨を数え転がし預金しまたは取り扱うためのコストを負担する。ある試算によれば、硬貨を取り扱うだけに、年間で数十万時間と数億ドルとを会社が費やしている。
要するに、釣り銭、特に硬貨を顧客とＰＯＳ端末との間で交換することは、コストが掛かるし、時間を消費し、好ましくない。残念なことに、従来のＰＯＳ端末は、買物の価格と釣り銭の額だけを計算し、釣り銭の額を減らすことも硬貨の交換もできない。
従って、釣り銭の額を減らし、それにより顧客とＰＯＳ端末のレジ係との間で交換される硬貨を減らすシステムおよび方法を提供することは有益である。
宝くじは、そのようなゲームを提供するスポンサーの州に対して多額の歳入を発生する非常に人気のあるゲームである。典型的な宝くじでは、プレーヤ（券の所有者）は、その上に券番号と通し番号とが刻印された宝くじ券を購入する。券番号は、その券の所有者が賞品を勝ち取ったかどうかを券の所有者および宝くじ業者の両者が確認することを許容する。通し番号は、その宝くじ券を一意的に同定し、その宝くじ券が有効であると確認するために宝くじ業者によって記録されるのが普通である。例えば、通し番号は、券の上に刻印されている券番号と宝くじ業者がその宝くじ券に付随して記録した券番号とが一致するかどうかを確認するために使用されるであろう。
【０００６】
典型的な宝くじ券は６個の券番号を有しており、その各々は１から４９までの範囲のようなある範囲から選ばれる。この６個の券番号は、券の所有者によって選ばれか、券の所有者の依頼で、券を印刷する宝くじ端末によってランダムに選ばれる。抽選日には、宝くじ業者は、「当たり」の券番号とみなされる６個の券番号をランダムに選び出す。当たりの券番号のすべてまたはいくつかと一致する券番号を有する宝くじ券が当たり券であり、それに対応する宝くじ券所有者が賞品を獲得する。
本出願の親出願の親出願である、１９９７年３月２１日付け出願の、「販売地点端末を利用して宝くじ券取引を実行するためのシステムおよび方法」と題する特許出願第０８／８２２，７０９号は、釣り銭と交換に販売地点（ＰＯＳ）端末で顧客に対して分割式の宝くじ券を販売するためのシステムおよび方法を開示している。例えば、顧客がＰＯＳ端末へ商品を持ってきて、ＰＯＳ端末が購入価格を＄４．７４と計算する。購入価格を最も近い＄１に丸めれば、釣り銭は＄５．００−＄４．７４＝＄０．２６となる。従って、顧客は、釣り銭の代わりに、＄１の宝くじ券の２６％の持ち分を販売してもらうことができる。その宝くじ券が当たりになれば、対応する賞品の２６％がその顧客に与えられることになる。
釣り銭と引き換えに分割式宝くじ券を提供することには多くの利点がある。１９９７年８月２６日付け出願の、「販売地点端末での補助的製品販売を処理するための方法およびシステム」と題する本出願の親出願である特許出願第０８／９２０，１１６号にも述べられるように、硬貨を支払ったり受け取ったりすることはコストも掛かり煩わしくもある。さらに、多くの顧客は、硬貨は汚れたものだと考え、それらを取り扱わない方を好む。このように、多くの顧客は、釣り銭を分割式宝くじ券と交換することが非常に好ましいことであることを見い出すであろう。
残念ながら、いくつかの州の宝くじ業者は、分割方式の宝くじ券を発行することによって彼らの慣習を変えることを好まないであろう。そのような州の宝くじ業者は、その代わりに、例えば＄１，＄２および＄５の券のみといった、数種類の予め決められる丸められた額の券を支給する方を好むかもしれない。いくつかの場合には、分割式宝くじ券を支給できるためには、１つまたは複数の州に跨って使用されている宝くじ端末のハードウエアおよびソフトウエアに対して大幅な修正を必要とする。そのような修正は最終的には利益をもたらすものであろうが、初期コストは不必要な負担と受け取られるかもしれず、実現する最終的な利益は余りに不確かなものに見えるかもしれない。要するに、州の宝くじ業者による分割式宝くじ券の発行はあらゆる環境において実際的ではないかもしれない。
【０００７】
従って、既存の宝くじシステムに顕著な変更を必要とせずに、分割式宝くじ券の購入を容易にすることが有利であろう。
キャッシュ・レジスタのような販売地点（ＰＯＳ）端末は、買物（品物またはサービス）の合計金額を計算したり顧客に対する釣り銭の額を計算したりする処理などを実行するために、幅広いビジネス分野で使用されている。それらの高度な知識のレベルに依存して、そのようなＰＯＳ端末は、処理された買物を追跡することによる在庫管理やそれに従った在庫データベースの調整などの関連機能を実行するためにも有用であろう。さらに、ＰＯＳ端末は、オファリングシステムとしておよび／またはそれを備えたものとして、使用することもできるであろう。
１９９７年８月２６日付け出願の、「販売地点端末において補助的製品販売を処理するための方法およびシステム」と題する本発明の親出願である特許出願第０８／９２０，１１６号の特許明細書は、ＰＯＳ端末において顧客が釣り銭と引き換えに「アップセル（upsell）」をオファーされるようなシステムを開示している。アップセルというのは、ここで定義されここで使用されるときは、買物と一緒にオファーされる製品（品物またはサービス）を意味する。アップセルの種類には、（Ｉ）第１の製品から第１の製品と違う第２の製品へのアップグレード、（ＩＩ）付加的製品、（ＩＩＩ）製品またはそれに対する値引きに対して買い戻すことのできる引換券、（ＩＶ）競争，コンテスト，宝くじまたはその他のゲームへの参加、が含まれる。例えば、＄１．７４で第１の製品を購入した顧客は、＄０．２６（顧客が＄２．００を支払ったときの釣り銭）と交換に第２の製品をオファーされるであろう。本発明の範囲および精神から外れることなく、その他多様なタイプのアップセルが利用されるであろう。
既述の親出願にも述べられているように、アップセルを決定する場合には多くの異なる基準が使用されるであろう。例えば、ＰＯＳ端末は、購入価格を計算し、その購入価格を最も近いドルへ丸めて、切り上げられた（釣り銭）額をはじき出す。次に、ＰＯＳ端末は、複数のアップセルのどれがその切り上げ額の交換物として有利であるかを決定する。
【０００８】
アップセルを決めるためにその他の方法を提供することは有利であろう。特に、在庫管理人やＰＯＳ端末オペレータのような従業員が容易に理解して調節できる、アップセルを決めるための方法および装置を提供することが有利であろう。
キャッシュ・レジスタのような販売地点（ＰＯＳ）端末は、買物（品物またはサービス）の合計価格を計算したり顧客への釣り銭の額を計算したりする処理などを実行するために、幅広いビジネスで利用されている。いくつかのＰＯＳ端末はさらに、売却された品目を追跡して、それに従って店舗の在庫データベースを調整する。
ＰＯＳ端末は、上に挙げた処理を実行することに加えて、補助的な処理を実行してもよい。補助的な処理は販売を拡大でき、それによって商取引当たりに得られる平均利益を増大することができる。１つのそのような補助的プロセスは、本発明の親出願である、１９９７年８月２６日付け出願の、「販売地点端末において補助的製品販売を処理するための方法およびシステム」と題する特許出願第０８／９２０，１１６号に述べられている。そこに述べられているのは、ＰＯＳ端末で顧客が釣り銭と交換に「アップセル」をオファーされるという補助的プロセスである。ＰＯＳ端末は、顧客の買物に依存してアップセルを決定し、さらに、その買物に基づいてアップセル価格（釣り銭の額）も決定する。例えば、＄１．７４で第１の製品を購入して＄２．００を支払う顧客は、＄０．２６の釣り銭と引き換えに第２の製品をオファーされるであろう。アップセル金額の＄０．２６は、このように購入金額＄１．７４に依存する。
別の補助的プロセスは、コンピュータで決める「助言的販売（suggestive 
sell）」である。米国特許番号第５，３５３，２１９号は、主要なカテゴリーから従来の品目価格で購入するように顧客に対して品目の助言を行うシステムについて述べている。さらに別の補助的プロセスは、本出願の親出願である、１９９７年８月２６日付け出願の、「小売り環境で定期刊行物に対する購買登録を販売するための方法およびシステム」と題する特許出願第０８／８４１，７９１号に述べられている。そこに述べられているのは、ＰＯＳ端末で定期刊行物の１つの号を購入する顧客が、その時点でその定期刊行物に対する購買登録をする機会を提供されるような補助的プロセスである。
【０００９】
このような補助的プロセスは、そのＰＯＳ端末自体の内部で単独に実行できる。例えば、キャッシュ・レジスタは、釣り銭の額を計算し、その釣り銭と交換に提供するアップセルを決定するようにプログラムされるであろう。または、補助的プロセスは、キャッシュ・レジスタと通信している装置の助けを借りて実行されるであろう。例えば、通信ネットワークを介してキャッシュ・レジスタとつながる遠隔のサーバーコンピュータが、その釣り銭と交換に提供すべきアップセルを決定してもよい。
ＰＯＳ端末で実行される補助的プロセスは、顧客の商取引が完了する速度を望ましくない程度にまで低下させるかもしれない。例えば、ＰＯＳ端末を動作させているレジ係が釣り銭と交換に顧客にアップセルを提供し、顧客がそのオファーを受けるかどうかを判断するために、数秒間を要するかもしれない。釣り銭の額と引き換えにいくつかのアップセルのうちから顧客が選ぶようにオファーすることは、顧客の商取引を完了するためにさらなる遅延を課することになり得る。
そのような遅延は、ある状況では許容されるかもしれないが、他の状況では不当に煩わしいものとなるかもしれない。例えば、昼食時やその他の昼間の時間には、ＰＯＳ端末には長い列ができるかもしれない。そのうえ、補助的プロセスを実行することで、列に並んでいる各顧客の待ち時間を増やすことは勧められることではない。しかし、補助的プロセスをなくすことは顧客の商取引の完了を速めるかもしれないが、そのような補助的プロセスから得られる追加利益を失うことになる。従って、ＰＯＳ端末での補助的プロセスの実行を制御する必要がある。
【００１０】
キャッシュ・レジスタのような販売地点（ＰＯＳ）端末は、買物（品物またはサービス）の合計金額を計算したり、顧客に払い戻すべき釣り銭の額を計算したりする処理などを実行するために、幅広いビジネス分野で使用されている。いくつかのＰＯＳ端末はさらに、行われた買物を追跡して、それに従って店舗の在庫データベースを調整する。１９９７年８月２６日付け出願の、「販売地点端末において補助的製品販売を処理するための方法およびシステム」と題する本出願の親出願である特許出願第０８／９２０，１１６号に述べられているように、ＰＯＳ端末において顧客は釣り銭と引き換えに「アップセル」をオファーされる。ＰＯＳ端末は、その顧客の買物に依存してアップセルを決定し、その買物に基づいて「アップセル価格（upsell price）」（釣り銭の額）の決定も行う。例えば、＄１．７４で第１の製品を購入して＄２．００を支払う顧客は、＄０．２６の釣り銭と引き換えに、多分魅力的な値引き価格で第２の製品をオファーされるであろう。アップセル価格＄０．２６は、このように、購入価格＄１．７４に依存する。アップセル価格は、多くの従来のように品目ごとに決まった価格に固定されていない。
上で述べた親出願に述べられているように、釣り銭と交換にアップセルをオファーすることには大きな利点がある。例えば、顧客は釣り銭を受け取ることを嫌う傾向があり、それを不要にする機会を歓迎する。さらに、顧客は魅力的な低価格での販売から満足を得る。
典型的には、会社は、提供すべきいくつかの異なるアップセルを有する。事実、任意の特別な買物に対して、いくつかの異なるアップセルを提供することが可能であろう。特別な顧客に対して実際にオファーされる特別なアップセルは、釣り銭の額，一日のうちの時間帯および購入される品目などの買物に付随する複数の基準に依存するであろう。任意の特別な顧客に対して提供することが可能なアップセルは非常に多数あるため、その顧客が受け取るであろうアップセルを決定することは困難または不可能であろう。
オファーするアップセルを選択することの困難さに加えて、ある状況ではアップセルのオファーに時間が掛かることもあろう。しかし、アップセルを提供するのに費やされる時間が、顧客にそのアップセルを受け取らせるように促すことにつながって、その結果、オファー側に利益をもたらすという保証はない。このように、オファーされるアップセルの多くが受け入れられず、その結果、時間と労力の無駄になる場合も多い。従って、アップセルをオファーすることに固有な不確定要素を排除することが有利であろう。
キャッシュ・レジスタのような販売地点（ＰＯＳ）端末は、買物（品物またはサービス）の合計金額を計算したり顧客に払い戻すべき釣り銭の額を計算したりする処理などを実行するために、幅広いビジネス分野で使用されている。さらに、ＰＯＳ端末は顧客に対してオファーを提供するためのオファリングシステムと一緒に使用されることもあろう。そのようなオファリングシステムは、販売を拡大し、それによって商取引当たりに得られる平均利益を増大させることを意図したものである。
【００１１】
オファリングシステムの１つのタイプは、１９９７年８月２６日付け出願の、「販売地点端末において補助的製品販売を処理するための方法およびシステム」と題する、本出願の親出願である特許出願第０８／９２０，１１６号に述べられている。ここに述べられるように、ＰＯＳ端末における顧客は、彼に支払うべき釣り銭の額と交換に「アップセル」をオファーされる。ＰＯＳ端末は、その顧客の買物に依存してアップセルを決定し、また、その買物に基づいてアップセル価格（釣り銭の額）も決定する。例えば、＄１．７４で第１の製品を購入して＄２．００を支払う顧客は、＄０．２６の釣り銭と引き換えに第２の製品を提供されるであろう。アップセル価格＄０．２６は、このように、購入価格＄１．７４に依存する。別のタイプのオファリングシステムは、コンピュータで決定する「助言的販売」である。米国特許第５，３５３，２１９号は、従来の価格表で品物を購入するように顧客に対して助言するシステムについて述べている。
オファリングシステムでは、顧客に対して提供できるオファーの数は多い。例えば、上述のアップセルオファーでは、特定の釣り銭額と交換に顧客に対してオファーされるアップセルには異なるものが数多く存在する。ファーストフードレストランにおける顧客へのオファーには、ソーダ，大フレンチフライまたはデザートが含まれるであろう。正確にどのアップセルを提供すべきかは、予め定められるプログラムに従ってランダムに選ぶか、マネージャやその他オペレータによって手作業で選ばれるであろう。
不幸なことに、ランダムでも手作業でも、オファーを選択してもそれが必ずしも顧客に対して提供すべき「最良」（最高のパフォーマンスを示す。）のオファーであることを保証はしない。「最良」のオファーを構成するものは、各種のオファーに対して、対応する「パフォーマンス・レート」をもたらす１または複数の基準に関して評価されるであろう。例えば、オファーの受入率は、１つのパフォーマンス・レートであり、そのオファーを評価するために使用できるであろう。それは、いくつかのオファーが他のオファーと比べて顧客に受け入れられる傾向が低いこともあろうからである。さらに、受け入れられたオファーから得られる利益も、別の１つのパフォーマンス・レートであり、そのオファーを評価するために使用されるであろう。
【００１２】
マネージャまたはその他のオペレータが「最良」のオファー（最も高いパフォーマンスレートを有するオファー）を同定することは困難または不可能であろう。マネージャは一群のオファーに関する真のパフォーマンス・レートについて知識があるとは見られない。マネージャはまた、最良のオファーを同定するために過去の傾向を分析する時間を有するとは思えない。さらに、一日のうちで異なる時間帯または曜日によっては特定のオファーが他のものよりも顧客にとってより魅力的なこともあろう。高額の宝くじ当選や好意的な雑誌記事のような予期しない事件によって、特定のオファーがより魅力的になることもあろう。そのような状況は、マネージャが最良のオファーを同定しようとする試みの妨げとなる。従って、１つの販売地点端末で提供されるオファーを制御する必要がある。
発明の概要
本発明の目的は、ＰＯＳ端末において、釣り銭の額と交換に、選ばれた製品をオファーするための方法およびシステムを提供することである。
一般に、本発明の一態様によれば、ＰＯＳ端末は、顧客の買物に関連して彼に対する釣り銭と交換するアップセルを決定する。販売地点端末は、少なくとも１つのアップセル価格および彼への釣り銭と交換に顧客へオファーする対応するアップセルのデータベースを維持していることが好ましい。このアップセルおよびアップセル価格は、釣り銭との交換によって利益が出るように、また、会社に対して利益をもたらし、そのアップセルが受け入れられれば顧客にも有益であるように、確立される。
【００１３】
顧客が１つの買物をＰＯＳ端末まで持ってくると、ＰＯＳ端末は購入価格をはじき出し、「要求される支払額」をその購入価格に等しく設定する。要求される支払額は、その顧客が支払うことを期待される金額を意味する。次に、ＰＯＳ端末は、好ましくはこの購入価格を整数へ切り上げることによって丸められた価格を計算し、そこから購入価格と丸められた価格との差に等しい切り上げ額を計算する。従って、切り上げ額は、釣り銭となる硬貨を意味する。
計算された切り上げ額をデータベース中のアップセル価格の少なくとも１つと比較することによって、ＰＯＳ端末は、切り上げ額が前記アップセル価格のどれかと対応するかどうかを決定するであろう。そうであれば、ＰＯＳ端末は、そのアップセル価格に対応するアップセルを同定し、同定されたアップセルを表示する信号を出力する。出力信号は、好ましくは、そのアップセルが指定された額の釣り銭に対して購入されてもよいことを顧客および／またはレジ係に対して説明する、テキストまたはグラフィックスを表示する。
その顧客がそのアップセルを受け入れれば、レジ係はＰＯＳ端末上の選択ボタンを押すことによってそのように表示する。次に、その顧客が支払うように要求される支払額は、購入価格ではなくて、切り上げ額に等しく設定される。このように、顧客は、彼に支払われるはずの硬貨と引き換えにアップセルを受け取り、顧客とＰＯＳ端末との間で硬貨の交換は必要ない。
（好適実施例の詳細な説明）
【００１４】
本発明は、顧客が２つの商取引レシートを待つ必要がなく、また、宝くじ券ではない別の買物をするために別の精算端末の場所へ行く必要がない、小売りＰＯＳ端末において宝くじ券取引を実行するためのシステムを指向している。ＰＯＳ端末でパンまたはミルクをレジで精算するのに要するのとほぼ同程度の時間で、顧客は「クイック・ピック」宝くじ券を購入することができる。この一箇所でのショッピングは、宝くじ券の販売を容易にし、顧客が次の場所へ向かうのを速める。さらに、本発明は、顧客が分割式宝くじ券を購入することを可能とし、それによって宝くじ券の販売はさらに促進される。特に、顧客がその他の商取引を行う場合には、釣り銭を受け取る代わりに、彼は分割式宝くじ券（釣り銭の額と同等の）を要求することができる。従って、本発明は、消費者に対して、宝くじ券を購入するための便利で効率的なシステムを提供する。
「クイック・ピック」という用語は、宝くじ番号が宝くじシステムによって顧客に対してランダムに生成される宝くじ券を指す。
【００１５】
分割宝くじ券は、宝くじ券全体の価格に対するその券に支払った割合に応じて当たり賞品の一部分だけを顧客が受け取る宝くじ券である。例えば、顧客が５８セントを分割式宝くじ券に対して支払って、その宝くじ券全体の価格が１ドルであったとすると、その顧客は、その券が当たりのときは、賞品の５８パーセントを受け取るということになる。ここで使用されているように、「宝くじ券」という用語またはそれの等価物には、分割式宝くじが含まれる。
図１は、本発明の好適実施例の全体的なシステムブロック図を示している。この実施例では、ＰＯＳコントローラ２０は、ＰＯＳネットワーク４０を介して少なくとも１つのＰＯＳ端末３０にリンクされている。４個のＰＯＳ端末３０が図１には示されているが、任意の個数のＰＯＳ端末３０を使用することができる。ＰＯＳネットワーク４０は、固定配線されたネットワークである必要はなく、以下で説明するように、データ通信の送受信に適した任意の多様な手段を含むことができる。宝くじ券取引は、ＰＯＳ端末３０の任意のものから起こすことができる。宝くじ券取引を開始するために必要とされる情報は、ＰＯＳネットワーク４０を介してＰＯＳ端末３０とＰＯＳコントローラ２０との間で送られる。ＰＯＳ端末３０とＰＯＳコントローラ２０との間ではその他のタイプの情報を送ることも可能であることが理解される。例えば、商品価格，クーポン割引および特売情報をＰＯＳ端末３０とＰＯＳコントローラ２０との間で送ることもできる。
図１に示されるように、ＰＯＳコントローラ２０はまた、以下で詳細に説明するように、データネットワーク５０を介して宝くじデータ処理システム６０にリンクされている。データネットワーク５０は、データ通信を行うことのできる多様なネットワークの１つまたは複数のものでよい。例えば、データネットワーク５０は、公衆電話ネットワーク７６（ＰＳＴＮ），統合サービスデジタルネットワーク（ＩＳＤＮ），パケット交換ネットワーク，私的データ通信ネットワーク，無線ネットワークまたは任意のその他の適当なネットワークでよい。
図１に示されているＰＯＳ端末３０およびＰＯＳコントローラ２０は、本発明を実施するために特に設けられたハードウエア中に組み込まれるであろう。または、それらを既存のキャッシュ・レジスタおよび中央店内サーバーを用いて実現することもできる。特に、多くの小売り店舗は、売買価格およびその他の売買情報を受信および送信するための店舗内商取引プロセッサにつながれた、コンピュータ化されたキャッシュ・レジスタを有する。これらのシステムのハードウエアが本発明の目的に使用されるであろう。本発明を実施するために、既存の店舗内商取引プロセッサまたは店舗ネットワークサーバーへの変更が、例えば既存の店舗内商取引プロセッサを再プログラミングすることや付加的なファイルサーバーを追加することなど多様な方法で実行されるであろう。
【００１６】
図２は、ＰＯＳコントローラ２０のブロック図である。ＰＯＳコントローラ２０は、処理機能を実行するＣＰＵ２１を含む。ＰＯＳコントローラ２０はまた、読出し専用メモリ２２（ＲＯＭ）およびランダムアクセスメモリ２３（ＲＡＭ）を含む。ＲＯＭ２２は、オペレーティングシステムや基本入出力システム（ＢＩＯＳ）の一部のようなＣＰＵ２１によって実行されるべきプログラム命令の少なくともいくつかを記憶するために用いられ、また、ＲＡＭ２３は、データの一時的な記憶のために使用される。クロック回路２４は、ＣＰＵ２１によって必要とされるクロック信号を供給する。
ＰＯＳコントローラ２０はまた、データネットワーク・インタフェース７１およびＰＯＳネットワーク・インタフェース７２に接続された通信ポート２５を含む。通信ポート２５は、ＣＰＵ２１がＰＯＳコントローラ２０の外部の装置と通信するのを許可する。特に、通信ポート２５は、ＰＯＳ端末３０との通信を許容し、また、宝くじデータ処理システム６０との通信を許容する。宝くじデータ処理システム６０との通信を確立するためのモデム（不図示）および専用電話回線が好ましいが、ＩＳＤＮネットワークとのインタフェースとなるＩＳＤＮ端末，無線通信インタフェースおよびインターネット・インタフェースを含むその他のデータネットワーク・インタフェースも同様に使用できる。ＣＰＵ２１はまた、データ記憶装置２６に情報を記憶したりデータ記憶装置２６から情報を読み出すことができる。データ記憶装置２６は、ローカル宝くじ券データベース２６ａと、店舗が従来に維持するローカル販売データベース２６ｂを含む他のデータベースとを含む。ローカル宝くじ券データベース２６ａについては、以下に説明する。さらに、データ記憶装置２６は、ＣＰＵ２１によって読み出され実行されるべき命令を含み、それによって、ＣＰＵ２１が商取引を処理することを許可する。図２は分離したデータベースを示しているが、両方の機能を含む単一のデータベースを使用することもできる。その他の目的のために必要とされるその他多様な情報を記憶するために必要とされる付加的なデータベースを加えることもできる。
図５は、ローカル宝くじ券データベース２６ａに記憶される情報および好適レイアウトを示す図的表現である。ローカル宝くじ券データベース２６ａは、日付フィールドＦ１と、販売レシート番号フィールドＦ２と、購入された券枚数フィールドＦ３と、販売額フィールドＦ４と、宝くじ券番号フィールドＦ５とを含む。分割式宝くじ券の場合には、販売額フィールドＦ４は、顧客によって購入された宝くじ券の割合値（例えば、６８セント）を含むであろう。
【００１７】
３つの宝くじ券取引に対して３つの記録Ｒ１しか図５には示されていないが、任意の数の記録を記憶させることができるであろう。データ記憶装置２６上の記憶スペースを確保するために、記録は、ある所定の時間後にまたは所定の事象の後に（例えば、当たりくじ券番号が引かれた後に）、別の記憶装置に転送されるか削除されるであろう。
図３は、好適なＰＯＳ端末３０のブロック図であって、それは、スーパーマーケット，雑貨店，酒屋またはその他の任意の消費者取引が実行される場所に設置することができる。上で述べたように、１つのＰＯＳコントローラ２０には任意の数のＰＯＳ端末３０をリンクすることができる。ＰＯＳ端末３０は、ＣＰＵ３１と、ＲＯＭ３２と、ＲＡＭ３３と、クロック回路３４と、通信ポート３５と、データ記憶装置３６とを含む。通信ポート３５は、ＰＯＳ端末３０とＰＯＳコントローラ２０との間で通信を促進するＰＯＳネットワーク４０とインタフェースする。
ＰＯＳ端末３０は、オペレータからの入力を受信するための入力装置３７を含む。多様な入力装置のうちの任意の１つがこの目的に適うことができる。それらには、例えば、押下げ駆動のボタン，キー，メンブレン，マウス，タッチスクリーン，バーコード・スキャナー等が含まれる。図３に示すように、入力装置３７はＣＰＵ３１と直接インタフェースすることができる。または、適当なインタフェース回路をＣＰＵ３１と入力装置３７との間に配置してもよい。
ＰＯＳ端末３０はまた、オペレータ，顧客または両者に対して情報を伝えるための表示装置３８を含む。この目的のために、任意のまたは多様な表示デバイスが適している。それらには、例えば、ＣＲＴ，ＬＣＤ，ＬＥＤまたは薄膜トランジスタ・パネルが含まれる。
【００１８】
ＰＯＳ端末３０はまた、商取引プロセッサ命令が記憶されるデータ記憶装置３６を含む。これらの命令は、ＣＰＵ３１によって読み出されて実行され、ＰＯＳ端末３０が多様な商取引タイプを処理することを許可する。一例として、それらの商取引タイプには、「クイック・ピック」宝くじ券と、「クイック・ピック」券以外の宝くじ券と、商取引とが含まれる。
ＰＯＳ端末３０はさらに、ＰＯＳ端末３０によって実行される商取引を記録するためのプリンタ３９を含む。プリンタ３９は、図３に示されるように、ＣＰＵ３１と直接インタフェースしてもよい。または、適当なインタフェース回路をＣＰＵ３１とプリンタ３９との間に配置してもよい。
特別な施設の要求に依存して、ＰＯＳコントローラ２０とＰＯＳ端末３０とのその他の組合せを採用できることが理解されるであろう。特に、ＰＯＳ端末３０はＰＯＳコントローラ２０の特徴のいくつかを含むこともでき、その結果、集積されたＰＯＳ端末／コントローラはスタンド・アローン・ユニットとして機能することができる。このタイプの端末は、単一のＰＯＳ端末だけを要求する施設に有利であろう。
図４には、宝くじデータ処理システム６０のブロック図が示されている。上で説明したＰＯＳコントローラ２０と同じように、宝くじデータ処理システム６０は、ＣＰＵ６１と、ＲＯＭ６２と、ＲＡＭ６３と、クロック回路６４と、通信ポート６５とを含む。通信ポート６５は、データネットワーク・インタフェース７１に接続されている。図示されたデータネットワーク・インタフェース７１は、図２のデータネットワーク・インタフェースと等価である。１つのＰＯＳコントローラ２０が図１には示されているが、データネットワーク５０およびデータネットワーク・インタフェース７１を介して宝くじデータ処理システム６０に任意の数のＰＯＳコントローラ２０をリンクすることができる。
図４に示されるように、通信ポート６５はＩＶＲＵインタフェース７４にも接続されている。図１に示されるように、顧客支援ＩＶＲＵ７５は、ＩＶＲＵインタフェース７４を介して宝くじデータ処理システム６０にリンクされている。顧客支援ＩＶＲＵ７５は、ＰＳＴＮ７６および公衆電話ネットワークにも接続されている。顧客支援ＩＶＲＵ７５は、呼出し人（不図示）が電話（不図示）を使用して宝くじデータ処理システム６０と通信することを許容する。音声命令プロンプトが、各種メニュー・オプションを介して呼出し人を案内して、呼出し人に特定の宝くじ券取引に関するデータを入力および抽出させる。このプロセスは、以下に、より詳細に説明する。
【００１９】
ＣＰＵ６１は、データ記憶装置６８に情報を記憶したりデータ記憶装置６８から情報を読み出すこともできる。データ記憶装置６８は、宝くじ券データベース６８ａと、ＰＯＳコントローラ・データベース６８ｂと、当たりくじ券番号データベース６８ｃとを含むが、これらについては以下に説明する。さらに、データ記憶装置６８は、ＣＰＵ６１によって読み出され実行される命令を含んでおり、それによって、ＣＰＵ６１が宝くじ取引を処理するのを可能にする。図４は分離したデータベースを示しているが、データベース６８ａ，６８ｂ，６８ｃのすべての機能を含む単一のデータベースを使用することもできる。宝くじシステムを維持し経営するのに有用なその他の多様な情報を記憶するために必要とされる付加的なデータベースを追加してもよい。
宝くじデータ処理システム６０は、乱数発生器６６および暗号プロセッサ６７をも含む。ＣＰＵ６１によって要求されるときには、乱数発生器６６は、「クイック・ピック」宝くじ券取引で使用されるランダムな「クイック・ピック」番号を発生する。暗号プロセッサ６７は、以下でより詳細に説明するように、ＣＰＵ６１によって生成される認証コードを暗号化するために使用される。この暗号化された認証コードは、特別な宝くじ取引とそれを関連付けるＣＰＵ６１に渡される。暗号プロセッサ６７は、ＣＰＵ６１によってそれに渡される暗号化された認証コードを解読するためにも使用される。
図示された実施例は乱数発生器６６および暗号プロセッサ６７を宝くじ処理システム６０内の別々の要素として示しているが、それらの機能を実行するその他の方法を使用することもできることが理解されるべきである。例えば、それらの機能は、データ記憶装置６８に記憶されるコンピュータプログラム中に組み込まれて、ＣＰＵ６１によって実行されてもよい。
【００２０】
図６は、宝くじ券データベース６８ａに記憶される情報の図的表現である。宝くじ券データベース６８ａは、ＰＯＳコントローラＩＤ番号フィールドＦ６と、日付フィールドＦ７と、購入された券枚数フィールドＦ８と、販売レシート番号フィールドＦ９と、販売額フィールドＦ１０と、宝くじ券番号フィールドＦ１１と、暗号コードフィールドＦ１２とを含む。分割式宝くじ券の場合には、販売額フィールドＦ１０は、顧客によって購入された宝くじ券の分割値（例えば、６８セント）を含むであろう。ＰＯＳコントローラＩＤ番号フィールドＦ６は、宝くじデータ処理システム６０と通信する各ＰＯＳコントローラ２０に対応する特有のコードである。販売レシート番号フィールドＦ９は、ＰＯＳ端末３０によって生成される各レシートに関する通し番号を記憶する。暗号コードフィールドＦ１２は、以下で詳細に議論するように、暗号化された認証コードを記憶する。
ＩＤ番号２３４５６を持つ１台のＰＯＳコントローラに対する記録Ｒ２が図６には示されているが、任意の個数の記録を記憶することができる。データ記憶装置２６についても同じであるが、データ記憶装置６８内に記憶スペースを確保するために、しばしば記録が別の記憶装置に転送されたり削除されたりする。当たりくじ券番号データベース６８ｃは、宝くじデータ処理システムが従来維持するその他のデータベースの１つである。
図７は、ＰＯＳコントローラ・データベース６８ｂに記憶される情報を示す図的表現である。ＰＯＳコントローラ・データベース６８ｂは、ＰＯＳコントローラＩＤ番号フィールドＦ１３と、ＰＯＳコントローラ名フィールドＦ１４と、ＰＯＳコントローラ場所フィールドＦ１５と、電話番号フィールドＦ１６とを含む。ＰＯＳコントローラ名フィールドＦ１４は、ＰＯＳコントローラ２０が位置する店舗または施設の名前を記憶する。ＰＯＳコントローラ場所フィールドＦ１５は、ＰＯＳコントローラ２０が位置する場所のアドレスを記憶する。電話番号フィールドＦ１６は、各ＰＯＳコントローラ２０に関連する電話番号を記憶する。１つのＰＯＳコントローラ場所に対する記録Ｒ３が図７には示されているが、任意の個数の記録を記憶してもよい。
上述のデータベース内のいくつかのフィールドが同じ対応する情報（例えば、宝くじ券データベース６８ＡのＰＯＳコントローラＩＤ番号フィールドＦ６がＰＯＳコントローラ・データベース６８ＢのフィールドＦ１３に対応する。）を含むであろうことが理解されるべきである。
【００２１】
図８は、顧客の視点から見た、ＰＯＳ端末３０において実行される宝くじ券取引プロセスの例を示すフローチャートである。このプロセスは、ステップＳ１において、顧客が、彼または彼女が１または複数の「クイック・ピック」宝くじ券を購入したいことをＰＯＳ端末オペレータに表示するときから開始される。もちろん、「クイック・ピック」宝くじ券は、全宝くじ券でも分割宝くじ券でもよい。顧客は、この決断を行って、スタンド・アローン商取引として宝くじ券を購入してもよいし、ミルクやパンといった他の商品を購入しながら宝くじ券を購入してもよい。ステップＳ２では、ＰＯＳ端末オペレータは、ＰＯＳ端末３０に付属する入力装置３７上の予めプログラムされた指示を作動させることによって宝くじ取引を開始する。次に、顧客は、ステップＳ３において、欲しい「クイック・ピック」宝くじ券の枚数をＰＯＳオペレータによって促される。
「クイック・ピック」宝くじ券の枚数は、分割式宝くじ券を含んでもよい。これは、商取引で釣り銭として掌いっぱいの硬貨を受け取りたくない顧客には都合がよい。例えば、商取引からの釣り銭として６８セントを受け取る顧客は、＄１券の６８％の価値があり、また、＄１の払い戻しについて６８パーセントを払い戻す６８セント分の宝くじ券を買うことを選ぶことができる。または、顧客は、６８セントで、＄２券の３４％の価値を買うことができる。分割価値宝くじ券と一緒に、顧客は、もちろん、全価値宝くじ券を購入してもよい。
代替実施例では，顧客は、プレイする宝くじゲームの種類や顧客によって選ばれる特別な宝くじ番号のような付加的な宝くじ券情報も勧められるかもしれない。例えば、特別な宝くじシステムは、３，４および６の数の組合せに基づく宝くじゲームを提供するかもしれない。顧客は、プレイする宝くじ番号を個人的に選択してもよい。
ステップＳ４では、ＰＯＳ端末オペレータは、顧客によって要求された宝くじ券の枚数を入力装置３７を介してＰＯＳ端末３０に入力する。顧客は、ステップＳ５において、その宝くじ券およびそのときにした任意のその他の買物に対する支払いをする。ステップＳ６では、ＰＯＳ端末は、その宝くじ券情報と任意のその他の商品販売情報とを含む単一のレシートを印刷する。
【００２２】
本発明の一実施例による店舗販売レシート８０の一例が図９に示されている。店舗販売レシート８０は、宝くじ券に関係のない商品情報８１を含む。一番下の部分は、複数の宝くじ番号８２と店舗ＩＤ番号８３とレシート番号８４と日付８５と時刻８６と価格８９と宝くじ電話番号８７と暗号化認証コード８８とを含む宝くじ券情報を含んでいる。分割式宝くじ券の場合には、店舗販売レシート８０は、購入された全価格宝くじ券の割合の表示（例えば、図９に示されているように、券４に対して＄０．６８が支払われた。）を含む。
図１０は、ＰＯＳコントローラ２０の動作例のフローチャートである。図１０に示されるプロセス工程は、コンピュータが読み出せる媒体からＰＯＳコントローラ２０にインストールされたのちにＲＯＭ２２，ＲＡＭ２３およびデータ記憶装置２６（図２に示される）のうちの１または複数に記憶されたコンピュータプログラムで実行される。ＰＯＳコントローラ２０は、ステップＳ７において、この例ではＰＯＳ端末３０から顧客によって要求された「クイック・ピック」宝くじ券の枚数を含む宝くじ券取引要求を受け取る。ＰＯＳコントローラ２０は、データネットワーク５０を介して宝くじデータ処理システム６０との間に実時間通信リンクを確立する間、この情報をＲＡＭ２３に一時的に記憶する。
図１には１つの宝くじデータ処理システム６０が示されているが、付加的な宝くじデータ処理システムを二次的またはバックアップ宝くじデータ処理システムとして利用してもよい。従って、ＰＯＳコントローラ２０が主宝くじデータ処理システムとの間に通信を確立することに失敗したときは、二次的宝くじデータ処理システムに対して通信が試みられる。
一旦実時間通信リンクが確立されると、ＰＯＳコントローラ２０は、ステップＳ８において、要求された「クイック・ピック」宝くじ券の枚数を宝くじデータ処理システム６０に送信する。ＰＯＳコントローラ２０は、それのＰＯＳコントローラ識別番号（例えば、図７ではＦ１）も送信する。ステップＳ９では、ＰＯＳコントローラ２０は、１または複数群の宝くじ番号（要求された宝くじ券の枚数に対応する）と付随の暗号化認証コードとを宝くじデータ処理システム６０から受信する。ステップＳ１０において、新しい記録（例えば、図５ではＲ１）がローカル宝くじ券データベース（図２の２６ａ）に生成される。ステップＳ１１では、ＰＯＳコントローラ２０は、宝くじデータ処理システムから受信された日付，レシート番号，時刻および宝くじ番号（図５に示されるように、Ｆ１〜Ｆ５）をこの新しく生成された記録に記憶する。次に、ＰＯＳコントローラ２０は、ステップＳ１２において、宝くじ取引要求を開始したＰＯＳ端末３０に宝くじ券情報（すなわち、宝くじ番号および暗号化認証コード）を送信する。
【００２３】
上述したステップＳ７〜Ｓ１２の各々は、データ記憶装置２６に記憶されたコンピュータプログラム命令を実行しているＣＰＵ２１によって実行される。ＰＯＳ端末３０との通信は、通信ポート２５およびＰＯＳネットワーク・インタフェース７２を介して行われる。宝くじデータ処理システム６０との通信は、通信ポート２５およびデータネットワーク・インタフェース７１を介して行われる。
代替実施例では、ＰＯＳコントローラ２０は、非「クイック・ピック」宝くじ券取引も取り扱う。顧客が選んだ宝くじ番号は、ＰＯＳ端末３０におけるマーク検出スリップまたはコード化伝票を介して顧客から受信されて、以下で説明するように処理のために宝くじデータ処理システム６０に送信される。
図１１は、宝くじデータ処理システム６０の動作のフローチャートである。このプロセスの工程は、この場合にはデータ記憶装置６８（図４に示される）であるコンピュータ読取り可能媒体上に記憶される。宝くじ券取引要求およびＰＯＳコントローラ識別番号をＰＯＳコントローラ２０から受け取ると、宝くじデータ処理システム６０は、ステップＳ１３において、ＰＯＳコントローラ・データベース６８ｂ（図４および図７に示されている）にアクセスする。宝くじデータ処理システム６０は、ステップＳ１４に示されるように、ＰＯＳコントローラ・データベース６８ｂを検索し、ＰＯＳコントローラ識別番号を認証する。ステップＳ１５では、宝くじ券データベース６８ａ（図４および図６に示されている）がアクセスされ、新しい宝くじ取引エントリーが適当なＰＯＳコントローラ記録（例えば、図６のＲ２）に追加される。
ステップＳ１６では、宝くじデータ処理システム６０は、乱数発生器６６（図４に示されている）を用いて１または複数群のランダムな「クイック・ピック」宝くじ番号を発生する。これらのランダムな「クイック・ピック」宝くじ番号はクイック・ピック宝くじ券用として使用される。次に、ステップＳ１５で追加された宝くじ取引エントリーが、ステップＳ１６において、それらのランダムな「クイック・ピック」宝くじ番号を記録中の指定されたフィールドに記憶することによって更新される。
【００２４】
宝くじデータ処理システム６０はまた、ステップＳ１７において、特別な宝くじ取引の変数に基づいて認証コードを発生する。この認証コードは、宝くじ券データベース６８ａ中の１つの記録の全データを含む数字列である。図６に示された第１のエントリーに対応するそのようなコードの一例Ｒ２は、次のようになっている。
23456/011597004/3343004/011020112131
この例で、２３４５６はＰＯＳコントローラＩＤ番号を表し、０１１５９７は日付を表し、００４は購入された券の枚数を表し、３３４３は販売レシート番号を表し、００４は販売額を表し、０１１０２０１１２１３１は宝くじ券番号を表す。
暗号化認証コードの使用は好適実施例であるが、その代わりに店舗販売レシート番号を各商取引に関する日付と一緒に使用してもよいことも理解されるべきである。その場合には、販売レシート番号および日付が宝くじ券データベース６８ａへのポインタとして使用されるであろう。このポインタは、必要に応じて宝くじ券情報を抽出および照合するために使用されるであろう。
ステップＳ１８では、暗号プロセッサ６７（図４に示されている）を用いて、認証コードが暗号化されて一意的な数字コードが生成される。次に、ステップＳ１５で追加された宝くじ取引エントリーが、暗号化された認証コードを記録中の適当なフィールドに記憶することによって再び更新される（図６参照）。暗号プロセッサおよび暗号化アルゴリズムの使用は暗号技術の当業者には良く知られている。参考のために、この技術の通常の方法の１つとして、ブルース・シュネイアー（Bruce  Schneier）著，「応用暗号、プロトコル、アルゴリズムおよびソースコード」（１９９６年，ジョン・ワイリー＆ソンズ社，第２版）を引用する。
次に、宝くじデータ処理システム６０は、ステップＳ１９で、その宝くじ券取引を開始したＰＯＳコントローラ２０に宝くじ券番号および暗号化認証コードを送信する。
この認証コードは、宝くじ券の購入に関する追加されたレベルの安全性および保護を提供する。宝くじデータ処理システム６０内のデータベースが破壊されても、店舗レシート宝くじ券に印刷されたすべての情報は、その認証コードを解読できる任意のその他の装置によって照合できる。
【００２５】
上述したステップＳ１３〜Ｓ１９の各々はＣＰＵ６１によって実行される。ＣＰＵ６１は、データベース記憶装置６８に記憶されたコンピュータプログラム命令を実行することによってこれらのステップを実行する。ＰＯＳコントローラ２０との通信は、通信ポート６５およびデータネットワーク・インタフェース７１を介して行われる。
代替実施例では、ＰＯＳコントローラ２０から宝くじデータ処理システム６０に付加的情報を送信することもできる。これは、上述したように、宝くじデータ処理システム６０によって生成されるランダムな「クイック・ピック」宝くじ番号の代わりに、顧客が選んだ宝くじ番号を含むことができる。この場合には、宝くじデータ処理システム６０は、顧客が選んだ宝くじ番号を宝くじ券データベース６８ａに記憶することになろう。それに従って、顧客が選んだ宝くじ番号に基づいて、暗号化認証コードが生成されるであろう。その後、宝くじデータ処理システム６０は、暗号化認証コードと宝くじ取引を完了させるための許可とをＰＯＳコントローラ２０に送信するであろう。
図１２は、電話認証プロセスを示すフローチャートである。このプロセスは、顧客がステップＳ２０において図９に示されるように販売レシート８０上に印刷された電話番号８７をダイヤルするときに、開始する。電話番号８７をダイヤルすることによって、顧客は、図１に示されるように、顧客支援ＩＶＲＵ７５に接続されている。このユニットは、ステップＳ２１において、電話のキーを使用して販売レシート８０上に印刷された暗号化認証コード８８を入力するように、予め録音された音声メッセージを介して顧客に促す。ステップＳ２２で、顧客支援ＩＶＴＵ７５は、図４に示されるように、ＩＶＲＵインタフェース７４を介して宝くじデータ処理システム６０にこの情報を通信する。
ステップＳ２３において、宝くじデータ処理システム６０は、宝くじ券データベース６８ａの暗号化コード・フィールドＦ１２を検索して、ＩＶＲＵ７５から与えられた情報と一致するエントリーを見つけようとする。一致が見つからなければ、宝くじデータ処理システム６０は、顧客によって提供されたその暗号化認証コードが有効でないことをＩＶＲＵ７５に通信する。次に、ＩＶＲＵ７５は、その暗号化認証コードを再入力するように顧客に促す。有効なコードを正しく入力しようとする試みが失敗した回数が所定の回数になると、その呼はステップＳ２４に示されるように切断される。
【００２６】
一致するエントリーが見つかれば、宝くじデータ処理システム６０はその暗号化コードを解読する。次に、解読された情報は、ステップＳ２５で顧客支援ＩＶＲＵ７５に送られる。この情報に基づいて、顧客支援ＩＶＲＵ７５は顧客に音声メッセージを送信して、すべての解読された情報（すなわち、宝くじ券番号，購入の時刻および購入日付など）を提供する。顧客支援ＩＶＲＵ７５は、そこに記憶された予め録音された音声メッセージを組み合わせることによって音声メッセージを生成する。
当たり宝くじ券は、ＰＯＳ端末３０の１つまたは任意の従来の宝くじ端末で払い戻される。当たり宝くじ券をＰＯＳ端末３０の１つで払い戻すために、ＰＯＳ端末オペレータは、ＰＯＳ端末３０に付属する入力装置３７を介して予めプログラムされた入力指定を作動させることによって宝くじ券認証プロセスを開始する。  次に、ＰＯＳオペレータは、宝くじ券上に刻印された暗号化認証コードを入力装置３７を介してＰＯＳ端末３０に入力する。この情報は、ＰＯＳコントローラ２０を介して宝くじデータ処理システム６０に送信される。宝くじデータ処理システム６０は、この情報を解読し、宝くじ券データベース６８ａおよび当たり宝くじ券番号データベース６８ｂにアクセスする。次に、宝くじデータ処理システム６０は、各データベースに含まれている情報に基づいて、その宝くじ券が当たり宝くじ券であるかどうかを判定する。
次に、この判定は、（必要とされるその他の情報と一緒に）ＰＯＳコントローラ２０を介してＰＯＳ端末３０に送り返される。この通信に含まれるであろうその他のタイプの情報は、例えば、当たりの賞品額，分割賞品額および大当たりの当たり券があったかどうかである。
【００２７】
代替実施例では、宝くじ券取引のために使用されるランダムな「クイック・ピック」宝くじ番号は、ＰＯＳコントローラ２０によって生成されてもよい。次に、それらの宝くじ番号は、上述したように、宝くじデータ処理システム２０に送信されるであろう。
このように、店舗内の販売地点で宝くじ券を販売するための新規で改良されたシステムおよび方法が提供される。本発明は、宝くじ券を販売するために、従来の商品および／またはサービスの店舗販売を処理するために設けられているのと同じ機器を使用する。
販売機器を二重の用途に使用できることは、本発明を商店主のためにコスト効率の高いものとする。提供されるシステムおよび方法は、宝くじ券の迅速かつ効率的な購入を可能とする一方で、その他の商品の日常的な購入を行うことができるため、販売地点の精算列の規則的な流れを遅らせずに、宝くじ券の衝動的な購入を促進する。さらに、本発明は、さもなければ顧客の釣り銭であったもので以て迅速かつ効率的な分割式宝くじ券の販売を可能とし、これによっても、衝動的な購入を促進して、宝くじ券の市場を拡大する。
本発明は、商品／サービスの販売および宝くじ券情報の両方を含む、容易に印刷できまた読み出すのも容易な販売レシートが印刷されるようになったシステムおよび方法を提供する。券は認証情報を含む。認証情報は、少なくとも１つの認証コードと顧客サービスの電話番号とを含む。顧客は、認証情報を使用して、彼の宝くじ番号を宝くじ当局に確認することができる。
以上のように特定の実施例について本発明を説明してきたが、本発明がここに開示した実施例に限定されたり制限されたりするものではないことが理解されるべきである。逆に、本発明は、添付した請求の範囲の精神および範囲に含まれるすべての方法，構造およびそれの修正を包含することを意図している。
ここで使用されるように、「アップセル」は、購入と一緒にオファーされる製品（商品またはサービス）であって、所定のアップセル価格にほぼ等しい価値を有する。ここに詳細に説明するアップセルのタイプは、（Ｉ）第１の製品からこれとは異なる第２の製品へのアップグレードと、（ＩＩ）付加的な製品と、（ＩＩＩ）製品またはそれの値引きに対して払い戻しできる引換券と、（ＩＶ）競争，コンテスト，宝くじまたはその他のゲームへのエントリーとを含む。本発明の範囲および精神から外れることなしに、各種のその他のタイプのアップセルを使用することができる。
【００２８】
顧客の釣り銭と交換にアップセルを提供することによって、平均約５０セントの付加的な収入がアップセル毎に集められ、交換される硬貨の数が減少または無くなる。釣り銭の支払いおよび受け取りが減少または無くなることは、顧客がＰＯＳ端末で過ごす時間を大幅に短縮する。いくつかの場合には、ＰＯＳ端末を操作するレジ係が必要であるとしても人数を減らすことを可能にする。さらに、顧客は、買物のあとで付加的な釣り銭を持ち運ぶ必要が減るか無くなることで、その取引からより大きな価値が得られることを知ることになるであろう。
さらに、本発明は、古くなったり人気のなくなった製品を釣り銭と交換に提供することで、会社がそれらの製品をより効率的に販売することを可能にする。そのような製品、例えば、古くなった雑誌，音楽テープ、コンパクトディスク，花およびいろんな人気の無くなったものを販売することができるので、付加的な収入を発生し、さもなければそれら製品を廃棄するために必要なコストを減らす。顧客に対して古くなった製品を効率的に提供することは、会社が「予め選ばれた」顧客に製品の値引きを受けられるようにすることを可能とする。
図１３Ａを参照すると、ＰＯＳ端末１０１０は、入力装置１０１４，プリンタ１０１６および表示装置１０１８の各々に接続されたＰＯＳプロセッサ１０１２を含む。ＰＯＳプロセッサ１０１２は、インテル８０３８６マイクロプロセッサのような少なくとも１個のマイクロプロセッサ１０２０を含んでおり、それは、ＲＡＭ，フロッピーディスク，ハードディスクおよびそれらの組合せなどの記憶装置１０２２に接続されている。
マイクロプロセッサ１０２０および記憶装置１０２２はそれぞれ、（Ｉ）キャッシュ・レジスタ，自動販売機または同様な容器の内部に完全に位置するか、（ＩＩ）シリアルポートケーブル，電話線または無線トランシーバーなどの遠隔通信リンクによってそれに接続されるか、（ＩＩＩ）それらの組合せのようになっている。例えば、ＰＯＳプロセッサ１０１２は、データベースを維持するための遠隔サーバーコンピュータに接続された１または複数のキャッシュ・レジスタ、または、ローカル・コンピュータに接続された自動販売機を含むことができる。本開示に照らして、多くのタイプの従来のキャッシュ・レジスタおよびその他のタイプのＰＯＳ端末が本発明を実施するために使用されるであろう。そのような端末は、ソフトウエアのアップグレードのみを必要とする。それは、典型的には、不当な努力なしに実行される。
【００２９】
図１３Ｂは、ＰＯＳ端末１０１０の別の実施例を示し、そこでは、第１の装置１０３２が遠隔通信リンク１０３６を介して第２の装置１０３４と通信する。キャッシュ・レジスタでよい第１の装置１０３２は、入力装置１０４と、表示装置１０１８と、図１３Ａのマイクロプロセッサ１０２０の機能のいくつかを実行するマイクロプロセッサ１０３７とを含む。第２の装置１０３４は、例えば、電子マーケットサービスまたはクレジットカード手形交換所によって運営される処理システムでよい。第２の装置１０３４は、記憶装置１０２２と、プリンタ１０１６と、図１３Ａのマイクロプロセッサ１０２０の機能のいくつかを実行するマイクロプロセッサ１０３８とを含む。
再び図１３Ａを参照すると、入力装置１０１４は、好ましくは、買物を表示する信号などの入力信号をマイクロプロセッサ１０２０に送信するためのキーパッドである。プリンタ１０１６は、ロール紙またはその他の材料の一部分上に標印を登録し、それによって、マイクロプロセッサ１０２０によって命令されるままにレシート，クーポンおよび引換券を印刷するためのものである。表示装置１０１８は、好ましくは、少なくともアルファベット数字文字を顧客および／またはレジ係に表示するビデオモニターである。多くのタイプの入力装置，プリンタおよび表示装置が当業者に既知であり、従って、ここに詳細に説明する必要はない。
記憶装置１０２２は、本発明に従って、特に以下で詳細に説明するプロセスに従ってマイクロプロセッサ１０２０を制御するためのＰＯＳプログラム１０２４を記憶する。ＰＯＳプログラム１０２４はまた、入力装置１０１４，プリンタ１０１６および表示装置１０１８の各々とのインタフェースとなる「デバイスドライバ」のような必要なプログラム要素を含む。適当なデバイスドライバおよびその他の必要なプログラム要素は、当業者に既知であり、ここに詳細に述べる必要はない。
【００３０】
記憶装置１０２２はまた、顧客に提供される製品と交換に支払うことが期待される金額である要求された支払額１０２６を記憶する。要求された支払額１０２６から、マイクロプロセッサ１０２０は、例えば、釣り銭と、その日の終わりにＰＯＳ端末１０１０によって集められているはずの金額の合計とを決定する。当業者は、要求された支払額が、単一の記憶された値、または、それぞれが１または複数の製品に対して支払うことが期待される金額に対応する複数の値を含むであろうことに気づくであろう。
記憶装置１０２２はさらに、製品および対応する製品価格を含む在庫価格データベース１０２８を記憶する。在庫価格データベース１０２８は、マイクロプロセッサ１０２０が１または複数の製品の合計購入価格を計算することを可能とし、それによって、要求された支払額１０２６に合計の購入価格を記憶することを可能とする。
記憶装置１０２２に記憶されたアップセル・データベース１０３０は、アップセルおよび対応するアップセル価格を含む。ここに用いられるアップセル価格は、１つの価格，価格の組または価格の範囲であって、その価格で対応するアップセルを販売することが好ましいものである。アップセル価格は、典型的には、会社に対するアップセルのコストに関連するのが普通である。例えば、小ソーダに関するレストランへのコストが２０¢であれば、１つの付加的な小ソーダのアップセル価格は２０¢よりも大きい範囲にあり、例えば、２０¢から３０¢の範囲にある。別の例としては、大ソーダのレストランへのコストが２２¢であれば、小ソーダから大ソーダへのアップセルのコストはレストランにとってコスト増加２２¢−２０¢＝２¢である。従って、アップセル価格は、多分、下限が２¢の範囲ということになろう。
さらに、アップセル価格が所定の額よりも少ない上限を有することが好ましい。例えば、アップセル価格は、アップセルとして提供された製品の価格を超えるべきではない。上で与えた例を用いると、小ソーダから大ソーダへのアップグレードに対するアップセル価格は、２¢の下限を有する範囲である。このアップセル価格に対する上限は、大ソーダのコスト、例えば９０¢を超えるべきではない。そうでなければ、顧客は、彼が買物の中に大ソーダを含めた場合に支払う価格よりも高額の支払いをすることになろう。顧客に対してそのような取引、例えば、９０¢の大ソーダと交換に９５¢を提案することは、顧客に対して失礼であるとともに、非効率的である。
【００３１】
一般に、顧客に対する製品の価格は、その製品を提供する会社へのその製品のコストとは異なる。従って、アップセル・データベース１０３０中のアップセル価格は、単に在庫データベース１０２８中の製品価格から確かめることはできず、利益を出すように計算されなければならない。例えば、在庫価格データベース１０２８は、小ソーダの価格が５５¢で、大ソーダの価格が９０¢であることを示しているかもしれない。これらの２つの価格だけから、レストランへのコストが小ソーダに関して２０¢で大ソーダに関して２２¢であること、従って、小ソーダから大ソーダへのそのようなアップセルのコストが２¢であることを決定することは不可能である。従って、在庫価格データベース１０２８だけから、レストランがそのアップセルを比較的安価なアップセル価格、例えば５¢または１０¢で有利に提供することで利益が上がるであろうと決定することは不可能である。そのような利益ポイントはコストの関数としてのみ決定できる。
顧客に対する製品価格と会社に対する製品コストとの間の上述の差は、ＰＯＳ端末がそのアップセルを決定することを許容する。それらのアップセルは、（Ｉ）顧客に対する釣り銭に対して有利に販売され、また、（ＩＩ）彼の釣り銭と交換に値下げした価格で製品を顧客に提供するものである。製品を値下げした価格で顧客に提供することは、顧客の満足度を増大させ、会社に対する付加的な利益を発生し、在庫の回転を増大させる。同時に、製品の価格は下げる必要はなく、従って、それらの製品の販売（アップセル以外の）からの利益は、アップセルの提供によって本質的または完全に悪影響を受けない。
いくつもの種類の会社が提供するであろう１つのタイプのアップセルは、第１の製品から第２の製品へのアップグレードである。従って、（Ｉ）第１の製品を含む買物と、（ＩＩ）第１の製品から第２の製品へのアップグレードを含むアップセルとの組合せは、第１の製品から第２の製品への効果的なアップグレードをもたらすことになろう。例えば、レストランは、小ソーダから大ソーダへのアップグレード、または、プレーン・タコ（plane taco）からデラックス・タコ（deluxe taco）へのアップグレードを含むアップセルを提供するかもしれない。電器店は、保証の有効期間を延長するアップセルを提供するかもしれない。
【００３２】
別のタイプのアップセルは、顧客の買物を補充する付加的製品である。例えば、レストランは、販売促進用カップまたはデザートを含むアップセルを提供するかもしれないし、ビデオ店は、映画レンタル券、付加的なビデオテープまたは販売促進用帽子を含むアップセルを提供するかもしれないし、自動販売機は、追加のキャンディー・バーを提供するアップセルを提供するかもしれないし、設備店は、保証を含むアップセルを提供するかもしれないし、スーパーマーケットは、腐りやすい商品の入った箱から任意の１つの商品を含むアップセルを提供するかもしれない。そのようなスーパーマーケットのアップセルは、収入を発生し腐りやすい商品を処分する点で特に有利である。
図１４は、ＰＯＳ端末において買物のアップセルを決定するための方法１０４０を示す。この実施例のＰＯＳ端末、例えばＰＯＳ端末１０１０は、アップセル価格および対応のアップセルのデータベースを維持している（ステップ１０４２）。ＰＯＳ端末はさらに、買物の購入価格を発生し（ステップ１０４４）、要求された支払額１０２６（図１３Ａ）をその購入価格に等しく設定する（ステップ１０４６）。購入価格を発生するステップは、例えば、（Ｉ）各々が１つの製品に対応する入力装置１０１４（図１３Ａ）上のキーを押すこと、（ＩＩ）購入価格の数字に対応する入力装置１０１４上の数字キーを押すこと、または、（ＩＩＩ）遠隔計算装置から現在の値を表示するデジタル信号を受信すること、を含むことができる。
次に、ＰＯＳ端末は、「丸められた」価格を生成し（ステップ１０４８）、購入価格と丸められた価格との差に等しい切上げ額を計算する（ステップ１０５０）。丸められた価格は、例えば、購入価格よりも大きいもののうちで最も小さい整数のドルとして、購入価格よりも大きいもののうちで最も小さい５ドルの倍数として、または、整数でもそうでなくても顧客によって支払われた金額として計算されるであろう。丸められた価格が整数であれば、顧客は容易にドル札を差し出して、彼の判断で（Ｉ）釣り銭なしか、（ＩＩ）札だけで構成され硬貨を含まない釣り銭を受け取ることができる。丸められた価格が、５セント，１０セント，２５セントまたは５０セントのような大型硬貨の倍数であるときは、顧客は、顧客が望む例えば２５セント硬貨だけを含む釣り銭を受け取ることができる。その他多くの丸められた価格の構成については、本発明に従って計算することができる。
【００３３】
次に、ＰＯＳ端末は、切上げ額（釣り銭）と交換すべき少なくとも１つのアップセルを決定する。好ましくは、そのアップセルを同定するために、ＰＯＳ端末は、切上げ額をアップセル・データベース中のアップセル価格の少なくとも１つと比較して（ステップ１０５２）、切上げ額を含む１つのアップセル価格を有する少なくとも１つのアップセルを同定する。切上げ額がアップセル価格に対応すれば（ステップ１０５４）、ＰＯＳ端末は、そのアップセル価格に対応するアップセルを同定し（ステップ１０５６）、それによって、交換するアップセルを同定する。次に、ＰＯＳ端末は、同定されたアップセルを切上げ額に対して購入してもよいことを顧客および／またはレジ係に説明するテキストおよび／またはグラフィックスのような同定されたアップセルを表示する信号を出力する（ステップ１０５８）。
顧客は、レジ係に対して、彼がその提供されたアップセルを受けるか断るかを示す。次に、レジ係は、ＰＯＳ端末上のボタンを押すか、同定されたアップセルと釣り銭との選択を表示する選択信号を発生する（ステップ１０６０）。選択信号がアップセルの選択を表示していれば、要求された支払額が丸められた価格に等しく設定される（ステップ１０６２）。こうして、顧客は、支払うことが期待される金額を満足する現金，小切手，クレジットカードを差し出して、切上げ額と交換にアップセルを受け取る。
上述したように、当業者は、要求された支払額が単一の記憶された値か、それぞれが１または複数の製品に対して支払うことが期待される金額に対応する複数の値を含むであろうことに気づくであろう。例えば、要求された支払額を丸められた価格に等しく設定するステップ１０６２は、（Ｉ）記憶されている一意的な値を丸められた価格に等しく設定すること、または、（ＩＩ）第１の記憶されている値を購入価格に等しく設定し、第２の記憶されている値を切上げ額に等しく設定して、２つの買物が記録される場合と同じようにすること、を含むことができる。
【００３４】
図１５に示されている例では、ファーストフードレストランで顧客がハンバーガーと小ソーダを含む買物を注文する。レジ係はその買物をＰＯＳ端末へ記録する。それに従って、ＰＯＳ端末は、ハンバーガーと小ソーダのそれぞれの製品価格を在庫価格データベース１０２８のエントリー１０７０，１０７２から決定する。ＰＯＳ端末は、それから購入価格＄１．６２をはじき出して、要求された支払額１０２６を＄１．６２に設定する。
次に、ＰＯＳ端末は、＄２．００の「丸められた」価格を発生し（この例では、購入価格よりも大きい最小の整数として“２”を用いて）、切上げ額１０７４を＄２．００−＄１．６２＝３８¢と計算する。丸められた価格が整数であるため、顧客は、容易に札を差し出して、釣り銭を受け取らないか、札だけで硬貨を含まない釣り銭を受け取ることができるであろう。
ＰＯＳ端末は、アップセル・データベース１０３０中の少なくとも１つのアップセル価格と切上げ額１０７４を比較する。切上げ額７４は、１つの比較されるアップセル価格１０７６（２¢から４５¢の範囲）に対応し、売れた製品（小ソーダ）はアップセル条件１０７８に対応するので、ＰＯＳ端末は、そのアップセル価格１０７６に対応するアップセル・データベース１０３０中のアップセル８０を同定する。次に、ＰＯＳ端末は、その特定の釣り銭額（切上げ額１０７４）に対してアップセル１０８０を購入できることを顧客および／またはレジ係に説明するテキストまたはグラフィックスを表示する。
顧客は、彼がその提供されたアップセルを受け取るか断るかをレジ係に示す。次に、レジ係は、ＰＯＳ端末上のボタンを押すか、同定されたアップセル１０８０と釣り銭との選択を表示する選択信号を発生する。選択信号が釣り銭の選択を表示していなくて、その代わりにアップセル１０８０の選択を表示していれば、要求された支払額１０２６は丸められた価格に等しく設定される。こうして、顧客は、アップセル（小ソーダから大ソーダへのアップグレード）を受け取り、釣り銭硬貨はなくなる。
本発明のいくつかの実施例では、ＰＯＳ端末は、比較されたアップセル価格に対応するデータベース中の少なくとも１つのアップセルを同定することによって、アップセル（単数または複数）を決定する。例えば、小ソーダを含むアップセルが２¢から２０¢のアップセル価格範囲に対応するかもしれない。他の実施例では、ＰＯＳ端末は、（Ｉ）比較されたアップセル価格と（ＩＩ）少なくとも１つの「購入条件」との両方に対応するデータベース中の少なくとも１つのアップセルを同定することによって、アップセル（単数または複数）を決定する。
【００３５】
購入条件は、買物がＰＯＳ端末で処理されるときに有効な条件である。購入条件のいくつかのタイプは、購入価格，時刻，曜日，季節，買物に含まれる製品のアイデンティティ，買物に含まれる製品のコストおよび／またはその顧客によって行われた過去の買物である。その他のタイプの購入条件を本発明の精神および範囲から外れることなく採用してもよい。
本発明での購入条件の使用は、アップセルのより正確な決定を許容し、そのため、アップセルが顧客にアピールして釣り銭と交換され易くなる。例えば、１日のうちで特定の時刻に、顧客は、特定のアップセルに対する強い欲望を持つかもしれない。食事は真昼よりも夕食時により魅力的であり、ビデオレンタルは朝よりも夕方によりアピールする。従って、購入の時刻を考慮すれば、よりアピールするアップセルを提供することができるであろう。
購入条件を採用する実施例では、アップセル・データベース中のアップセル価格は、対応するアップセルと、購入条件と比較するための少なくとも１つの対応するアップセル条件とを有する。さらに、ＰＯＳ端末は、任意の複数のやり方で購入条件（単数または複数）を発生する。例えば、クロック信号は時刻および／または日付を提供でき、ＰＯＳ端末によって記録される買物は製品の同定を提供でき、「お得意様カード（frequent shopper card）」はその顧客の同定およびその顧客によって行われた過去の買物を示す信号を提供できる。
図１６を参照すると、図１３Ａのアップセル・データベース１０３０の一実施例であるアップセル・データベース１０９０は、アップセル価格１０９２と、アップセル記述子１０９４と、複数のアップセル条件とを含んでおり、それらの条件には、購入された品目１０９６と、顧客識別子が必要かどうか１０９８と、顧客の製品嗜好１１００と、時刻１１０２と、会社に対するコスト１１０３とが含まれている。アップセル・データベース１０９０へのエントリーは、アップセル・コード１１０４によって一意的に同定される。
【００３６】
アップセル条件と比較されるいつくかのタイプの購入条件が、記憶装置１０２２（図１３Ａ）中の１または複数のデータベースに記憶される。例えば、図１７は顧客データベース１１１０を示しており、それは、名前１１１４、住所１１１６、電話番号１１１８および過去の製品嗜好１１２０のような顧客の固有情報と一緒に、一意的な顧客識別子１１１２を含む。ＰＯＳ端末１０１０（図１３Ａ）は、各種の購入条件を決定し、それに従って上述したようにアップセルを提供するために、顧客データベース１１１０を採用するかもしれない。ＰＯＳ端末で顧客は、対応する顧客識別子を提供し、それによって、任意の複数のやり方で彼の顧客固有情報を提供する。例えば、顧客は、ＰＯＳ端末に彼の顧客識別子をタイプするか、一意的な識別コードを含むお得意様カードをＰＯＳ端末のカードリーダーに「スワイプ（swipe）」（通過）させるかもしれない。
その他のタイプの購入条件は在庫価格データベースから取り出されるであろう。図１８を参照すると、図１３Ａの在庫価格データベース１０２８の一実施例である在庫価格データベース１１３０は、製品１１３２と対応の製品価格１１３４とを含む。在庫価格データベース１３０はまた、在庫するそのような製品の数１１３８と一緒に、一意的な製品識別子１１３６とを含んでいる。それはまた、特定のタイプの製品の「年齢」（失効日または時刻）１１４０を記憶して、より古い製品を識別できて、アップセルとして提供できることが好ましい。
各々の買物に対して、上述の購入条件と切上げ額とアップセルが選ばれたかどうかとが、提供されたアップセルのデータベース中に記憶される。そのような提供されたアップセルのデータベースは、どのアップセルが顧客に受け入れられたか、また、どのような環境下でそれらアップセルが受け入れられたかに関する情報を提供できる。このように、このデータベースから、顧客に対するアップセルの価値が決定されて、それに従ってアップセル・データベースの調節が可能となろう。例えば、顧客が特定のアップセルをほとんど受け入れないようであれば、そのアップセルはデータベースから削除されるか、もっと少額の釣り銭との交換に提供される。
図１９は、記憶装置１０２２（図１３Ａ）に記憶された提供アップセル・データベース１１５０の実施例を示す。提供アップセル・データベース１１５０は、提供されたアップセル１５２と、対応する切上げ額１１５４と、もしあれば、どのアップセルが受け入れられたか１１５６とを含む。提供アップセル・データベース１１５０には、提供されたアップセルの日付１１５８，一意的な顧客識別子１１６０，もしあればそのアップセルを払い戻す有効期限１１６２、および、もしあればそのアップセルが受け入れられた（払い戻された）日付１１６４のようなその他の購入条件を記憶することが望ましいであろう。
【００３７】
上で説明した実施例では、ＰＯＳ端末は、切上げ額と交換に提供するための単一のアップセルを同定する。しかし、ＰＯＳ端末１０１０（図１３Ａ）は、１つのアップセル価格に対応する２つ以上のアップセルを同定するかもしれない。そのような実施例では、ＰＯＳ端末１０１０は顧客に対して可能なアップセルの選択を提供できる。ＰＯＳ端末１０１０はそれらアップセルをすべて同時に表示するか、それらアップセルを逐次的に表示する。
それらのアップセルが同時に表示される実施例では、顧客は、表示されたアップセルの中から選ぶ。アップセルが逐次表示される実施例では、顧客が最初に表示されたアップセルを拒否（選ぶことに失敗）すれば、ＰＯＳ端末１０１０は第２のアップセルを表示する。逐次表示されるアップセルは分類基準に従ってソーティングすることができて、表示されるアップセルの順序を望みのやり方で進めることを許容する。こうして、第２のアップセルの前にソーティングされた第１のアップセルが最初に表示される。第１のアップセルが選ばれなければ、第２のアップセルが次に表示される。
アップセルは、各々のアップセルが稼ぎ出す利益に従ってソーティングされる。そのような実施例では、会社に対して最も高い利益をもたらすアップセルが最初に提供される。顧客がその最高利益のアップセルを拒否すれば、より低い利益を有する他のアップセルが続いて表示される。こうして、顧客が最初のアップセルを拒否したとしても、彼はなお売り手に利益をもたらす後続のアップセルを選択することになる。
本発明の特定の実施例では、ＰＯＳ端末は、最初のアップセルが拒否されれば、その顧客に対してより高い値を有する第２のアップセルを提供する。そのようなより高い値のアップセルは最初のアップセルよりも受け入れられ易いかもしれない。このような逐次価値が増すオファーのシーケンスは、顧客が常に最初のアップセル・オファーを拒否するという結果を生ずるかもしれない。従って、別の実施例では、ＰＯＳ端末は任意の数の既知の方法を用いて乱数を発生する。この乱数を用いて、（Ｉ）引き続くアップセルをいったいオファーするのかどうか、または、（ＩＩ）異なる値のアップセルがオファーされる相対的な順序、が決定される。こうすれば、顧客は、第２のアップセルがオファーされるだろうか、および／または、第２のアップセルの値がどんなものであるか、について確信が持てなくなり、そのため、彼らが最初のアップセルを自動的に拒否することはなくなるであろう。
【００３８】
図２０は、顧客が彼の釣り銭を第２のアップセルと交換するように逆オファーを提供するようになった方法１１８０を示す。次に、ＰＯＳ端末は、彼の逆オファーを受け入れるかどうかを決定する。
上述したように、ＰＯＳ端末は、第１の（同定された）アップセルを表示する信号を出力する（ステップ１１８２）。ＰＯＳ端末は、第１のアップセル，釣り銭および第２のアップセル（顧客による逆オファー）間の選択を表示する選択信号を発生する。選択信号が第１のアップセルを表示していれば（ステップ１１８４）、上述したように、要求された支払額は購入価格に等しく設定される（ステップ１１８６）。しかし、選択信号が第２のアップセルの選択を表示していれば（ステップ１１８８）（すなわち、顧客が第２のアップセルを逆オファーする）、第２のアップセルに対応する第２のアップセル価格がアップセル・データベースから決定される（ステップ１１９０）。計算した切上げ額が第２のアップセル価格に対応すれば（ステップ１１９２）（すなわち、顧客の釣り銭が第２のアップセルに対して十分であれば）、要求された支払額は丸められた価格に等しく設定されて（ステップ１１８６）、第２のアップセルはそれによって受け入れられる。
製品のアップグレードおよび付加的な製品の他に、別のタイプのアップセルは、製品との交換またはそれの値引きができる引換券である。引換券は売り手に特に有益である。というのは、彼らが顧客を再び会社へ呼び戻して、多分繰り返して販売を提供できるからである。顧客は、典型的には、無料の引換券よりも、購入した（すなわち、彼の釣り銭と引き換えに購入した）引換券の方が、会社へ戻って使用する可能性がより高くなる。引換券は、さらに、売り手に対して、破損（すなわち、失うことおよびそのため購入した引換券が使用できないこと）の可能性を通して価値をもたらす。
【００３９】
引換券は、切上げ額に関連するか、それ自身で独立している。例えば、１つのタイプの引換券は将来の買物時に値引きに使えるクーポンであり、そこでは、値引き額が現時点での購入の切上げ額に等しくなっている。これとは対照的に、別のタイプの引換券は、現時点の買物の切上げ額に関わらず、特定の製品と引き替えられるクーポンである。
アップセルを受け入れると、レジ係は、予め印刷されたクーポンを顧客にプレゼントするか、ＰＯＳ端末が顧客のために１枚を印刷する。印刷された引換券には多くの異なるタイプの標印が登録されており、それらは例えば、払戻し情報，一意的な識別子，購入の日付または有効期限である。
引換券上に一意的な識別子を印刷することを含む実施例では、ＰＯＳ端末は、複数の識別子を記憶するためのデータベースを維持している。新しい引換券を印刷しなければならないときは、ＰＯＳ端末は、識別子データベース中に既に存在しない一意的な識別子を発生する。次に、この識別子は識別子データベースに記憶される。識別子データベースで１つの引換券識別子を検索することによって、その引換券の払戻しを追跡することができて、同じ引換券を許容される以上の回数使用することができなくなる。
図２１を参照すると、記憶装置１０２２は識別子データベース２００を記憶しており、それは各々の引換券を同定するための一意的な識別子１２０２を含む。識別子データベース１２００はさらに、引換券額面値１２０４を含んでおり、それはその引換券と交換される切上げ額と等しい（または、等しくない）かもしれない。記憶された引換券額面値は、偽物を最小化する一方で、各々の引換券を異なる価値と交換することを許容する。例えば、払戻し時にはデータベース１２００に記憶されている引換券額面値１２０４を取り出して、引換券に印刷された価値と比較される。記憶されたものと印刷された引換券値との食い違いは、印刷された引換券が偽物であることを示すであろう。
【００４０】
さらに別のタイプのアップセルは、宝くじ，コンテスト，競争またはその他のゲームのようなゲームへのエントリーである。いくつかの実施例では、ゲームに勝ったときの賞品は、そのゲームへのエントリーを購入するために使用された切上げ額に依存する。例えば、ゲームに勝った場合の賞品は、そのゲームエントリーのために支払われた切上げ額に比例するであろう。そのような実施例では、ゲームに勝ったときに受け取る賞品は、切上げ額が増えるにつれて大きくなる。他の実施例では、切上げ額が増えるにつれて、勝つ確率がより大きくなるであろう。例えば、顧客が＄１．５０を支払ったゲームへのエントリーは、別の顧客が７５¢を支払ったゲームへのエントリーよりも勝つ可能性が２倍大きい。
切上げ額と交換にゲーム・アップセルを選択することを示す入力を受信すると、ＰＯＳ端末はそのゲームエントリーを識別するための一意的な識別子を発生する。この一意的な識別子と切上げ額とは、識別子および切上げ額のゲームデータベースに記憶される。勝ちのエントリーが決定されるときは、ゲームデータベースはそのエントリーに対応する切上げ額を提供し、それによって、賞品の値を決定する。
ゲームデータベースは、例えば、ＰＯＳ端末によって維持され、記憶装置１０２２（図１３Ａ）に記憶されるデータベースである。図２２１０によって示される別の実施例では、ゲームデータベースは、通信リンク１２２４を介してＰＯＳ端末１２２２，１２２３に接続された宝くじデータ処理システム１２２０に存在する。図２２には分かりやすくするために２つのＰＯＳ端末が示されているが、もっと多くのＰＯＳ端末を宝くじデータ処理システム１２２０に接続してもよい。
宝くじデータ処理システム１２２０は、典型的には、店舗内に置かれた、店舗内のＰＯＳ端末によって実行される宝くじ券取引を制御するためのコントローラである。従って、システム１２２０は、店舗のＰＯＳ端末で実行される宝くじ取引（例えば、宝くじ券アップセル）を集めて記憶するように働く。このような宝くじ取引の集中制御は、複数のＰＯＳ端末において顧客が単一の宝くじ，コンテストまたは他のゲームへの参加を許可するアップセルをそれぞれ受け取ることを許容する。
【００４１】
宝くじデータ処理システム１２２０は、以下に説明するその他の部品を制御するためのマイクロプロセッサ１２２６を含む。マイクロプロセッサ１２２６は、宝くじ取引を認証するための暗号プロセッサ１２２８と各々のゲームエントリーのための「クイック・ピック」宝くじ番号を発生するための乱数発生器とそれぞれ通信する。記憶装置１２３２も、マイクロプロセッサ１２２６と通信して、（Ｉ）上述した、識別子および切上げ額のゲームデータベース１２３４と、（ＩＩ）各端末に対する一意的な識別子および各端子の特定の宝くじ取引などの、宝くじデータ処理システム１２２０に接続されたＰＯＳ端末に関する情報を維持するためのＰＯＳ端末コントローラ・データベース１２３６と、（ＩＩＩ）当たり番号を記憶し、それによって当たりのエントリーを表示するための当たり宝くじ券番号データベース１２３８とを記憶する。
上述した本発明の実施例の各々では、顧客はアップセルを選んで受け取る。しかし、次に述べるように、顧客は、彼のアップセルを第２の顧客へ渡して（「寄付して」）、第２の顧客が次回のＰＯＳ端末訪問時に受け取るようにする方を選ぶかもしれない。第２の顧客は、ＰＯＳ端末を訪問して、例えば、上述したように、製品に対する支払をしたり、特に寄付されたアップセルを受け取ったりするかもしれない。
図２３は、記憶装置１０２２に記憶された顧客データベース１１１０（図１７）の別の実施例である顧客データベース１２６０を示す。顧客データベース２６０は、上述した顧客の固有情報、例えば名前１２６４，住所１２６６，電話番号１２６８および過去の製品嗜好１２７０とともに、一意的な顧客識別子１２６２を含む。さらに、顧客データベース１２６０は、顧客のアップセルが寄付された他人（もしあれば）を同定するリンクされた顧客識別子１２７２を含む。
例えば、顧客データベース１２６０の機能を利用して、顧客は、知人がその顧客の稼いだアップセルを受け取るように指定するかもしれない。顧客データベース１２６０はまた、その顧客に与えられるべき、例えば、以前に稼いだまたは他人によって彼に渡されたアップセルのようなアップセル１２７４を、その正当なアップセルを受け取るための最終日付を示すアップセル有効期限１２７５とともに含む。
【００４２】
図２３のデータベース１２６０に示された例示データを用いて、記録１２７７の第１の顧客識別子１２７６が「ビル・スミス」という顧客氏名を同定し、さらに、フィールド１２７２の識別子１２７８を介して対応するリンクされた顧客を同定する。このリンクされた顧客識別子１２７８は、「ジル・スミス」という顧客を同定する顧客識別子１２８０に対応する。従って、ジル・スミスが同定されて、ビル・スミスによって寄付されたアップセルを受け取る。
正当なアップセル１２８２は、記録１２８１（ジル・スミス）の顧客識別子１２８０に関連する。正当なアップセル１２８２は、ビル・スミスによる買物に基づいて提供され、ＰＯＳ端末への訪問時にジル・スミスによって受け取られる。フィールド１２７４のアップセル識別子“Ａ”は、例えば、小ソーダを含むかもしれない。こうして、「リンクされた顧客」を使用することは、このように稼いだアップセルまたは購入された製品さえも顧客が転送することを可能とし、それによって、顧客の満足および顧客の確保の両方を増大させる。
顧客は、特別な一人ではなく、複数の家族メンバーまたは所定の貧しい家族リストのような、多数の顧客のうちからランダムに一人（または、複数人）へ彼のアップセルを寄付することを選ぶかもしれない。そのような実施例では、寄付をする顧客はまず、リンクされた顧客識別子１２７２の関連グループを指定することになろう。このグループのうちのランダムな１人（または、複数人）がＰＯＳ端末によってそのアップセルの受取人に選ばれる。
図１２ａおよび図１２ｂを参照すると、お得意様カードを有する顧客のために自動化アップセル・プロセスを実行する方法１３００が示されている。彼の嗜好を記憶するお得意様カードへの登録を希望する顧客は、ＰＯＳオペレータまたはデータ入力の責任者に、彼の名前，住所および／または電話番号などの個人情報を提供する（ステップ１３０２）。次に、この個人情報は、顧客データベースの１つの記録に記憶される（ステップ１３０４）。そのような記録の例が、図２３に顧客データベース１２６０の記録１２７６，１２８１として示されている。
顧客は、彼が釣り銭よりも普通のようにアップセルを受け取りたいのかどうかを選択する（ステップ１３０６）。彼がそのように選べば、可能なアップセルの選択肢が顧客に表示される（ステップ１３０８）。顧客は、表示されたアップセルのうちで彼が普通のように受け取ることを望むものを選んで（ステップ１３１０）、その選ばれたアップセルが彼の顧客記録の過去の嗜好フィールド１２７０に記憶される（ステップ１３１２）。
【００４３】
顧客はまた、お得意様カードを有する「リンクされた」顧客に彼のアップセルを寄付することを好むかどうかを選択するであろう（ステップ１３１４）。そうであれば、顧客は、そのリンクされた顧客を同定する情報、例えば、リンクされた顧客の名前，住所および／またはアカウント番号を提供する（ステップ１３１６）。顧客は、寄付されたアップセルを受け取るための多数のその他のリンクされた顧客を選ぶかもしれない。提供された情報から第２の顧客が正しく同定されることとその情報が顧客データベース記録に記憶されることとを保証するために、情報の確認が行われる（ステップ１３１８）。必要に応じて、付加的な顧客記録が第２および後続の顧客（単数または複数）に対して生成される。
第２の顧客に対して寄付される可能なアップセルが顧客に表示される（ステップ１３２０）。顧客は、表示されたアップセルのどれを彼が通常のように渡されることを好むかを選び（ステップ１３２２）、その選ばれたアップセルが顧客記録に記憶される（ステップ１３２４）。最後に、顧客は、彼のお得意様カードを発行されて（ステップ１３２６）、それを通して、ＰＯＳ端末は彼の顧客記録を同定することができる。
図２５を参照すると、予め選ばれた顧客嗜好をＰＯＳ端末への現在の訪問に適用するための方法１３４０は、お得意様カードが使用されているかどうかを決定することから始まる（ステップ１３４２）。そのような決定は、例えば、カードリーダーから信号を受信し、それによって、カードがカードリーダーを通して「スワイプ」されたことを表示することによって行われる。お得意様カードが使用されていなければ、既に述べたようにアップセルが決定され（ステップ１３４４）、彼の釣り銭と交換にアップセル（選ばれれば）がその顧客に提供される（ステップ１３４６）。
お得意様カードが使用されていれば、その顧客が好みのアップセルを有するかどうかを決定するために、顧客データベースが検索される（ステップ１３４８）。彼が有していれば、その好みのアップセルが選ばれる（ステップ１３５０）。顧客データベースはまた、その顧客が寄付したアップセルを受け取るための第２の顧客を決めているかどうかについても検索される（ステップ１３５２）。そうであれば、選ばれたアップセルに対する識別子が第２の顧客のアカウントに記憶され（ステップ１３５４）、それによって、選ばれたアップセルを第２の顧客が受け取ることができることが表示される。他の実施例では、第２の顧客は、アップセルではない寄付された製品、例えば、「価格表」の価格で購入された製品を受け取るかもしれない。
【００４４】
図２６を参照すると、方法１３７０は、寄付されたアップセルを第２の顧客がどのように受け取るかを示している。ＰＯＳ端末において、第２の顧客が彼のお得意様カードをカードリーダーを通してスワイプし（ステップ１３７２）、それによって、彼の嗜好および彼に対して寄付された任意のアップセルに関する情報を提供する顧客データベースの顧客記録が同定される。顧客記録を検索して、第２の顧客にアップセルが寄付されたかどうかが決定される（ステップ１３７４）。そうでなければ、第２の顧客は、上述したように、ＰＯＳ端末において取引を完了する（ステップ１３７６）。アップセルが寄付されていれば、第２の顧客にはアップセルが提供されていることが知らされ（ステップ１３７８）、それによって、その寄付されたアップセルが第２の顧客の記録から消去される。寄付されたアップセルに第２の顧客の釣り銭に依存する取引に固有のアップセルを追加して提供することもできる。
上述したように、アップセルは対応する有効期限を有しており、それを過ぎるとそのアップセルは払い戻されない。例えば、寄付されたアップセルは、第２の顧客が予め定められる日付の前に上述の方法１３７０（図２６）を通してそのアップセルを受け取る場合にだけ引き渡されるであろう。寄付されたアップセルに関する有効期限は、それによってアップセルが失効する前にＰＯＳ端末を有する店舗を訪問する動機を与えることによって顧客の保留を増進する点で店舗にとって特に有利である。破損もまた、店舗に利益を与える。
ここに提供された実施例の多くにおいて、本発明の方法および装置は、キャッシュ・レジスタのような、ＰＯＳ端末として機能する単一の装置に関して詳細に説明してきた。しかし、上述したように、本発明の機能性は、既述の機能を共有する、例えば図１３Ｂに示されるマルチユニットシステムのような複数の装置によって実現することもできる。
【００４５】
従って、図２７は、図１３Ｂに従ってＰＯＳ端末においてアップセルを決定するための方法１３９０を示す。方法１３９０は、例えば、電子マーケットサービスまたはクレジットカード手形交換所によって運営される処理システムおよびキャッシュ・レジスタの組合せによって実行される。キャッシュ・レジスタは、購入価格を生成して、その購入価格を処理システムに送信する（ステップ１３９２）。
処理システムは、丸められた価格を生成し（ステップ１３９４）、それに依存した切上げ額を生成する（ステップ１３９６）。上述したように、処理システムは、顧客に提供するアップセルを同定する（ステップ１３９８）。顧客がそのアップセルを選べば（ステップ１４００）、キャッシュ・レジスタの要求された支払額が、手作業または処理システムとの接続を通して自動的に、丸められた価格に設定される（ステップ１４０２）。
当業者には、本発明の機能性が多数のハードウエアおよび／またはソフトウエア装置の間で共有されるようになった、多くの異なるシステムが提供できるであろうことが理解されるであろう。
本発明についてそれの好適実施例に関して説明してきたが、当業者は、本発明の精神および範囲から外れることなく、ここに説明したそれらの実施例に対して多様な置換が行い得ようことを理解するであろう。たとえば、ここには詳細に述べなかった多くの他のタイプのアップセルが本発明によって企図される。そのような１つのアップセルは、店舗クレジット，電話通話，インターネットアクセスまたは公衆電話イベント用に利用できるような「ポイント」を含むかもしれない。さらに、レジ係を必要とするもの以外にも、多くのタイプのＰＯＳ端末が本発明によって企図されている。
本発明によれば、会社が宝くじ券を獲得し、その宝くじ券の一部を顧客に割り当てることができる。その宝くじ券で当たった任意の賞品の分け前がその顧客に与えられ、その賞品の分け前は宝くじ券の割当部分に対応する。例えば、顧客が＄２．００宝くじ券の＄０．３４部分を受け取るのであれば、その宝くじ券から得られる賞品の１７％（＄０．３４／＄２．００＝１７％）を顧客は受け取ることになる。宝くじ券の部分は、例えば＄０．３４のように金額で表現してもよく、また、１７％のようにパーセントで表現してもよい。
【００４６】
典型的には、会社は、一群の宝くじ券を獲得して、それら宝くじ券の一部分を必要に応じて顧客に割り当てる。その宝くじ券群から得られる賞品はその会社が受け取るが、会社は割当部分に基づいて賞品の分け前を顧客に支払う。会社は従来の宝くじ券を購入するだけでよいので、会社は既存の宝くじ業者の事業に重大な変更を必要とせずに分割式宝くじ券のプレイを促進できる。
顧客に割り当てられる宝くじ券の部分は、ＰＯＳ端末での商取引に関連する釣り銭の額に基づくであろう。そのような実施例は、多くの顧客が釣り銭を受け取ることに代わるものを歓迎するため有利である。さらに、分割式宝くじ券のような、高いと思わせる価値を有する何かを釣り銭の代わりに受け取ることは、顧客にとってより魅力的でさえあろう。
図２８を参照すると、ネットワーク２００８は、店舗コントローラ２０１０を含んでいる。店舗コントローラ２０１０は、宝くじサーバー２００８と通信しており、また、ＰＯＳ端末２０１４，２０１６，２０１８，２０２０と通信している。典型的には、キャッシュ・レジスタまたは他の端末であるＰＯＳ端末２０１４，２０１６，２０１８，２０２０は、分割式宝くじ券取引を開始および／または完了することができる。図２８には４台のＰＯＳ端末が示されているが、任意の台数のＰＯＳ端末が店舗コントローラ２０１０と通信することができる。ＰＯＳ端末２０１４，２０１６，２０１８，２０２０は、同一店舗内，チェーン店の異なる店舗内またはその他の場所に位置することができる。
店舗コントローラ２０１０は、ＰＯＳ端末２０１４，２０１６，２０１８，２０２０との間でのデータの記憶および送信の動作を命令する。店舗コントローラ２０１０は、それ自身もＰＯＳ端末でよく、１または複数台のＰＯＳ端末と通信できる別の計算装置でもよい。宝くじサーバー２０１２は、典型的には、州の宝くじ業者によって制御されて、店舗コントローラ２０１０からの要求に応える。例えば、宝くじサーバー２０１２は、店舗コントローラ２０１０による要求に応じて宝くじ券を発行してもよく、抽選日の当たり番号を提供してもよい。
図２９を参照すると、図２８の店舗コントローラ２０１０は、１または複数の従来のマイクロプロセッサのようなプロセッサ２０２２を含む。プロセッサ２０２２は、磁気的，光学的および／または半導体メモリの適当な組合せのようなデータ記憶装置２０２４と通信する。プロセッサ２０２２および記憶装置２０２４は各々、（Ｉ）単一コンピュータまたは他の計算装置の内部に完全に含まれて位置しているか、（ＩＩ）シリアルポートケーブル，電話線または無線周波数トランシーバーのような遠隔通信リンクによって互いに接続されているか、（ＩＩＩ）それらの組合せでよい。例えば、店舗コントローラ２０１０は、データベースを維持するための遠隔サーバーコンピュータに接続された１台または複数台のコンピュータを含むことができる。
【００４７】
記憶装置２０２４は、プロセッサ２０２２を制御するためのプログラム２０２６を記憶する。プロセッサ２０２２は、プログラム２０２６の命令を実行し、それによって、本発明に従って、特にここに詳細に説明する方法に従って動作する。プログラム２０２６はさらに、オペレーティングシステムや、プロセッサ２０２２とコンピュータ周辺装置とのインタフェースを可能とする「デバイスドライバ」のような必要となるであろうプログラム要素を含む。適当なデバイスドライバおよびその他の必要なプログラム要素は、当業者に既知であり、ここに詳細に説明する必要はない。
記憶装置２０２４はまた、（Ｉ）発券データベース２０３０と、（ＩＩ）商取引データベース２０３２と、（ＩＩＩ）分割式券データベース２０３４と、（ＩＶ）当たり宝くじ券データベース２０３６と、（Ｖ）お得意様データベース２０３８とを記憶する。データベース２０３０，２０３２，２０３４，２０３６，２０３８は、以下で詳細に説明されるし、添付図面には例示エントリーを添えて示されている。当業者には理解されるであろうように、ここに提示するデータベースの模式図および添付された説明は、情報の記憶表現の例示配置である。示した表の他に、複数のその他の配置が採用されるであろう。同様に、例示エントリーは情報例を示しているが、当業者は、エントリーの数および内容がここに図示したものとは異なり得ることを理解するであろう。
【００４８】
図３０を参照すると、ＰＯＳ端末２０４０の模式図は、図２８のＰＯＳ端末２０１４，２０１６，２０１８，２０２０を説明する。ＰＯＳ端末２０４０は、１台または複数台の従来のマイクロプロセッサのようなプロセッサ２０４２を含む。プロセッサ２０４２は、磁気的，光学的および／または半導体メモリの適当な組合せのようなデータ記憶装置２０４４と通信する。プロセッサ２０４２および記憶装置２０４４はそれぞれ、（Ｉ）単一コンピュータまたは他の計算装置の内部に完全に含まれて位置しているか、（ＩＩ）シリアルポートケーブル，電話線または無線周波数トランシーバーのような遠隔通信リンクによって互いに接続されているか、（ＩＩＩ）それらの組合せでよい。例えば、ＰＯＳ端末２０４０は、データベースを維持するための遠隔サーバーコンピュータに接続された１台または複数台のコンピュータでよい。
入力装置２０４６，プリンタ２０４８および表示装置２０５０はそれぞれ、プロセッサ２０４２と通信する。入力装置２０４６は、好ましくは、買物を表示する信号のような入力信号をプロセッサ２０４２に送信するためのキーパッドを含む。入力装置２０４６はまた、バーコードを読んでそれらのバーコードを表示する信号をプロセッサ２０４２に送信するための光学式バーコードスキャナーを含むことができる。プリンタ２０４８は、紙またはその他の材料上に標印を登録し、それによって、プロセッサ２０４２によって命令されるままに分割式宝くじ券の印刷を行うためのものである。表示装置２０５０は、好ましくは、顧客および／またはＰＯＳ端末２０４０を操作するレジ係に少なくともアルファベット数字文字を表示するためのビデオモニターである。多くのタイプの入力装置，プリンタおよび表示装置が、当業者に既知であり、ここで詳細に説明する必要はない。
記憶装置２０４４は、プロセッサ２０４２を制御するためのＰＯＳ端末プログラム２０５２を記憶する。プロセッサ２０４２は、ＰＯＳ端末プログラム２０５２の命令を実行し、それによって、本発明に従って、特にここに詳細に説明する方法に従って動作する。ＰＯＳ端末プログラム２０５２はさらに、入力装置２０４６，プリンタ２０４８および表示装置２０５０のようなコンピュータ周辺装置とプロセッサ２０４２とのインタフェースを可能とするための「デバイスドライバ」やオペレーティングシステムのような必要と思われるプログラム要素を含む。適当なデバイスドライバおよびその他必要なプログラム要素は、当業者に既知であり、ここで詳細に説明する必要はない。
【００４９】
図３１は、ＰＯＳ端末２０５８の代替実施例を示しており、それは、図２８のＰＯＳ端末２０１４，２０１６，２０１８，２０２０を説明する。制御装置２０６０は、通信媒体２０６２を介して、分割式宝くじ券，レシートおよび／またはクーポンを印刷するためのシステム２０６４と通信する。制御装置２０６０は、入力装置２０４６（図３０）および表示装置２０５０（図３０）と通信するプロセッサ２０６６を含む。印刷のためのシステム２０６４は、記憶装置２０４４（図３０）およびプリンタ２０４８（図３０）と通信するプロセッサ２０６８を含む。この実施例で、制御装置２０６０はキャッシュ・レジスタでよく、また、システム２０６４はキャッシュ・レジスタから受信されるデータに従って券を印刷するための電子装置でよい。ＰＯＳ端末２０４０のその他の構成を当業者は理解するであろう。
以下の説明は次のように区分化されている。宝くじ券の部分割当，付加的宝くじ券の取得および宝くじ券の部分払い戻し。
宝くじ券の部分割当
図３２を参照すると、図２９の発券データベース２０３０は行２０８０，２０８２，２０８４，２０８６，２０８８を含んでおり、それらは各々発券データベース２０３０の１つのエントリーを表している。各エントリーは、割り当てられるべき１つの宝くじ券を定義しており、そこでは、宝くじ券の割当部分が分割式宝くじ券に含まれている。詳細には、各エントリーは、（Ｉ）宝くじ券の通し番号または通し番号の一部のように、そのエントリーを一意的に識別する券識別子２０９０と、（ＩＩ）当たり券番号が発表される時を示す抽選日２０９２と、（ＩＩＩ）券番号２０９４と、（ＩＶ）宝くじ券の未割当部分２０９６と、（Ｖ）未割当部分２０９６および任意の割当部分の合計を示す券価格２０９８とを含む。任意のエントリーに対して、未割当部分２０９６および券価格２０９８は、対応する宝くじ券のどの程度が割り当てられているかを決定するために使用されるであろう。例えば、＄１．００券価格のエントリー２０８４を参照すると、＄０．２３が未割当で残っている。従って、＄０．７７（＄１．００−＄０．２３）が割り当てられている。残っている未割当量の合計２１００はすべての宝くじ券の未割当部分の和を示す。図３１に示されるデータ例が与えられた場合には、合計の残存未割当量２１００は、＄１．５４（＄０．１２＋＄０．３１＋＄０．２３＋＄０．７８＋＄０．１０＝＄１．５４）である。
【００５０】
図３３を参照すると、宝くじ券の一部が割り当てられる前後の発券データベース２０３０（図２９および３２）に関するデータ例が示されている。表２１１０は、切上げ額２１３０によって表される取引の前の発券データベース２０３０を表している。表２１２０は、切上げ額２１３０によって表される取引後の発券データベース２０３０を表している。切上げ額２１３０は＄０．３５の値を有し、顧客が彼の釣り銭（＄０．３５）を分割式宝くじ券と交換するときの取引に対応する。顧客は、このように宝くじ券の一部を得て、その部分は金額＄０．３５に基づく。
上述したように、表２１１０に示されるエントリーの各々は１枚の券に対応する。エントリー２１３５を除いて、金額＄０．３５はすべてのエントリーの未割当部分よりも大きい。これと対照的に、エントリー２１３５は未割当部分＄０．７８を有しており、従って、対応する宝くじ券の＄０．３５部分がそこから割り当てられるであろう。従って、エントリー２１３５に対応する宝くじ券が選ばれて、＄０．３５に対応する部分が新しい分割式宝くじ券を作るために割り当てられる。
エントリー２１３５は、そこから＄０．３５部分が割り当てられる前の券“１２３４５６３”を表す。表２１２０のエントリー２１４０は、そこから＄０．３５部分が割り当てられた後の券“１２３４５６３”を表す。エントリー２１４０の未割当部分は＄０．４３であり、それはもとの＄０．７８未割当部分から＄０．３５だけ減らしたものである。同様に、切上げ額２１３０によって表される取引の前に、未割当量の残りの合計（すべての宝くじ券のうちで）は＄１．５４である。取引の後で、合計の残存している未割当額は＄１．１９であり、これは＄１．５４から＄０．３５だけ減らしたものである。
【００５１】
図３４を参照すると、図２９の商取引データベース２０３２は、行２１５０，２１５２，２１５４，２１５６，２１５８を含んでおり、それらの各々は商取引データベース２０３２の１つのエントリーを表す。各エントリーは、ＰＯＳ端末によって開始される１つの商取引を定義する。詳細には、各エントリーには、（Ｉ）その商取引を一意的に識別する商取引番号２１６０と、（ＩＩ）その商取引を開始したＰＯＳ端末を一意的に同定するＰＯＳ端末識別子２１６２と、（ＩＩＩ）購入価格２１６４と、（ＩＶ）購入価格を丸めるべき額を示すために使用される丸め倍数２１６５と、（Ｖ）分割式宝くじ券を購入するために使用される金額である切上げ額２１６６と、（ＶＩ）分割式宝くじ券のオファーが受け入れられたかどうかの表示２１６８と、（ＶＩＩ）その商取引のためにお得意様カードを使用した顧客を同定するお得意様番号２１７０と、（ＶＩＩＩ）商取引の日付２１７２と、（ＩＸ）切上げ額と交換に提供される分割式宝くじ券を同定する分割式宝くじ券識別子２１７４とが含まれる。
切上げ額２１６６は、分割式宝くじ券を購入するために使用される金額である。いくつかの実施例では、切上げ額２１６６は宝くじ券の割当部分に等しい。例えば、顧客が購入による釣り銭（切り上げ額）として＄０．６２を有し、その釣り銭を宝くじ券の＄０．６２部分を取得するために使用するということもあろう。しかし、分割式宝くじ券を購入するために使用される金額は、対応する宝くじ券の割当部分と同じである必要はない。特定の実施例では、宝くじ券の割当部分は、切り捨てた（または、切り上げた）金額に基づいている。例えば、顧客が購入による釣り銭として＄０．６２を有し、その釣り銭を分割式宝くじ券の取得に使用するとしよう。分割式宝くじ券は、宝くじ券の割り当てられた＄０．６０（＄０．６２を最も近い５セントへ切り捨てた）部分の基づいているであろう。もちろん、この金額を他の倍数、例えば、最も近い１０セント，２５セントまたは１ドルに切り捨ててもよく、丸められた額が宝くじ券の割当部分を定義することになろう。釣り銭と分割式宝くじ券がそれに基づいている切り捨てられた額との差は、例えば、その分割式宝くじ券の売り手によってサービス料として取られるであろう。
宝くじ券の割当部分をさらに別のやり方で金額に基づかせることもできる。例えば、割当部分をその金額の２倍とすることもできる。顧客が所定の賞品またはタイプの賞品を購入すれば、または、顧客がお得意様カードを使用すれば、そのような２倍の価値が割り当てられた部分を提供することは有利であろう。例えば、顧客が釣り銭として＄０．６２を有しており、特別な製造業者の製品を購入するとすれば、その顧客は彼の釣り銭と交換に１または複数の宝くじ券の割当部分＄１．２４（＄０．６２の２倍）に基づく分割式宝くじ券を受け取る。
【００５２】
図３５を参照すると、表２１８０，２１９０は分割式宝くじデータベース２０３４（図２９）の記録を示す。典型的には、分割式宝くじデータベース２０３４は、表２１８０，２１９０で表されるような複数の記録を含む。分割式宝くじデータベース２０３４の各記録は、分割式宝くじ券を定義しており、各々の分割式宝くじ券は１または複数の宝くじ券割当部分を含む。
表１８０で表される記録は、識別子２１８５（識別子“１００１”）によって同定される分割式宝くじ券を定義する。表２１８０はエントリー２１８７を含み、それは分割式宝くじ券“１００１”に含まれる宝くじ券の部分を定義する。エントリー２１８７は、（Ｉ）その宝くじ券を一意的に同定する券識別子２１８２と、（ＩＩ）分割式宝くじ券“１００１”に含まれる宝くじ券の部分を示す部分２１８４とを含む。
同様に、表２１９０によって表される記録は、識別子２１９５（識別子“１００３”）によって同定される分割式宝くじ券を定義する。表２１９０はエントリー２１９７，２１９８を含み、それらは各々、（Ｉ）券識別子２１９２と、（ＩＩ）部分２１９４とを含む。分割式宝くじ券“１００３”は２以上の宝くじ券からの部分を含むので、分割式宝くじ券“１００３”は、合計では１枚の宝くじ券の最大額を超える割当額を含むかもしれない。
上述したように、分割式宝くじ券は１または複数の宝くじ券部分を含む。特定の実施例では、宝くじ券は、顧客によって選ばれるのではなく、その代わりに、ＰＯＳ端末または店舗コントローラ２０１０（図２８）によって自動的に選ばれる。そのような実施例では、１枚の宝くじ券は発券データベース２０３０（図２９）の複数の宝くじ券から選ばれる。宝くじ券はいくつかのやり方で選ばれるであろう。例えば、少なくとも金額と同じぐらい大きい割当部分を有する宝くじ券が選ばれるであろう。同様に、各々が少なくとも金額価値と同じ大きさの割当部分を有する１組の宝くじ券が決定されるであろう。この組の中から、最小の未割当部分を有する宝くじ券が選ばれる。以下の説明は、宝くじ券を選ぶこの方法をさらにはっきりさせる。
【００５３】
図３６を参照すると、表２２００は発券データベース２０３０（図２９および図３３）用データの一例を示す。表２２００は、エントリー２２０２，２２０４，２２０６，２２０８を含む。切上げ額２２２０は、＄０．６０の値を有し、顧客が彼の釣り銭（＄０．６０）を分割式宝くじ券と交換する場合の取引に対応する。顧客はこうして１枚の宝くじ券の一部分を得て、その部分は金額＄０．６０に基づく。その一部を割り当てるための宝くじ券を選ぶために、店舗コントローラ２０１０は、各々が少なくとも＄０．６０の未割当部分を有する１組の券を決定する。この組は、エントリー２２０４，２２０６，２２０８を含む。この組から、最小の未割当部分を有する宝くじ券が選ばれる。エントリー２２０４，２２０６，２２０８のうちで、エントリー２２０８が最小の未割当部分（＄０．６１）を有する。従って、エントリー２２０８に対応する宝くじ券が選ばれて、そこから＄０．６０部分が割り当てられる。
他の実施例では、顧客は、手作業によりまたはお得意様カードに記憶されている番号を通して取引時に券番号を彼自身で選んでよい。それらの券番号を含む１枚または複数枚の宝くじ券が所得され（例えば、宝くじサーバー２０１２に対する電子的要求によって）、発券データベース２０３０（図２９）に追加され、それの一部分または複数部分がその顧客が購入した分割式宝くじ券に含まれるであろう。そのような実施例は、顧客が彼の好みのまたは「幸運の」番号を有する分割式宝くじ券を得ることを可能にする。
一旦、分割式宝くじ券が決定すると、ＰＯＳ端末は、顧客のために、例えばレシート上にその分割式宝くじ券の券表示を印刷する。印刷された券は、その顧客がその表示された宝くじ券によって当選する任意の賞品の表示部分に登録されていることの証明となる。そのような印刷された券は、それに対応する（Ｉ）分割式宝くじ券識別子，（ＩＩ）券番号，（ＩＩＩ）その宝くじ券（単数または複数）の割当部分（単数または複数），（ＩＶ）取引識別子および（Ｖ）それらの組合せに基づく暗号化コードを含むことができる。そのような暗号化コードは、印刷された券が変更されていないことを証明するために使用されるであろう。暗号化技術については、１９９６年発行、ブルース・シュネイアー（Bruce schneier）著、「応用暗号学：プロトコル，アルゴリズムおよびＣによるソースコード」、第２版に記述されている。当業者は、暗号化コードが暗号化アルゴリズムによって、偽造者が当たり宝くじ券を表示するコードはもちろんのこと、有効なコードも生成することができないように決定されることを理解するであろう。
【００５４】
印刷された券はまた、その表示された宝くじ券によって勝ち取られる任意の賞品の表示部分に対する権利および資格をその顧客に譲渡する規定のような契約上の記述を含むことができる。さらに、当業者には理解されるであろうように、抽選日やその分割式宝くじ券の有効期限のような事項も印刷された券の上に含ませることができる。さらに、以上の情報の任意のものまたはすべてを表示するバーコードを印刷することによって、バーコードスキャナーを使用して情報の入力を容易にすることも好ましいであろう。
図３７を参照すると、宝くじ券の一部分を割り当てる方法２２４０は、金額を決定することによって開始される（ステップ２２４２）。例えば、ＰＯＳ端末は、釣り銭の額を計算し、その額を最も近い１０セントに切り捨てるかもしれない。ＰＯＳ端末は丸められた額を店舗コントローラに送信し、それによって、その店舗コントローラはこの丸められた額となるべき金額を決定する。次に、店舗コントローラは、その金額価値に基づく部分を宝くじ券に割り当てる（ステップ２２４４）。次に、店舗コントローラは、（Ｉ）その宝くじ券を同定する券識別子と、（ＩＩ）その宝くじ券の割当部分を同定する部分識別子とを出力する（ステップ２２４６）。例えば、店舗コントローラは、典型的には、券識別子および部分識別子をＰＯＳ端末に送信し、そのＰＯＳ端末は、上述したように、送信された識別子に基づいて分割式宝くじ券を印刷する。店舗コントローラはまた、認証の目的のために、例えば分割式券データベース２０３４（図２９）に券識別子および部分識別子を記憶する（ステップ２２４８）。
付加的宝くじ券取得
上述したように、宝くじ券の供給から宝くじ券の部分が割り当てられる。割当の後で、宝くじ券が＄０．００の未割当部分を有するであろうことは可能である。言い換えれば、その宝くじ券の全体を割り当てて、その宝くじ券のそれ以上の割り当てできる部分が残らないようにすることができる。
さらに、割当の後は、１枚の宝くじ券も、分割式宝くじ券に対する特別な要求（または、予期される要求）を満足するに十分な未割当部分を持たないようにすることもできる。例えば、宝くじ券の＄０．３５部分を割り当てる試みがあるかもしれないが、発券データベース２０３０（図２９）に表されるどの宝くじ券も＄０．３５またはそれ以上の未割当部分を持たない。そのような状況では、複数の宝くじ券から、部分を集めて＄０．３５と等しくなるように、部分を割り当てることが可能であろう。しかし、多数のものから１つの部分を割り当てるよりも、１枚の宝くじ券から１つの部分を割り当てる方が好ましいであろう。例えば、顧客にとっては、複数組の券番号よりも、１組の券番号を追跡するほうが簡単である。
【００５５】
従って、宝くじ券の発行に対して追加的な宝くじ券を取得することが有利である。特に、商取引に不要な遅延を持ち込まないように、宝くじ券が必要とされる前の時点で追加的な宝くじ券を取得する方が有利である。追加的な券は、宝くじ券を入手するのに要する時間を減らすように所定の量で取得されるであろう。例えば、３０枚の券が一度に取得されるであろう。さらに、この所定の量は、現在使用されているＰＯＳ端末の枚数のような基準に依存するであろう。追加的な宝くじ券は、既知のように、州の宝くじから「クイック・ピック」券（ランダムに選ばれた券番号を有する券）を購入することによって取得されるであろう。
一実施例では、店舗コントローラ２０１０（図２８）は、所定のしきい値を超える未割当部分を有する券の枚数を計数する。例えば、店舗コントローラ２０１０は、＄０．５０を超える未割当部分を有する券の数を計数するであろう。その数は第２の所定のしきい値と比較されて、その数が第２の所定のしきい値よりも小さければ、１枚または複数枚の追加の宝くじ券が取得される。例えば、＄０．５０を超える未割当部分を有する宝くじ券が１０枚よりも少なければ、追加の宝くじ券が取得される。
別の実施例では、店舗コントローラ２０１０（図２８）は、必要とされる部分以上の未割当部分を有する券の数を計数する。例えば、ＰＯＳ端末は店舗コントローラから＄０．４０の分割式宝くじ券を要求するかもしれない。店舗コントローラ２０１０は、それに対して、＄０．４０を超える未割当部分を有する券の数を計数する。この数は所定のしきい値と比較されて、この数が所定のしきい値より小さければ１枚または複数枚の追加的な宝くじ券が取得される。例えば、＄０．４０を超える未割当部分を有する宝くじ券が８枚よりも少なければ、追加の宝くじ券が取得される。
【００５６】
別の実施例では、店舗コントローラ２０１０（図２８）はすべての券の未割当部分の合計を計算する。その合計が所定のしきい値よりも小さければ、追加の券が取得される。例えば、その合計の残存未割当量が＄１０．００よりも小さければ、３０枚の追加券の１ブロックが取得される。
宝くじ券の部分払戻し
宝くじ券の供給を取得および管理する会社またはその他の団体は、チェックして、当たり券かどうかを決定するであろう。そうであれば、会社は可能な限り早期にその当たり券を賞品に交換することが好ましく、そうすれば、対応する分割式宝くじ券を有するそれらの顧客に支払うためにその賞品を使用することができるであろう。当たり券番号は、利用できるときに店舗コントローラ２０１０（図２８）に手作業で入力されるであろう。理想的には、店舗コントローラ１０は、各抽選日の当たり券番号を宝くじサーバー２０１２（図２８）から受信するであろう。店舗コントローラはそれらの当たり券番号を当たり宝くじ券データベース２０３６（図２９）に記憶することができる。
図３８を参照すると、当たり宝くじ券データベース２０３６は、それぞれが抽選日の当たり券番号を定義するエントリー２２６０，２２６２，２２６４を含む。各エントリーには、（Ｉ）対応する抽選日２２６６と、（ＩＩ）当たり券番号２２６８と、（ＩＩＩ）賞品２２７０とが含まれる。当たり宝くじ券データベース２０３６は、有効で払い戻しできる分割式宝くじ券に対応するすべての抽選日のエントリーを含むべきである。例えば、分割式宝くじ券がその対応する抽選日の後１年までは払い戻しされるとすれば、少なくとも過去１年間の各抽選日のエントリーが記憶されるべきである。賞品２２７０は、例えば、すべての当たり券番号が一致する場合に勝ち取られる賞品であろう。それ以上の賞品については各エントリー毎に規定されるであろう。例えば、６桁の当たり券番号のうち５桁だけが一致するときの賞品も、同様に、各エントリーに規定してよい。
【００５７】
ある抽選日の当たり券番号が店舗コントローラ２０１０（図２８）によって受信されると、店舗コントローラ２０１０は、それらを当たり宝くじ券データベース２０３６に単に記憶し、顧客によって分割式宝くじ券が払い戻されるときにそこにアクセスすることになる。しかし、店舗コントローラ２０１０はまた、どの分割式宝くじ券が当たりの宝くじ券の部分を含むかを決定することもできる。次に、分割式券データベース２０３４（図２９）の対応する記録が修正されて、その分割式宝くじ券が当たり宝くじ券の部分を含むことが表示されるようになろう。さらに、それらの分割式宝くじ券がお得意様カードを使用して購入されたものであれば、対応する顧客も通知されるであろう。
図３９を参照すると、お得意様データベース２０３８は、それぞれがお得意様（商取引にお得意様カードを使用したことのある顧客）を定義するエントリー２２８０，２２８２，２２８４，２２８６を含む。特に、各エントリーは、（Ｉ）そのお得意様を一意的に同定するためのお得意様番号２２８８と、（ＩＩ）そのお得意様の住所２２９０と、（ＩＩＩ）そのお得意様の電話番号２２９２と、（ＩＶ）そのお得意様の名前２２９４と、（Ｖ）そのお得意様の電子メールアドレス２２９６とを含む。そのような記憶情報で以て、お得意様は、郵便，電話，電子メールまたはその他の所望の通知形態で通知されるであろう。さらに、お得意様は、彼らが次にお得意様カードを使用するときにＰＯＳ端末によって通知されるであろう。お得意様に通知という付加的恩恵を提供することは、顧客にお得意様になるよう促す点で有利である。従って、それらの顧客はその会社をしばしば訪れることを続ける可能性が高い。
分割式宝くじ券を払い戻すために、顧客は、好ましくは、彼が表示された賞品の分け前を与えられる資格があることを示すために、印刷された券を提示する。印刷された券は、それが有効で変更されていないことが確認される。例えば、印刷された券が有効であれば、その印刷された券の上に刻印された分割式宝くじ券識別子は、分割式券データベース中の１つの記録を表示する。次に、その記録は、印刷された券上の対応する情報を表示すべきである。さらに、暗号化コードを確認することができる。
【００５８】
図４０を参照すると、分割式宝くじ券の払い戻しのための方法２３００は、（Ｉ）宝くじ券を同定する券識別子と、（ＩＩ）その宝くじ券の割当部分を同定する部分識別子とを受け取ることによって、開始する（ステップ２３０２）。それらの識別子は、ＰＯＳ端末に１個または複数個の識別子を手作業で入力することによって受信されであろう。識別子はそこから店舗コントローラ２０１０（図２８）に送信される。または、ＰＯＳ端末のバーコードスキャナーが、印刷された券上のバーコードを読んで、そのバーコードを店舗コントローラ２０１０に送信してもよい。入力された識別子またはバーコードは分割式宝くじ券の識別子の表示であり、この表示は、対応する券識別子および部分識別子を分割式券データベース２０３４（図２９）から取り出すために使用されるであろう。このように、店舗コントローラは券識別子および部分識別子を受信する。
一旦識別子が受信されて、それによって１枚または複数枚の宝くじ券およびそれの割当部分が同定されると、宝くじ券の賞品価値が決定されるであろう（ステップ２３０４）。上述したように、賞品価値は、当たり宝くじ券データベース２０３６（図２９）に記憶された当たり券番号と宝くじ券の券番号を比較することで決定されるであろう。上述したように、その顧客に提供されるべき賞品の部分はその宝くじ券の割当部分によって決まる。典型的には現金をキャッシュ・レジスタから提供することによって、または、その顧客宛で発行される小切手を書くか印刷することによって、賞品のその部分が顧客に提供される（ステップ２３０６）。
当たりの宝くじ券は、ゼロよりも大きい未割当部分を有するかもしれない。そのような当たり宝くじ券は、顧客に支払われない賞品価値に関連する部分を有するであろう。賞品のこの部分は、その代わりに、会社に保有されて、各種の顧客を刺激する投資のために使われるであろう。例えば、保有される賞品価値の一部は、分割的宝くじ券の形で（すなわち、＄０．０５の釣り銭で＄０．５０の分割式宝くじを買う）顧客に戻されるであろう。
会社は、当たり券に特定の賞品価値を添えて提供することによって、さらなる当たりを保有するかもしれない。例えば、顧客には「大当たり」（例えば、すべて６桁の当たり券番号が一致）の分け前だけが提供される。任意のその他の賞品が会社に保留される。もちろん、そのような制限は、広告や分割式宝くじ券に印刷された情報によって顧客に説明されるであろう。
【００５９】
本発明はそれの好適実施例に関して説明されたが、当業者は本発明の精神および範囲から外れることなく、ここに説明するそれらの実施例に対して各種の置換が行い得ることに気づくであろう。例えば、本発明は、賞品が当たる宝くじの他に、多くのタイプのゲームにも適用できる。さらに、いくつかの実施例では、店舗コントローラに記憶されるデータは、その代わりに、ＰＯＳ端末に記憶されてもよい。同様に、店舗コントローラによって実行される機能のいくつかはＰＯＳ端末によって実行されてもよい。また、逆も可能である。
顧客に対して提供するためのアップセルを彼の購入品目から予め定義される関係に従って決めるための方法および装置が提供される。そのような買物の品目とオファーするアップセルとの間の関係は、品目およびアップセルの両方を含む表によって概念的に説明されれであろう。従って、表は、顧客の買物が特別な品目を含むときにオファーするアップセルを定義する対応のデータベースを記述する。
そのような表に基づく実施例は、特に、典型的な店舗マネージャが理解することが易しい。例えば、ファーストフードレストランの店舗マネージャは、ハンバーガーおよび小フレンチフライを注文する顧客に提供できるアップセルにはどのようなものがあるか知りたいであろう。店舗マネージャは、その表を検索して、ハンバーガーおよび小フレンチフライに対応するエントリーを探すかもしれない。そして、それらのエントリーから対応するアップセルを決定するかもしれない。
そのような表に基づく実施例はまた、典型的な店舗マネージャが必要に応じて調節することも易しい。例えば、店舗マネージャは、ハンバーガーおよび小フレンチフライを注文する非常に多数の顧客がまたデザートも魅力的であると思うだろうと判断するであろう。店舗マネージャは、そのとき、表（データベースを表す）を修正して、ハンバーガーおよび小フレンチフライを含む買物に対してデザートのアップセルを定義する１つのエントリーを含めることができる。
アップセルはスペアの釣り銭と交換されるので、すべての顧客が同じアップセルに対して同じ価格を支払うことはない。例えば、顧客が＄４．６４の第１の購入価格を有するとすれば、＄５．００という丸められた価格（＄４．６４を最も近いドルに丸められた）の支払いと交換に特別なアップセルを提供してもよい。顧客はそのアップセルに対して＄０．３６を支払うことになる。しかし、＄４．７２の第２の購入価格を有する別の顧客は、同じアップセルを＄５．００（＄４．７２を最も近くのドルに丸められた）で提供されてもよい。そうすれば、この顧客は同じアップセルに対して＄０．２８を支払うことになろう。従って、アップセルは、単に売り出され、すべての顧客に固定された価格を有する製品ではない。その代わり、アップセルは顧客毎に異なる額で購入されるであろう。その額は購入価格を何らかの丸め倍数に丸める必要がある。
【００６０】
図４１を参照すると、ＰＯＳ端末３０１０は、１台または複数台の従来のマイクロプロセッサのようなプロセッサ３０１２を含む。プロセッサ３０１２は、磁気的，光学的および／または半導体メモリの適当な組合せのようなデータ記憶装置３０１４と通信する。プロセッサ３０１２および記憶装置３０１４はそれぞれ、（Ｉ）単一のコンピュータまたはその他計算装置の内部に完全に含まれて位置するか、（ＩＩ）シリアルポートケーブル，電話線または無線周波数トランシーバーのような遠隔通信媒体によって互いに接続されているか、（ＩＩＩ）それらの組合せになっている。例えば、ＰＯＳ端末３０１０は、データベース維持のための遠隔サーバーコンピュータに接続された１台または複数台のコンピュータを含むことができる。
入力装置３０１６，プリンタ３０１８および表示装置３０２０はそれぞれ、プロセッサ３０１２と通信する。入力装置３０１６は、好ましくは、買物を表示する信号のような入力信号をプロセッサ３０１２に送信するためのキーパッドを含む。入力装置３０１６はまた、バーコードを読み取ってそれらのバーコードを表現する信号をプロセッサ３０１２に送信するための光学的バーコードスキャナーを含むことができる。プリンタ３０１８は、紙またはその他の材料上に標印を登録して、それによって、プロセッサ３０１２の命令のままにレシートを印刷するするためのものである。表示装置３０２０は、好ましくは、顧客およびＰＯＳ端末３０１０を操作するレジ係に対して少なくともアルファベット数字文字を表示するためのビデオモニターである。多くのタイプの入力装置，プリンタおよび表示装置は、当業者に既知であり、ここで詳細に述べる必要はない。
記憶装置３０１４は、プロセッサ３０１２を制御するためのプログラム３０２２を記憶する。プロセッサ３０１２は、プログラム３０２２の命令を実行し、それによって、本発明に従って、特に、ここに詳細に説明する方法に従って、動作する。プログラム３０２２はさらに、入力装置３０１６，プリンタ３０１８および表示装置３０２０のようなコンピュータ周辺装置とプロセッサ３０１２がインタフェースすることを許容する「デバイスドライバ」およびオペレーティングシステムのような必要となるプログラム要素を含む。適当なデバイスドライバおよびその他必要なプログラム要素は、当業者に既知であり、ここで詳細に説明する必要はない。
【００６１】
記憶装置３０１４はまた、（Ｉ）在庫データベース３０２４と、（ＩＩ）可能なアップセル・データベース３０２６と、（ＩＩＩ）アップセルオファー・データベース３０２８と、（ＩＶ）受け入れられたオファー・データベース３０３０とを記憶する。データベース３０２４，３０２６，３０２８，３０３０は、以下に詳細に説明され、添付図面に例示エントリーを添えて図示される。当業者には理解されるであろうように、ここに提供されるデータベースの模式図およびそれに付随する説明は情報の記憶表現の配置例である。示された表の他に、多数のその他の配置が採用されるであろう。同様に、図示されたエントリーは情報例を表しており、当業者はエントリーの数および内容がここに示したものと異なることができることを理解するであろう。
図４２を参照すると、ＰＯＳ端末３０４０の別の実施例は制御装置３０４２を含んでおり、それは通信媒体３０４４を介してレシートおよび／またはクーポンを印刷するためのシステム３０４６と通信する。制御装置３０４２は、入力装置３０１６（図４１）および表示装置３０２０（図４１）と通信するプロセッサ３０４８を含む。印刷のためのシステム３０４６は、記憶装置３０１４（図４１）およびプリンタ３０１８（図４１）と通信するプロセッサ３０５０を含む。この実施例で、制御装置３０４２はキャッシュ・レジスタでよく、また、システム３０４６はキャッシュ・レジスタから受信されるデータに従ってクーポンを印刷するための電子装置でよい。ＰＯＳ端末のその他の構成は当業者には理解されるであろう。
図４３を参照すると、図４１の在庫データベース３０２４は、それぞれが購入できる品目を定義するエントリー３１００，３１０２，３１０４，３１０６，３１０８，３１１０，３１１２，３１１４を含む。各エントリーは、（Ｉ）その品目を一意的に同定する品目識別子３１１６と、（ＩＩ）品目記述３１１８と、（ＩＩＩ）品目価格３１２０と、（ＩＶ）品目コスト３１２２とを含む。各エントリーに対して、品目価格３１２０は、対応する品目に対して顧客が通常支払う価格を表示しており、また、品目コスト３１２２はその品目の会社に対するコストを表示する。従って、品目コスト３１２２は、例えば、その会社自体がその品目に対して支払う価格であろう。いくつかの実施例では、在庫データベース３０２４はまた、各品目の利用可能な数量の表示を含む。
【００６２】
図４４を参照すると、図４１の可能なアップセル・データベース３０２６は、それぞれが釣り銭と引き替えに顧客に対してオファーされるであろうアップセルを定義するエントリー３１４０，３１４２，３１４４，３１４６を含む。各エントリーは、（Ｉ）そのアップセルを一意的に同定するアップセル識別子３１４８と、（ＩＩ）アップセル記述３１５０とを含む。
図４５を参照すると、表３１５５はアップセルオファー・データベース３０２８（図４１）の一実施例を示す。表３１５５は、顧客の買物が特別な品目を含むときにオファーするアップセルをそれぞれが定義するエントリー３１６０，３１６２，３１６４，３１６６，３１６８，３１７０を含む。各エントリーは、（Ｉ）その買物に含まれる品目３１７２と、（ＩＩ）オファーするアップセル３１７４とを含む。例えば、買物が小フレンチフライおよび大コーラを含むならば、エントリー３１６４はアップセル“Ｄ”をオファーすべきことを表示する。可能なアップセル・データベース３０２６（図４４）のエントリー３１４６によって示されるように、アップセル“Ｄ”は小フレンチフライから大フレンチフライへのアップグレードである。従って、顧客がこのオファーを受け入れれば、彼は大フレンチフライおよび大コーラを受け取ることになる。
特別な買物に含まれる品目は、アップセルオファー・データベース３０２８の１つより多いエントリーに対応するかもしれない。例えば、ハンバーガーおよび小フレンチフライを含む買物はエントリー３１６０およびエントリー３１６２に対応する。買物が１つより多いエントリーに対応すれば、１つのエントリーがランダムに選ばれるかレジ係の指示に従って選ばれて、このエントリーに対応するアップセル（単数または複数）がその顧客に提供される。または、顧客はエントリーの内から選ぶことを許されて、それによって、選ばれたエントリーに対応するアップセル（単数または複数）を選ぶことができる。
【００６３】
アップセルオファー・データベース３０２８の１つのエントリーは１つより多いアップセルを表示するかもしれない。例えば、エントリー３１６６は、ハンバーガー，大コーラおよび小フレンチフライを購入する顧客がアップセル“Ｃ”およびアップセル“Ｄ”をオファーされることを表示する。同様に、エントリー３１６８は、ハンバーガー，大コーラおよび中フレンチフライを購入する顧客がアップセル“Ｃ”およびアップセル“Ｃ”（アップセル“Ｃ”を２つ）オファーされることを表示する。可能なアップセル・データベース３０２６（図４４）のエントリー３１４４によって表示されるように、アップセル“Ｃ”はアップルパイである。従って、顧客がこのオファーを受け入れれば、彼はハンバーガー，大コーラ，中フレンチフライおよびアップルパイ２個を受け取ることになる。
これら品目およびアップセル（単数または複数）の両方に対して顧客が支払う丸められた価格は、購入価格を次に大きいドル額などの所定の倍数に切り上げることによって決定されであろう。または、アップセルオファー・データベース３０２８は、次に説明するように、直接または間接的に丸められた価格を表示することもできる。
図４６を参照すると、表３１８０はアップセルオファー・データベース３０２８（図４５）の別の実施例を示している。表３１８０は、顧客の買物が特別な品目を含むときにオファーするアップセルをそれぞれが定義するエントリー３１９０，３１９２，３１９４，３１９６，３１９８，３２００を含む。各エントリーは、（Ｉ）買物に含まれる品目３２０２と、（ＩＩ）オファーするアップセル３２０４と、（ＩＩＩ）顧客がそのオファーを受け入れれば、その品目およびアップセルに対して課すべき丸められた価格３２０６とを含む。例えば、買物がハンバーガー，大コーラおよび大フレンチフライを含み、また、アップセル“Ｃ”がオファーされエントリー３２００に従って受け入れられれば、エントリー３２００はまた、＄５．００の丸められた価格がその顧客に課せられることを表示する。図４６に示された丸められた価格の例はそれぞれ１ドルの倍数であるが、丸められた価格は、任意、例えば５ドルまたは２５セントの値の倍数でもよい。
【００６４】
図４７を参照すると、表３２２０はアップセルオファー・データベース３０２８（図４５）の別の実施例を示している。表３２２０は、顧客の買物が特別な品目を含むときにオファーするアップセルをそれぞれが定義するエントリー３２２２，３２２４，３２２６，３２２８，３２３０，３２３２を含む。各エントリーは、（Ｉ）その買物に含まれる品目３２３４と、（ＩＩ）オファーするアップセル３２３６と、（ＩＩＩ）顧客がそのオファーを受け入れれば、購入価格に追加されるべきアップセル価格３２３８とを含む。好ましくは、アップセル価格は、対応する購入価格に追加されるときに、結果の和がドルの倍数のような丸められた価格となるようなものである。
図４８を参照すると、表３２５０はアップセルオファー・データベース３０２８（図４５）の別の実施例を示している。表３２５０は、顧客の買物が特別な品目を含むときにオファーするアップセルをそれぞれが定義するエントリー３２５２，３２５４，３２５６，３２５８，３２６０，３２６２を含む。各エントリーは、（Ｉ）その買物に含まれる品目３２６４と、（ＩＩ）オファーするアップセル３２６６と、（ＩＩＩ）顧客がそのオファーを受け入れれば、購入価格が丸められるべき額を表示する丸め倍数３２６８とを含む。このように、購入価格が決定されて、次に、対応する丸め倍数に従って丸められて、丸められた価格が得られるであろう。例えば、エントリー３２５２，３２５４，３２５６，３２５８，３２６０，３２６２はそれぞれ、購入価格が最も近いドルに丸められることを定義する。
図４９を参照すると、ＰＯＳ端末において補助的製品を提供するための方法３２８０は、ＰＯＳ端末が買物中の品目を受信するときに開始される（ステップ３２８２）。典型的には、各品目はバーコードを有し、それはバーコードスキャナーによって走査され、次に、それらの品目を表す信号をＰＯＳ端末がバーコードスキャナーから受信する。または、入力装置３０１６の各種のキーを押して、それらの品目を表す信号を生成してもよい。次に、ＰＯＳ端末はそれらの品目に基づいてアップセルを決定する（ステップ３２８４）。アップセルを決定するために、ＰＯＳ端末は、それらの品目に対応する１個または複数個の記録を決定し、それによって、それらの記録の対応するアップセルを決定するために、アップセルオファー・データベース３０２８（図４１）を検索する。
【００６５】
ＰＯＳ端末は、顧客がそれら品目およびアップセル（単数または複数）の両方のために支払うであろう丸められた価格を決定する（ステップ３２８６）。上述したように、丸められた価格は、購入価格を次に高いドル額のように、所定の倍数に切り上げることによって決定されるであろう。他の実施例では、丸められた価格はアップセルオファー・データベースから決定される。一実施例では、丸められた価格はアップセルオファー・データベースの記録に基づいて決定されるかもしれない。例えば、図４６に関して上で説明したように、アップセルオファー・データベースの各エントリーは丸められた価格を含むことができる。図４７に関して上述したように、別の実施例では、アップセルオファー・データベースの各エントリーは、丸め倍数を含み、また、購入価格は丸め倍数に従って丸められて、丸められた価格を生成する。さらに別の実施例では、図４８に関して上で説明したように、アップセルオファー・データベースの各エントリーは、購入価格に追加されて、丸められた価格を発生するアップセル価格を含んでもよい。
顧客は、丸められた価格と交換（購入）するそれらの品目およびアップセル（単数または複数）のオファーを提供される（ステップ３２８８）。例えば、ＰＯＳ端末は、アップセル（単数または複数）の名前のようなアップセル（単数または複数）の表示を表示装置３０２０に出力する。顧客がそのオファーを受け入れれば、要求された支払額がその丸められた価格に設定される。この要求された支払額は、顧客に提供される製品と引き替えに支払うことが期待される金額である。要求された支払額から、プロセッサ３０１２（図４１）は、例えば、その日の終わりにＰＯＳ端末によって集められているべき合計金額を決定する。当業者は、要求された支払額がデータ記憶装置３０１４に記憶されるのが普通であり、例えば、その取引に対して１つの記憶された値であるか、取引に含まれる１個または複数個の製品に対して支払うことが期待される金額にそれぞれ対応する複数の値を含むことができることに気づくであろう。
【００６６】
顧客がそのオファーに応答し、その応答は、入力装置３０１６上のキーが押されるときにＰＯＳ端末によって受信されるか、当業者には既知のその他のやり方で受信されるであろう（ステップ３２９０）。その応答がそのオファーの受入を示していれば、それらの品目およびアップセル（単数または複数）がその丸められた価格と交換される（ステップ３２９２）。望むならば、ＰＯＳ端末は、品目の利用可能な数量を記憶する表示に対して適当な修正を施して、それらの品目およびアップセル（単数または複数）が売れたことを反映させる。ＰＯＳ端末はまた、そのオファーに対する応答を会計および市場調査分析のために記憶することもできる。
出願人は、ＰＯＳ端末によって実行される補助的プロセスが顧客の商取引に遅延をもたらすことと、それらの遅延がある状況では許容されるであろうこととを認識している。例えば、処理中の顧客取引が数少ないときは、そのような遅延は時間当たりの販売や時間当たりの利益のようなパフォーマンスの関連尺度に顕著な影響を及ぼさない。
従って、活動性の低い間に補助的プロセスを実行し、活動性が高いときは補助的プロセスを減らすか抑制することで、利益を上げることができる。そのような利益の増大は、常に補助的プロセスを実行するか補助的プロセスを全く実行しないＰＯＳ端末の利益を超えることができる。
本発明の一実施例では、ＰＯＳ端末は端末の活動率のような１個または複数個の基準を測定して、その基準が所定のしきい値よりも小さければ、補助的プロセスを実行する。別の実施例では、ＰＯＳ端末は、端末の活動率を測定して、その活動率に従ってオファーのスケジュールを決定し、それによって、オファー・スケジュールに従って補助的製品のオファーを提供する。オファー・スケジュールは、時間の掛かるオファー（「オファー速度」の低いオファー）を低活動率の期間に実行し、より迅速なオファー（「オファー速度」の高いオファー）をより高活動率の期間に実行するように指定するであろう。
先に述べた親出願である出願番号第０８／９２０，１１６号に述べられているように、スペアの釣り銭をアップセルと交換するオファーを提供することは特に好ましい。従って、本発明は、高いパフォーマンスレートを有するアップセルに対するオファーを提供することを企図している。ｓらに、本発明は、オファー・スケジュールに従って異なるアップセルに対するオファーを提供することを企図している。
【００６７】
図５０を参照すると、アイビーエムによって製造されたＩＢＭ“４６８３”またはＩＢＭ“４６９３”でよいＰＯＳ端末４０１０は、１個または複数個の従来のマイクロプロセッサのようなプロセッサ４０１２を含む。プロセッサ４０１２は、磁気的，光学的および／または半導体メモリの適当な組合せのようなデータ記憶装置４０１４と通信する。プロセッサ４０１２および記憶装置４０１４はそれぞれ、（Ｉ）単一のコンピュータまたはその他の計算装置の内部に完全に含まれているか、（ＩＩ）シリアルポートケーブル電話線または無線周波数トランシーバーのような遠隔通信媒体によって互いに接続されているか、（ＩＩＩ）それらの組合せとなっているであろう。例えば、ＰＯＳ端末４０１０は、データベースを維持するための遠隔サーバーコンピュータに接続された１台または複数台のコンピュータを含むことができる。
入力装置４０１６は、買物を表示する信号のような入力信号をプロセッサ４０１２に送信するためのキーパッドを含むことが好ましい。プリンタ４０１８は、紙またはその他の材料上に標印を登録し、それによって、プロセッサ４０１２に命令されるままにレシート，クーポンおよび引換券を印刷するためのものである。表示装置４０２０は、好ましくは、顧客および／またはレジ係に少なくともアルファベット数字文字を表示するためのビデオモニターである。多くのタイプの入力装置，プリンタおよび表示装置は、当業者には既知であり、ここで詳細に説明する必要はない。入力装置４０１６，プリンタ４０１８および表示装置４０２０はそれぞれ、プロセッサ４０１２と通信する。
センサー４０２２もまた、プロセッサ４０１２と通信する。センサー４０２２およびプロセッサ４０１２は、例えば、店舗に入ってくる顧客の数やそのＰＯＳ端末の付近にいる顧客の数を測定するために使用されるであろう。多くのその他のタイプのセンサーは、当業者には既知であり、ここで詳細に説明する必要はない。
記憶装置４０１４は、プロセッサ４０１２を制御するためのプログラム４０２４を記憶する。プロセッサ４０１２は、プログラム４０２４の命令を実行して、それによって、本発明に従って、特に、ここに詳細に説明する方法に従って、動作する。プログラム４０２４はさらに、入力装置４０１６，プリンタ４０１８，表示装置４０２０およびセンサー４０２２のようなコンピュータ周辺装置とのインタフェースをプロセッサが取ることを可能とするために必要かもしれない「デバイスドライバ」やオペレーティングシステムのようなプログラム要素を含む。適当なデバイスドライバおよびその他の必要なプログラム要素は、当業者に既知であり、ここで詳細に説明する必要はない。
【００６８】
図５１は、図５０のＰＯＳ端末の別の実施例を示しており、そこでは、制御装置４０２８は、補助的プロセスを提供するシステム４０３２と通信媒体４０３０を介して通信する。制御装置４０２８は、入力装置４０１６および表示装置４０２０と通信するプロセッサ４０３４を含む。補助的プロセスを提供するためのシステム４０３２は、記憶装置４０１４，プリンタ４０１８およびセンサー４０２２と通信するプロセッサ４０３６を含む。この実施例で、制御装置４０２８はキャッシュ・レジスタでよく、また、システム４０３２は、それに接続された、キャッシュ・レジスタから受信されるデータに従ってクーポンを印刷するための電子装置でよい。ＰＯＳ端末４０１０のその他の構成は、当業者には理解されるであろう。
図５２を参照すると、補助的プロセスの動作を制御するための方法４０４０は、ＰＯＳ端末４０１０の活動率のような１個または複数個の基準を測定する図５０および図５１のＰＯＳ端末４０１０で開始される（ステップ４０４２）。例えば、ＰＯＳ端末４０１０は、時間当たりに完了した取引数（取引率），時間当たりにＰＯＳ端末１０を介して購入される品目数（品目販売率）または時間当たりの顧客によって受け入れられるアップセル数（アップセル受入率）を測定するであろう。ＰＯＳ端末４０１０は、センサー４０２２から受信される入力信号を通して、店舗内の顧客数やＰＯＳ端末近辺にいる顧客数のような顧客数を測定するであろう。多くのその他のタイプの測定が、ＰＯＳ端末４０１０によって実行されるであろう。
次に、ＰＯＳ端末４０１０は、測定された活動率やその他の基準に基づいて、釣り銭と交換にアップセルを提供するといった補助的プロセスを実行するかどうかを決定する。一実施例では、ＰＯＳ端末４０１０は活動率を所定のしきい値と比較する。そのようなしきい値はたくさんの方法で決定されるであろう（ステップ４０４４）。例えば、このしきい値は、所定の値（例えば、毎分３取引の割合）または可変値（例えば、午後５時以降は毎分３取引で、その他は毎分２取引）でよい。時間帯および曜日のような多くの変数に基づいてしきい値を計算する多くの方法が、当業者には理解されるであろう。
【００６９】
一旦しきい値が決まると、活動率が所定のしきい値と比較される（ステップ４０４６）。１つの比較は、活動率がしきい値よりも小さいかどうかを決定することである。例えば、ＰＯＳ端末４０１０は、最後の１０分間に完了した取引の測定数が毎１０分当たりの７取引という所定のしきい値よりも小さいどうかを決定する。
その比較が肯定（すなわち、測定された活動率がしきい値よりも小さい）であれば、ＰＯＳ端末４０１０は補助的プロセスを実行する（ステップ４０４８）。ＰＯＳ端末４０１０はプログラム４０２４の命令を実行することによって補助的プロセスを実行するであろう。または、ＰＯＳ端末４０１０は、制御装置４０２８（図５１）からシステム４０３２に補助的プロセスを提供するための制御信号を送ることによって、補助的プロセスを実行してもよい。そのような実施例では、制御装置４０２８が、システム４０３２を許可するか停止するかを決定する。例えば、活動率が所定のしきい値よりも大きければ、制御装置４０２８は、システム４０３２を停止し、また、活動率が所定のしきい値よりも小さければ、システム４０３２を許可するであろう。制御装置４０２８は、システム４０３２に適当な許可信号および停止信号を送信することによってそれを許可および停止することができるであろう。そのような信号は制御信号でよく、それは、補助的プロセスの実行を許可または停止するためだけに機能するか、システム４０３２によって使用するための付加的情報を含むデータ信号でもよい。別々になった許可および停止信号の代わりに、制御装置４０２８は、システム４０３２を許可されたモードと停止されたモードとの間でトグルさせる信号をシステム４０３２に送信することができる。
この代わりに、システム４０３２が「停止までは許可」でよいことを当業者は理解するであろう。言い換えれば、制御装置４０２８は、補助的プロセスを実行しないときにだけ停止信号を送信する必要があるだけであろう。システム４０３２に停止信号が送信されないときは、システム４０３２は補助的プロセスを実行するであろう（許可信号が受信されずとも）。同様に、システム４０３２は「許可までは停止」であってもよい。言い換えれば、制御装置４０２８は、補助的プロセスを実行するときだけに許可信号を送信することでもよい。システム４０３２に許可信号が送信されないときは、システム４０３２は補助的プロセスを実行しないであろう（停止信号が受信されずとも）。
【００７０】
上述した方法４０４０の説明のように、ＰＯＳ端末は、活動率を測定して、その活動率が所定のしきい値よりも小さいかどうかを決定するであろう。そうであれば、ＰＯＳ端末は、次に、本出願の親出願である、１９９７年８月２６日付け出願の、「販売地点端末で補助的製品を処理するための方法およびシステム」と題する特許出願番号第０８／９２０，１１６号に述べられているように、買物に依存してアップセルを決定する。ＰＯＳ端末はさらに、買物に依存してアップセル価格を決定し、また、アップセル価格と交換にアップセルを顧客に提供する。
上述した実施例において、ＰＯＳ端末４０１０は、補助的なプロセスが実行されるかどうかを決定する。他の実施例では、ＰＯＳ端末４０１０はさらに、測定された活動率または他の基準に基づいて補助的プロセスを選択するであろう。例えば、ＰＯＳ端末の活動率に依存して顧客に異なるタイプのオファーを提供することが好ましいかもしれない。特に、測定された活動率が低いときに、より時間の掛かるオファーが提供されて、他方、測定された活動率が高いときは、より迅速なオファーが提供される。
図５３は、オファー・スケジュールを示す表４０６０であって、それは、当該分野で既知のように、記憶装置４０１４に記憶されたデータベースとして組み込まれる。表４０６０の各行は１つのエントリーを表し、また、各エントリーはその活動率においてオファーするアップセルを定義している。詳細には、各エントリーは、そのエントリーを一意的に同定する活動率識別子４０６２と、率または率の範囲を記述する活動率４０６４と、その活動率でオファーするアップセル４０６６とを含む。特許出願番号第０８／９２０，１１６号に述べられているように、オファーするアップセル４０６６は、そのアップセルが受け入れられるまで、一時に１つオファーされる２つまたはそれ以上のアップセルを含むことができる。
【００７１】
毎１５分当たりに８取引よりも小さい活動率に対応するエントリー４０６８は、それらの（比較的小さい）活動率の間に付加的な製品をオファーすべきであることを表示する。付加的製品のオファーは、一般に低い「オファー速度」を有する。というのは、そのオファーが顧客によって受け入れられれば、付加的な製品を取り出すためにレジ係が数秒間を要するからである。エントリー４０７０は、毎１５分当たりに８取引から１５取引の間の活動率に対応して、それらの活動率の間に「あなたの釣り銭を３倍に」クーポンをオファーすべきことを表示する。典型的には、クーポンの印刷は付加的製品のオファーよりも高速である。クーポンのオファーは、このように、より高いオファー速度を有し、そのことがより高い端末活動期間にクーポンがオファーされる理由である。エントリー４０７２は、２５分当たりで１５取引を超える活動率のときに、オファーを提供すべきでないことを表示する。
上記実施例は、ＰＯＳ端末が補助的プロセスの実行をどのように自動制御するかを説明する。そのような自動制御を時々中断するための方法および装置を提供することはさらに望ましいであろう。ＰＯＳ端末の決定を手動で無効にすることを可能とすることは、補助的プロセスの動作により細かい制御を提供することになるであろう。例えば、店舗マネージャは、ＰＯＳ端末がその時点で補助的プロセスを実行してしなくても、補助的プロセスをテストしてみたいこともあるであろう。さらに、装置が正確にあてにできないとか、補助的プロセスを実行すべきでないという特別な状況もあるであろう。
図５４を参照すると、装置４０８０は、オーバーライド信号回路４０８４および自動制御信号回路４０８６から入力を受け取るオーバーライド決定マネージャ４０８２を含む。オーバーライド信号回路４０８４は、ＰＯＳ端末との通信におけるスイッチのように、オーバーライド信号を提供する装置である。オーバーライド信号回路４０８４は、入力装置４０１６（図５０および図５１）上の１個または複数個のキーでよく、信号を送信および／または発生する別の装置でも構わない。自動制御信号回路４０８６は、上述したように、補助的プロセスの自動的実行を制御するための制御信号を供給するＰＯＳ端末の一部である。オーバーライド決定マネージャ４０８２は、回路４０８４，４０８６からそれぞれオーバーライド信号および制御信号を受信して、それらに依存して、補助的プロセスの実行を制御するための「強調された制御」信号を発生する。強調された制御信号は、補助的プロセスを実行するためのシステム４０８８に送信される。システム４０８８は、図５０のＰＯＳ端末４０１０の部品であるソフトウエア・モジュールでよく、図５１の補助的プロセスを提供するためのシステム４０３２でもよい。
【００７２】
オーバーライド信号は、さもなければ自動制御信号回路４０８６からの制御信号に従って発生するはずの補助的プロセスの実行を中断するために使用されるであろう。次の表１を参照すると、示された真偽値表は、入力（オーバーライド信号および制御信号）の関数として出力（強調された制御信号）を示している。表１は、オーバーライド信号が２つの値の１つ（すなわち、０か１）を達成するようになった実施例を示している。しかし、当業者は、オーバーライド信号が２つより多い値を達成できることを理解するであろう。
2006059345.tif 000003
ここで、
自動制御を許可するためには、      オーバーライド信号＝０
補助的プロセスを停止するためには、  オーバーライド信号＝１
補助的プロセスを停止するためには、  制御信号＝０
補助的プロセスを許可するためには、  制御信号＝１
補助的プロセスを停止するためには、  強調制御信号＝０
補助的プロセスを許可するためには、  強調制御信号＝１
例えば、オーバーライド信号＝１で制御信号＝１のときは、ユーザーは、補助的プロセスを許可する自動決定を無効にする。従って、強調制御信号＝０であり、補助的プロセスは停止される。
【００７３】
図５５を参照すると、ネットワーク４１００は、ＰＯＳ端末４１０４，４１０６，４１０８と通信するサーバーコンピュータ４１０２を含む。サーバーコンピュータ４１０２は、上述したように、それ自身がＰＯＳ端末でよい。図５５には３個のＰＯＳ端末が示されているが、本発明の精神および範囲から外れることなく、任意の数のＰＯＳ端末がサーバーコンピュータと通信できるであろう。サーバーコンピュータ４１０２は、上述のプロセスの多くを、特に、１個より多いＰＯＳ端末で実行されるプロセスを実行することができる。例えば、サーバーコンピュータ４１０２は、（Ｉ）ＰＯＳ端末４１０４，４１０６，４１０８のすべてか任意のものの活動率を測定し、（ＩＩ）ＰＯＳ端末４１０４，４１０６，４１０８のすべてか任意のもので補助的プロセスを提供するかどうかを決定し、（ＩＩＩ）補助的プロセスを提供するための１個または複数個のシステムを許可または停止させ、および／または、（ＩＶ）ＰＯＳ端末４１０４，４１０６，４１０８のすべてか任意のものにオーバーライド信号を送信する。サーバーコンピュータ４１０２はまた、ＰＯＳ端末４１０４，４１０６，４１０８からデータを集めて、それによって、各ＰＯＳ端末が実行するプロセスについての情報を集めることができる。例えば、各ＰＯＳ端末は、それ自身の活動率を測定して、測定された活動率を表す信号をサーバーコンピュータ４１０２に送信することができる。次に、サーバーコンピュータ４１０２は、ＰＯＳ端末のネットワーク４１００について全体的な活動率を決定することができる。
測定された活動率は、例えば、使用中のＰＯＳ端末の数（取引を処理中の）か使用中のＰＯＳ端末の割合でよい。活動率に基づいて、サーバーコンピュータ４１０２は、各ＰＯＳ端末で補助的プロセスを実行することを許可するかどうかを決定するであろう。または、サーバーコンピュータ４１０２は、ＰＯＳ端末のうちのどれを使ってその補助的プロセスを実行するかを決定してもよい。
図５６は、ＰＯＳ端末のネットワークについてオファー・スケジュールを示す表４１２０を示す。表４１２０の各行は１つのエントリーを表しており、各エントリーは１つの活動率に対してオファーするアップセルを定義している。表４１２０で用いる活動率は、複数の端末のうちでどれが使用中であるかに基づいている。各エントリーは、そのエントリーを一意的に同定する活動率識別子４１２２と、率または率の範囲を記述する活動率４１２４と、その活動率でオファーするアップセル４１２６とを含む。例えば、すべてのＰＯＳ端末のうちで５０％より少ないものが使用中である場合に対応するエントリー４１２８は、３つの製品をオファーすべきであり、顧客が１つを選ぶべきことを表示する。エントリー４１３０，４１３２，４１３４も同様に、異なる活動率でオファーすべきアップセルを記述している。上述したように、次々にオファーされるようなマルチアップセルのようなより時間の掛かるアップセルは、より低い活動率の期間にオファーされるであろう。
【００７４】
本発明は、買物がＰＯＳ端末で処理される前に顧客がアップセルを選択することを可能とする。従って、顧客は、拒否されるかもしれない、ＰＯＳ端末でシステムが選んだアップセルをオファーされる必要がない。本発明は、このように、ＰＯＳ端末での時間を節約する。選ばれたアップセルはまた、その購入価格が丸められるべき額を表示するので、さらに時間の節約になる。
会社が古い年を経た在庫を有していれば、釣り銭の代わりにその在庫を選べるようにすることは有利であろう。顧客は、在庫を一掃するように働き、従って、さもなければ在庫を処分するために必要であるコストが節約できる。
図５７を参照すると、アイビーエムによって製造されたＩＢＭ“４６８３”またはＩＢＭ“４６９３”でよいＰＯＳ端末５０１０は、１個または複数個の従来のマイクロプロセッサのようなプロセッサ５０１２を含む。プロセッサ５０１２は、磁気的，光学的および／または半導体メモリの適当な組合せのようなデータ記憶装置５０１４と通信する。プロセッサ５０１２および記憶装置５０１４はそれぞれ、（Ｉ）単一のコンピュータまたはその他の計算装置の内部に完全に含まれているか、（ＩＩ）シリアルポートケーブル，電話線または無線周波数トランシーバーのような遠隔通信媒体によって互いに接続されているか、（ＩＩＩ）それらの組合せになっているであろう。例えば、ＰＯＳ端末５０１０は、データベースを維持するための遠隔サーバーコンピュータに接続された１台または複数台のコンピュータを含むことができる。
【００７５】
入力装置５０１６は、好ましくは、買物を表示する信号のような入力信号をプロセッサ５０１２に送信するためのキーパッドを含む。入力装置５０１６はまた、バーコードを読み取ってそれらバーコードを表す信号をプロセッサ５０１２に送信するための光学的バーコードスキャナーを含んでもよい。プリンタ５０１８は、紙またはその他の材料上に標印を登録し、それによって、プロセッサ５０１２に命令されるままにレシート，クーポンおよび引換券を印刷するためのものである。表示装置５０２０は、好ましくは、顧客および／またはレジ係に少なくともアルファベット数字文字を表示するためのビデオモニターである。多くのタイプの入力装置，プリンタおよび表示装置は、当業者には既知であり、ここで詳細に説明する必要はない。入力装置５０１６，プリンタ５０１８および表示装置５０２０はそれぞれ、プロセッサ５０１２と通信する。
記憶装置５０１４は、プロセッサ５０１２を制御するためのプログラム５０２２を記憶する。プロセッサ５０１２は、プログラム５０２２の命令を実行して、それによって、本発明に従って、特に、ここに詳細に説明する方法に従って、動作する。プログラム５０２２はさらに、入力装置５０１６，プリンタ５０１８および表示装置５０２０のようなコンピュータ周辺装置とのインタフェースをプロセッサ５０１２が取ることを可能とするために必要かもしれない「デバイスドライバ」やオペレーティングシステムのようなプログラム要素を含む。適当なデバイスドライバおよびその他の必要なプログラム要素は、当業者に既知であり、ここで詳細に説明する必要はない。
記憶装置５０１４はまた、（Ｉ）在庫データベース５０２４と、（ＩＩ）丸めコード・データベース５０２６と、（ＩＩＩ）取引データベース５０２８とを記憶する。データベース５０２４，５０２６，５０２８は、以下で詳細に説明され、添付図面に例示エントリーを添えて図示される。当業者には理解されるであろうように、ここに提供されるデータベースの模式図およびそれに付随する説明は情報の記憶表現の配置例である。示された表の他に、多数のその他の配置が採用されるであろう。同様に、図示されたエントリーは情報例の表現であり、当業者はエントリーの数および内容がここに示したものと異なることができることを理解するであろう。
【００７６】
図５８は、ＰＯＳ端末５０１０の別の実施例を示しており、そこでは、制御装置５０２９は、アップセルのオファーを提供するためのシステム５０３２と通信媒体５０３０を介して通信する。制御装置５０２９は、入力装置５０１６および表示装置５０２０と通信するプロセッサ５０３４を含む。オファーを提供するためのシステム５０３２は、記憶装置５０１４およびプリンタ５０１８と通信するプロセッサ５０３６を含む。この実施例で、制御装置５０２９はキャッシュ・レジスタでよく、また、システム５０３２はキャッシュ・レジスタから受信されるデータに従ってクーポンを印刷するための電子装置でよい。ＰＯＳ端末５０１０のその他の構成は、当業者には理解されるであろう。
図５９を参照すると、ネットワーク５０４０は、ＰＯＳ端末５０４４，５０４６，５０４８と通信するサーバー５０４２を含む。サーバー５０４２は、ＰＯＳ端末５０４４，５０４６，５０４８からのデータ記憶およびそれらへのデータ送信の動作を命令する。サーバー５０４２は、上述したように、それ自身がＰＯＳ端末であってもよく、１台または複数台のＰＯＳ端末と通信できる別の計算装置でもよい。図５９には３台のＰＯＳ端末が示されているが、本発明の精神および範囲から外れることなく、任意の数のＰＯＳ端末がサーバー５０４２と通信できるであろう。ＰＯＳ端末５０４４，５０４６，５０４８の各々は、同じ店舗内に、１つのチェーン店の異なる店舗内に、または、その他の場所に、位置することができるであろう。サーバー５０４２は、次に述べるプロセスの多くを、特に１個より多いＰＯＳ端末で実行されるプロセスを実行することができる。サーバー５０４２はさらに、ＰＯＳ端末５０４４，５０４６，５０４８によって共有されるべき在庫データベース５０２４（図５７）のようなデータを記憶することができる。
図６０を参照すると、在庫データベース５０２４は、それぞれが在庫データベース５０２４の１つのエントリーを表す行５０３２，５０３３，５０３４，５０３５，５０３６，５０３７，５０３８を含む。各エントリーは、売ることのできる在庫の品目を定義する。詳細には、各エントリーは、（Ｉ）そのエントリーを一意的に同定する品目識別子５０４０と、（ＩＩ）在庫の品目を説明する記述５０４２と、（ＩＩＩ）品目の価格５０４４と、（ＩＶ）その品目が消費税（または、その他の税）の課税対象であるかどうかを表示する課税状態５０４６とを含む。在庫データベース５０２４は、当該分野では既知のように、購入価格を決定するためにアクセスされる。例えば、買物の各品目は、ＰＯＳ端末によって読み出されるバーコードを含んでいるであろう。そのバーコード識別子に対応する各品目の価格は、それに従って在庫データベース５０２４から決定される。品目価格の和とそれに課税される任意の適当な税とで購入価格が決まる。
【００７７】
図６１を参照すると、丸めコード・データベース５０２６は、それぞれが丸めコード・データベース５０２６の１つのエントリーを表す行５０５０，５０５２，５０５４を含む。各エントリーは丸めコードを定義する。特に、各エントリーは、（Ｉ）そのエントリーを一意的に同定する丸めコード識別子５０５６と、（ＩＩ）購入価格をそれへ丸めるべき額を表示する丸め倍数５０５８と、（ＩＩＩ）アップセルがその釣り銭額の代わりに購入されなければ、対応するアップセルのために支払う固定価格を表示する固定価値５０６０とを含む。例えば、エントリー５０５０に対応する、“５６７”で識別される丸めコードは、＄１の丸め倍数を有する。このように、買物が丸めコード“５６７”を有するアップセルを含んでいれば、対応する購入価格は次に高いドル額（すなわち、＄７．３８から＄８．００へ）に丸められるであろう。各アップセルの丸め倍数をそのアップセルの固定価格に等しく設定することは、顧客にとって有利であり、また、簡単である。
アップセルは、顧客がアクセス可能であり、顧客が彼らの買物の品目を選ぶようにアップセルを選択することを許容する。各アップセルは丸めコードを有しており、それは、そのアップセルに取り付けられた接着性のラベル上に印刷されたバーコードから決定可能である。例えば、書店にはＰＯＳ端末に近くに位置する１組の箱があるであろう。各箱には数冊の本が入っており、それぞれにバーコードが付いている。顧客は、１つの箱から１冊の本を選び、それを彼の購入したい品目と一緒にＰＯＳ端末に持っていく。ＰＯＳ端末の光学的バーコードスキャナーが、その本のバーコードを読み取り、また、購入する品目のバーコードを読み取る。
バーコードの代わりに、各アップセルが、対応する丸めコードの別の表示を含むこともできる。例えば、第１の箱の中の各々の本には緑の接着性ラベルが取り付けられており、第２の箱の各々の本には青の接着性ラベルが取り付けられているかもしれない。そのような実施例では、緑の接着性ラベルが第１の丸めコードを表し、また、青の接着性ラベルが第２の丸めコードを意味することになるであろう。次に、レジ係またはその他のＰＯＳ端末オペレータは、ボタンを押すかその他の方法で、ＰＯＳ端末がその丸めコードを表すデータを受信するようにする。
同じ丸めコードを有するアップセルを一緒にグループ化することは有利である。例えば、第１の箱は、それぞれが第１の丸めコードを有する複数の本を含む。第２の箱は、それぞれが第２の丸めコードを有する複数の本を含む。第１の箱のどれかの本がアップセルとして選ばれれば、購入価格は第１の倍率に丸められるであろう（例えば、最も近い＄５）。同様に、第２の箱から選ばれた任意の本は、購入価格を第２の倍数（例えば、最も近い＄１０）に丸められるようにする。
【００７８】
図６２を参照すると、在庫データベース５０２４および丸めコード・データベース５０２６は、１つの買物の複数の品目と１つのアップセルのために支払うべき金額を決定するために使用される。表５０８０，５０８２はそれぞれ、取引識別子“１２３４５６７８”によって同定される取引に対応するデータを表す。従って、表５０８０，５０８２は、取引データベース５０２８（図５７）に記憶されたデータを表す。典型的には、取引データベース２８は、複数のそのような取引を表すデータを含むであろう。
表５０８０は、その取引に含まれる１個または複数個の品目を表し、また、表５０８２は、その取引に含まれる１個または複数個のアップセルを表す。表５０８０は、それぞれが購入する品目のタイプを定義するエントリー５０８４，５０８６を含む。各エントリーは、（Ｉ）図６０の品目識別子５０４０に対応する品目識別子５０８８と、（ＩＩ）その品目の数量５０９０と、（ＩＩＩ）図６０の価格５０４４に対応する、その品目の各ユニットの価格５０９２と、（ＩＶ）その品目の各ユニットの税込み価格５０９４とを含む。その品目の税込み価格は、対応する価格５０９２と、図６０の課税状態５０４６（これは、その品目が消費税またはその他の税の課税対象であるかどうかを表示する）と、税率５０９６とから決定されるであろう。当業者は容易に理解するように、税率５０９６は、例えば、データベースとして、または、プログラム５０２４の変数として、記憶装置５０１４（図５７）に記憶されるであろう。各品目の税込み価格が加算されて、税込み価格の小計５０９８が得られる。税込み価格の小計５０９８は、その取引にアップセルが含まれなければ課されるであろう価格である。
【００７９】
表５０８２は、その取引に含まれるアップセルを定義するエントリー５１００を含む。エントリー５１００は、（Ｉ）図６１の丸めコード識別子５０５６に対応する丸めコード識別子５１０２と、（ＩＩ）図６１の丸め倍数に対応する丸め倍数５１０４と、（ＩＩＩ）図６１の固定価値５０６０に対応する固定価値５１０６とを含む。エントリー５１００の丸め倍数は、値＄５を有し、税込み価格の小計５０９８が次に高い倍数＄５に丸められるべきであることを示す。従って、値＄２６．２０を有する税込みの小計５０９８は、次に高い倍数＄５へ丸められて、値＄３０を有する丸め価格５１０８を得る。
図６３は、取引に関するさらに別の情報を表す表５１２０を示す。このような情報は、本発明の特定の実施例では、取引データベース５０２８（図５７）に記憶されるであろう。表５１２０は、それぞれが取引に関するさらなる情報を定義するエントリー５１２２，５１２４を含む。各エントリーは、（Ｉ）その取引を一意的に同定する取引識別子５１２６と、（ＩＩ）その取引が発生した日付５１２８と、（ＩＩＩ）その取引が発生した時刻と、（ＩＶ）その取引が発生したＰＯＳ端末を示すＰＯＳ端末識別子５１３２と、（Ｖ）その取引から得られる収入５１３４とを含む。表５１２０で表される情報は、例えば、時間とともに発生する収入のパターンを決定するために使用されるであろう。
図６４は、上述したデータベースを使用して、アップセルと１個または複数個の品目とを含む買物に対する丸められた価格を決定する方法５１５０を示す。ＰＯＳ端末は買物の各品目についてのコードを受信する（ステップ５１５２）。例えば、バーコードスキャナーが、各品目上に刻印されたバーコードを読み出して、そのバーコードを表示する信号を発生する。ＰＯＳ端末はまた、アップセルのための丸めコードを受信する（ステップ５１５４）。当業者は理解するように、丸めコードは、品目コード受信の前、その時および後に受信されることが理解されるであろう。すべてのコードが受信された後、ＰＯＳ端末は品目コードから購入価格を決定する（ステップ５１５６）。図６２に関連して上で説明したように、購入価格は、各品目の税込み価格を加算することで決定される。ＰＯＳ端末は、丸めコード・データベース５０２６（図５７）にアクセスすることによって、丸めコードから丸め倍数を決定する（ステップ５１５８）。丸め倍数に基づいて、ＰＯＳ端末は、購入価格を丸めて、丸められた価格を得る（ステップ５１６０）。丸められた価格は、それら品目およびアップセルと交換に支払うべき価格である。
上述した実施例では、１つの買物に１つのアップセルが含まれていた。しかし、１つの買物に複数のアップセルを含めることもできるであろう。そのような実施例では、１つのアップセルを釣り銭と交換して売り、残りのアップセルを固定価格で売ることができる。図６１に関して説明したように、各丸めコードは固定価格と丸め倍数との両方を有する。このように、各々のアップセルに対して固定価格が決定されるであろう。
【００８０】
図６５は、丸めコード付きの複数のアップセルを含む買物に対する丸められた価格を決定するための方法５１８０を示す。ＰＯＳ端末は、買物中の各品目に対するコードを受信し（ステップ５１８２）、複数のアップセルの各々に対する丸めコードも受信する（ステップ５１８４）。上述したように、購入価格は品目コードから決定される（ステップ５１８６）。
丸めコードの１つが選ばれて（ステップ５１８８）、それの丸め倍数が決定される（ステップ５１９０）。この選択は、選ばれた丸めコードと選ばれなかった丸めコードの組とを決定する。選ばれなかった丸めコードの組は、１つの丸めコードを含むかもしれないし（２つの丸めコードがあれば）、２つ以上の丸めコードを含むかもしれない。どの丸めコードを選ぶかの選択は、異なる基準に基づいているであろう。一実施例では、ＰＯＳ端末は、最も小さい（最小の）丸め倍数を有する丸めコードを選ぶ。すなわち、ＰＯＳ端末は、各々の選ばれなかった丸めコードのどの丸め倍数よりも大きくない丸め倍数を選ぶ。例えば、丸め倍数＄５，＄５および＄１０という対応の丸め倍数を有する３つの丸めコードがあれば、はじめの２つの丸めコード（＄５の丸め倍数を有するもの）が選ばれるであろう。
一旦、丸めコードが選ばれると、残りの（選ばれなかった）丸めコードの各々の固定価格が決定される（ステップ５１９２）。上述したように、固定価格は丸めコード・データベース５０２６（図５７および図６１）から決定できる。これらの固定価格は、ステップ５１８６において決定された購入価格に加えられ、それによって、増額された価格が生成される（ステップ５１９４）。この増額された価格は、ステップ５１９０で決定された丸め倍数に基づいて丸められて、丸められた価格が生成される（ステップ５１９６）。この丸められた価格が、買物に含まれる複数の品目およびアップセルと交換される。当業者は、ステップ５１９６がステップ５１９４の後ではなくて前に実行してもよいことを理解するであろう。
【００８１】
図６６を参照すると、表５２１０および表５２１２はそれぞれ、取引識別子“１２３４５６７１”によって同定される取引に対応するデータを表す。従って、表５２１０および表５２１２は、取引データベース５０２８（図５７）に記憶されるデータを表す。図６２の表５０８０と類似の表５２１０は、取引に含まれる１個または複数個の品目を表しており、また、図６２の表５０８２と類似の表５２１２は、取引に含まれるアップセルを表している。表５２１０は、それぞれが購入する品目のタイプを定義するエントリー５２１４，５２１６を含む。税込みの小計５２１８および税率５２２０は、図６２に関して上で説明したのと同じように機能する。
表５２１２は、それぞれが取引中に含まれるアップセルを定義するエントリー５２２２，５２２４，５２２６を含む。表５０８２（図６２）と同じように、表５２１２の各エントリーは、（Ｉ）図６１の丸めコード識別子５０５６に対応する丸めコード識別子５２２８と、（ＩＩ）図６１の丸め倍数５０５８に対応する丸め倍数５２３０と、（ＩＩＩ）図６１の固定価値５０６０に対応する固定価値５２３２とを含む。上述したように、丸め倍数を定義するために１つのアップセルが選ばれて、残りのアップセルは税込みの小計に加えられる固定価格を有する。上述した実施例に従って、図６６によって説明した例の中で、最小の丸め倍数を有するアップセルが選ばれる。そのようなアップセルは、それぞれ＄１の丸め倍数を有するエントリー５２２４，５２２６によって定義されるどちらかのアップセルでよい。従って、残る２つのアップセルは固定価格＄１および固定価格＄１０を有する。
表５２３４はアップセルの固定価格の利用を表す。残りの（選ばれなかった）アップセルの固定価格の和である付加的アップセル固定価格５２３６は、＄１１である。このように、付加的アップセル５２３８との小計価格は＄２６．２０と＄１１との和で、それは＄３７．２０である。この小計価格は、選ばれたアップセルの丸め倍数（＄１）に従って丸められて、＄３８．００という丸められた価格５２４０を発生する。
本発明の別の実施例では、各アップセルは、対応する「最小価格」を有することができて、それは税込み小計価格と丸め価格との最小の差である。例えば、税込み小計価格が＄４．９８で、対応する丸め倍数が＄５．００であれば、丸められた価格は、通常は、＄５．００となるであろう（＄０．０２だけ追加）。しかし、そのアップセルに対する最小価格が＄２．００であれば、＄７．００の丸められた価格が発生する（＄４．９８＋＄２．００を最も近いドルに切り上げる）。
【００８２】
１個または複数個のＰＯＳ端末が顧客に提供されるオファーを制御するため、高いパフォーマンス・レートを有するオファーが提供されるようになる。本発明は、顧客に一群のオファーを提供し、それらのオファーのパフォーマンス・レートを評価することによって最良のオファーを決定する。これと対照的に、オファーをランダムまたは手作業で（人間が）選ぶことでは、最良のオファーを決定することができそうにない。さらに、本発明は、オファーを選択する仕事に関してマネージャまたはその他の従業員を支援する。
オファーのパフォーマンス・レートの評価を継続することによって、顧客に提供されるオファーは最高のパフォーマンスを示すものであり続ける。嘗て魅力的であったオファーのパフォーマンス・レートが低下すれば、それを他のより高いパフォーマンスを示すオファーと置き換えることができる。
本発明はさらに、顧客に対して見えるオファーをランダムなものとすることができる、というのは、ＰＯＳ端末が異なる時点で異なるオファーを提供するのが普通であるからである。これは翻って、顧客がそのオファーシステムを彼らの都合のよいように操作することを困難にすることができる。
図６７を参照すると、アイビーエムによって製造されたＩＢＭ“４６８３”またはＩＢＭ“４６９３”でよいＰＯＳ端末６０１０は、１個または複数個の従来のマイクロプロセッサのようなプロセッサ６０１２を含む。プロセッサ６０１２は、磁気的，光学的および／または半導体メモリの適当な組合せのようなデータ記憶装置６０１４と通信する。プロセッサ６０１２および記憶装置６０１４はそれぞれ、（Ｉ）単一のコンピュータまたはその他の計算装置の内部に完全に含まれているか、（ＩＩ）シリアルポートケーブル，電話線または無線周波数トランシーバーのような遠隔通信媒体によって互いに接続されているか、（ＩＩＩ）それらの組合せになっているであろう。例えば、ＰＯＳ端末６０１０は、データベースを維持するための遠隔サーバーコンピュータに接続された１台または複数台のコンピュータを含むことができる。
【００８３】
入力装置６０１６は、好ましくは、買物を表示する信号のような入力信号をプロセッサ６０１２に送信するためのキーパッドを含む。プリンタ６０１８は、紙またはその他の材料上に標印を登録し、それによって、プロセッサ６０１２に命令されるままにレシート，クーポンおよび引換券を印刷するためのものである。表示装置６０２０は、好ましくは、顧客および／またはレジ係に少なくともアルファベット数字文字を表示するためのビデオモニターである。多くのタイプの入力装置，プリンタおよび表示装置は、当業者には既知であり、ここで詳細に説明する必要はない。入力装置６０１６，プリンタ６０１８および表示装置６０２０はそれぞれ、プロセッサ６０１２と通信する。
記憶装置６０１４は、プロセッサ６０１２を制御するためのプログラム６０２２を記憶する。プロセッサ６０１２は、プログラム６０２２の命令を実行して、それによって、本発明に従って、特に、ここに詳細に説明する方法に従って、動作する。プログラム６０２２はさらに、入力装置６０１６，プリンタ６０１８，および表示装置６０２０のようなコンピュータ周辺装置とのインタフェースをプロセッサ６０１２が取ることを可能とするために必要かもしれない「デバイスドライバ」やオペレーティングシステムのようなプログラム要素を含む。適当なデバイスドライバおよびその他の必要なプログラム要素は、当業者に既知であり、ここで詳細に説明する必要はない。
記憶装置６０１４はまた、（Ｉ）在庫データベース５０２４と、（ＩＩ）取引データベース６０２６と、（ＩＩＩ）パフォーマンス・レート・データベース６０２８とを記憶する。データベース６０２４，６０２６，６０２８は、以下で詳細に説明され、添付図面に例示エントリーを添えて図示される。当業者には理解されるであろうように、ここに提供されるデータベースの模式図およびそれに付随する説明は情報の記憶表現の配置例である。示された表の他に多数のその他の配置が採用されるであろう。同様に、図示されたエントリーは情報例の表現であり、当業者は、エントリーの数および内容がここに示したものと異なることができることを理解するであろう。
【００８４】
図６８は、ＰＯＳ端末６０１０の別の実施例を示しており、そこでは、制御装置６０２８は、アップセルのオファーを提供するためのシステム６０３２と通信媒体６０３０を介して通信する。制御装置６０２８は、入力装置６０１６および表示装置６０２０と通信するプロセッサ６０３４を含む。オファーを提供するためのシステム６０３２は、プリンタ６０１８および記憶装置６０１４と通信するプロセッサ６０３６とを含む。この実施例で、制御装置６０２８はキャッシュ・レジスタでよく、また、システム６０３２は、キャッシュ・レジスタから受信されるデータに従ってクーポンを印刷するための電子装置でよい。ＰＯＳ端末６０１０のその他の構成は当業者には理解されるであろう。
図６９を参照すると、ネットワーク６０４０は、ＰＯＳ端末６０４４，６０４６，６０４８と通信するサーバー６０４２を含む。サーバー６０４２は、ＰＯＳ端末６０４４，６０４６，６０４８からのデータ記憶およびそれらへのデータ送信の動作を命令する。サーバー６０４２は、上述したように、それ自身がＰＯＳ端末であるか、１台または複数台のＰＯＳ端末と通信できる別の計算装置でもよい。図６９には３台のＰＯＳ端末が示されているが、本発明の精神および範囲から外れることなく、任意の数のＰＯＳ端末がサーバー６０４２と通信できるであろう。ＰＯＳ端末６０４４，６０４６，６０４８の各々は、同じ店舗内に、１つのチェーン店の異なる店舗内に、または、その他の場所に、位置することができるであろう。サーバー６０４２は、次に述べるプロセスの多くを特に１個より多いＰＯＳ端末で実行されるプロセスを実行することができる。サーバー６０４２はさらに、オファーのデータベース６０２４のようなデータを記憶することができる。
図７０を参照すると、表６０６０はオファーのデータベース６０２４（図６７）の一実施例を示す。表６０６０は、それぞれ顧客に対して提供されるべきオファーを記述するエントリー６０６２，６０６４，６０６６，６０６８を含む。表６０６０は任意の数のエントリーを含むことができることを当業者は理解するであろう。エントリー６０６２，６０６４，６０６６，６０６８はそれぞれ、（Ｉ）そのオファーを一意的に指示するオファー識別子６０７０と、（ＩＩ）そのオファーを説明するオファー記述６０７２と、（ＩＩＩ）提供者に対するそのオファーのコスト６０７４と、（ＩＶ）オファー頻度６０７６とを含む。オファー頻度６０７６は、オファーが提供されるときに、対応するそのオファーが提供された回数の平均割合を示す。例えば、エントリー６０６２，６０６４，６０６６，６０６８はそれぞれ、２５％のオファー頻度を有しており、従って、オファー６０６２，６０６４，６０６６，６０６８はそれぞれ、平均してほぼ４回に一度の割合で顧客に提供されるであろう。
【００８５】
図７１を参照すると、取引データベース６０２６（図６７）の記録６０９０は、ＰＯＳ端末識別子６０９２によって同定されるＰＯＳ端末において実行される取引を定義する。取引データベース６０２６（図６７）は、典型的には、記録６０９０のような複数の記録を含んでおり、その各々が異なるＰＯＳ端末で実行される取引を定義している。記録６０９０は、それぞれが１つの取引を記述するエントリー６０９４，６０９６，６０９８を含む。当業者は、記録６０９０が任意の数のエントリーを含むことができることを理解するであろう。エントリー６０９４，６０９６，６０９８はそれぞれ、（Ｉ）１つの取引を一意的に指示する取引識別子６１００と、（ＩＩ）取引の日付６１０２と、（ＩＩＩ）取引の時刻６１０４と、（ＩＶ）購入された品目，購入価格および／または顧客の同定などのその取引の詳細を記述する購入記述６１０９と、（Ｖ）その取引の間に提供されるオファーを表示するオファー識別子６１０８と、（ＶＩ）そのオファーが受け入れられたかどうかの表示と、（ＶＩＩ）そのオファーを受け入れた顧客によって生じた収入６１１２とを明記する。
図７２を参照すると、フローチャート６１２０は、１台または複数台のＰＯＳ端末で提供されるオファーを制御するための方法を示す。オファーは、オファーのデータベース６０２４（図６７）に従って顧客に提供される（ステップ６１２２）。表６０６０（図７０）に関して上述したように、各オファーは、その対応するオファーが提供されるはずの回数の平均割合を表示するオファー頻度を含む。このように、オファーのデータベース６０２４は、どのオファーを顧客に提供すべきかを示し、また、それらのオファーが提供される頻度を示す。
例えば、ＰＯＳ端末６０１０（図６７）（または、ネットワーク化された実施例では図６９のサーバー６０４２）は、オファーが提供される度に０から１の間で乱数を発生することができる。次に、その乱数および図７０に示されたオファー頻度に従って、１つのオファーが選ばれるであろう。０．００と０．２５との間の乱数はオファー“Ａ”に対応し、また、０．２６と０．５０との間の乱数はオファー“Ｂ”に対応する。オファー“Ｃ”およびオファー“Ｄ”についても同様である。
【００８６】
または、ＰＯＳ端末６０１０またはサーバー６０４２は、最初のシリーズの取引では第１のオファーを提供し、次に続くシリーズの取引で後続のオファーを提供することもできる。取引シリーズの大きさ（シリーズの中の取引件数）は、表６０６０（図７０）のオファー頻度に従って選ばれるであろう。例えば、表６０６０（図７０）によって指定されるオファーはそれぞれ、等しいオファー頻度（２５％）を有する。従って、エントリー６０６２によって定義される最初のオファー“Ａ”は、最初のシリーズの１０件の取引の間に顧客に提供され、また、エントリー６０６４，６０６６，６０６８によって定義される残りの３つのオファーはそれぞれ、１０件ずつの後続の取引シリーズ中で提供できる。４つのオファーがあり、各オファーが４０件の取引中に１０回だけ顧客に提供されるので、各オファーは２５％の頻度を有する。
別の実施例では、複数のＰＯＳ端末がそれぞれ、異なるオファーを顧客に提供してもよい。例えば、第１のＰＯＳ端末は最初のシリーズの１００件の取引の間に第１のオファーを提供でき、第２のＰＯＳ端末は１つのシリーズの１００件の取引の間に第２のオファーを提供できる。従って、第１のオファーおよび第２のオファーは両方とも、頻度５０％（１００／（１００＋１００）＝０．５０＝５０％）を有することになる。
ステップ６１２２で一旦オファーが顧客に提供されると、ＰＯＳ端末６０１０またはサーバー６０４２は、各オファーのパフォーマンス・レートを計算する（ステップ６１２４）。パフォーマンス・レートは、受入率または利益率のような任意の測定されたおよび／または計算された量でよい。多くのその他のパフォーマンス・レートが当業者には理解されるであろう。各オファーのパフォーマンス・レートは、一日の終わりのように所定の間隔で、または、所定の回数のオファーが顧客に提供された後で、計算されるであろう。
受入率は、次式に従って計算されるであろう。
受入率＝受け入れられた回数／提供された回数
提供された回数は、特定のオファーが顧客に提供された回数である。同様に、受け入れられた回数は、その提供されたオファーが顧客によって受け入れられた回数である。提供された回数および受け入れられた回数の両方は、取引データベース６０２６（図６７）に記憶されたデータから決定されるであろう。高い受入率を有することが好ましいのが普通であり、理想的には、オファーは１００％の受入率を有する。しかし、オファーの受入率は１００％よりも小さくなりがちである。
【００８７】
図７３を参照すると、表６１４０はパフォーマンス・レート・データベース６０２８（図６７）の実施例を示している。この実施例で、パフォーマンス・レート・データベース６０２６は、上述したように、受入率のデータを記憶するように構成されている。表６１４０は、それぞれが顧客に提供される１つのオファーについて記述するエントリー６１４２，６１４４，６１４６，６１４８を含む。当業者は、表６１４０が任意の数のエントリーを含むことができることを理解するであろう。エントリー６１４２，６１４４，６１４６，６１４８はそれぞれ、（Ｉ）そのオファーを一意的に指定するためのオファー識別子６１５０と、（ＩＩ）受け入れられた回数６１５２と、（ＩＩＩ）提供された回数６１５４と、（ＩＶ）そのオファーの受入率６１５６とを明記する。表６１４０は、このように、そのオファーが最も高いパフォーマンス・レートを有するかどうかを決定するために使用されるであろう。
利益率は、次式に従って計算できるオファーの１つのパフォーマンス・レートである。
利益率＝（収入−コスト）／提供された回数
収入は、そのオファーを受け入れる顧客によって得られる収入額である。コストは、そのオファーを受け入れる顧客から発生するコストである。提供された回数は、特定のオファーが顧客に提供された回数である。
【００８８】
図７４を参照すると、表６１７０はパフォーマンス・レート・データベース６０２８（図６７）の別の実施例を示している。この実施例で、パフォーマンス・レート・データベース６０２６はオファー当たりの平均利益を記憶するように構成されている。表６１７０は、それぞれが顧客に提供される１つのオファーについて記述するエントリー６１７２，６１７４，６１７６，６１７８を含む。当業者は、表６１７０が任意の数のエントリーを含むことができることを理解するであろう。エントリー６１７２，６１７４，６１７６，６１７８はそれぞれ、（Ｉ）そのオファーを一意的に指定するためのオファー識別子６１８０と、（ＩＩ）受け入れられた回数６１８２と、（ＩＩＩ）提供された回数６１８４と、（ＩＶ）受け入れられたオファー当たりに得られた平均収入６１８６と、（Ｖ）受け入れられたオファー当たりに得られた平均利益６１８８と、（ＶＩ）オファー当たりに得られた平均利益６１９０とを明記する。
当業者は、受け入れられた回数１８２と提供された回数６１８４と平均収入６１８６とが取引データベース６０２６（図６７）に記憶されたデータから決定できることを理解するであろう。例えば、図７１の記録６０９０を再び参照すると、ＰＯＳ端末＃７では、オファー識別子６１０８から分かるように、オファー“Ａ”，オファー“Ｂ”およびオファー“Ｃ”がそれぞれ一度ずつ提供されている。受け入れられたオファー６１１０フィールドに示されるように、オファー“Ｂ”およびオファー“Ｃ”はそれぞれ、一度受け入れられる。同様に、オファー“Ａ”，オファー“Ｂ”およびオファー“Ｃ”に関して得られる収入はそれぞれ、＄０．００，＄０．５０および＄０．７８である。各オファーに関する平均収入は、各オファーからの合計の収入をそれが提供された回数で割ることで得られる。
受け入れられたオファー当たりの平均利益６１８８は、平均収入６１８６からオファー当たりのコスト（図７０のコスト６０７４）を差し引くことによって決定されるであろう。最後に、上で定義した利益率であるオファー当たりの平均利益６１９０は、受け入れられたオファー当たりの平均利益６１８８にそのオファーの受入率を乗ずることで決定されるであろう。上述したように、そのオファーの受入率は、受け入れられた回数６１８２を提供された回数６１８４で除することで決定される。
【００８９】
再び図７２を参照すると、オファーのパフォーマンス・レートが計算された後で（ステップ６１２４）、ＰＯＳ端末６０１０またはサーバー６０４２は、パフォーマンス・レートに基づいて、オファーのデータベース６０２４に対する修正を決定する（ステップ６１２６）。各オファーは、そのオファーの計算されたパフォーマンス・レートに従って、異なるオファー頻度で、または、不連続でも、提供されるであろう。下記に述べるように、より高いパフォーマンス・レートを備えるオファーは、顧客に提供され続け、より高いオファー頻度で提供されるのが普通である。同様に、低いパフォーマンス・レートを備えるオファーは、より低いオファー頻度で提供されるのが普通で、全く提供されなくなることもあろう。
一実施例では、所定のしきい値よりも大きいパフォーマンス・レートを有するオファーのみが顧客に提供され続ける。１個または複数個のオファーが提供されなくなれば、各オファーの頻度は次に述べるように変更しなければならない。
図７５は、停止するオファーの選択を示す。表６２００は、パフォーマンス・レート・データベース６０２８（図６７）の実施例に記憶されるデータを示している。各オファーに対して、オファー識別子６２０２および受入率６２０４がある。１０％というしきい値６２０６は、表６２００のどのオファーを提供し続けるかを定義する。特に、エントリー６２０８，６２１０によって定義されるオファー（オファー“Ａ”およびオファー“Ｂ”）は、１０％よりも大きい受入率を有しており、従って、提供され続けるであろう。これと対照的に、エントリー６２１２，６２１４で定義されるオファー（オファー“Ｃ”およびオファー“Ｄ”）は、１０％より小さい受入率を有しており、従って、停止されるであろう。
【００９０】
表６２１６は、オファーのデータベースの実施例６０２４（図６７）に記憶されるデータを示している。図７０に関して上で説明したように、各オファーはオファー識別子６２１８およびオファー頻度６２２０を有する。オファー“Ｃ”およびオファー“Ｄ”は停止されてしまったので、それらの対応するオファー頻度は０％である。提供され続けるオファー“Ａ”およびオファー“Ｂ”のオファー頻度はそれに従って変わる。オファー頻度は、それらが互いに等しくなる（それぞれ５０％）ように変更されるであろう。または、オファー頻度は、それらの互いの関係に従って、次のように変更してもよい。
Ｆｎｅｗ＝Ｆｏｌｄ／Ｆｔｏｔａｌ
ここで、
Ｆｎｅｗは、新しいオファー頻度である。
Ｆｏｌｄは、変更前のオファー頻度である。
Ｆｔｏｔａｌは、停止されないオファーについてのＦｏｌｄの和である。
図７５で、オファー“Ａ”のオファー頻度“５８％”は、停止されないオファーのオファー頻度から計算された。
５８％＝２０．４％／（２０．４％＋１４．８％）
オファー“Ｂ”のオファー頻度“４２％”も同様に計算された。
４２％＝１４．８％／（２０．４％＋１４．８％）
当業者は、オファーのオファー頻度を変更するためにはその他の方法もあることを理解するであろう。
別の実施例では、所定の数の最も高いパフォーマンスを示すオファーが顧客に提供され続ける。残りのオファーは、あっても提供されない。図７６は、この実施例におけるオファー停止の選択を示す。表６２４０は、パフォーマンス・レート・データベースの別の実施例６０２８（図６７）に記憶されるデータを示す。各オファーに対して、オファー識別子６２４２およびオーダー当たりの平均利益６２４４がある。“３”というしきい値が、提供され続けるであろう、表６２４０中の最も高いパフォーマンスを示すオファーの数を定義する。特に、エントリー６２４８，６２５０，６２５２によって定義されるオファー（オファー“Ａ”，オファー“Ｂ”およびオファー“Ｃ”）は、オーダー当たりの平均利益に関して上位３つのオファーであり、従って、提供され続けるであろう。これと対照的に、エントリー６２５４によって定義されるオファー（オファー“Ｄ”）は停止されるであろう。
表６２５６は、オファーのデータベースの実施例６０２４（図６７）に記憶されるデータを示す。上述したように、各オファーはオファー識別子６２５８およびオファー頻度６２６０を有する。オファー“Ｄ”が停止されたので、対応するオファー頻度は０％である。オファーされ続けるオファー“Ａ”，オファー“Ｂ”およびオファー“Ｃ”のオファー頻度は、これに従って変化する。オファー頻度は、それらが互いに等しくなるように（それぞれ３３・１／３％）変更されるであろう。または、オファー頻度は、上で説明したように、それらの互いの関係に従って変更することもできる。
【００９１】
一旦オファーが停止されると、それを将来のある時点で再び利用できるようにすることが好ましい。例えば、１つのオファーが乏しいパフォーマンス・レートのために停止された後でも、顧客の味覚のような条件は変わり得る。従って、停止されたオファーをオファーのデータベース６０２４（図６７）に保存し続け、オファーが所定の期間以上を経過して停止された後で、それのパフォーマンス・レートをもう一度評価することは有利であろう。停止されたオファーは、その対応するパフォーマンス・レートが評価されるように、ランダムに選ばれたまたは所定のオファー頻度を与えられるであろう。
さらに、ある状況では、オファーが停止された後で１つのオファーのみを提供し続けることがある。このオファーのパフォーマンス・レートを評価して、過去の期間のそのオファーのパフォーマンス・レートを比較する。パフォーマンス・レートが以前の期間のそれよりも低下していれば、そのオファーは停止され、置き換えられるであろう。代替として、別の（停止されている）ランダムに選ばれたまたは所定のオファー頻度がオファーに与えられて、対応するパフォーマンス・レートを評価できるようにする。
いくつかの実施例では、特定のオファーのオファー頻度が、それらのオファーに対して計算されたパフォーマンス・レートに関わらず、変更されないことが好ましい場合もある。例えば、高い価値のオファーが非常に低いオファー頻度を有することがある。従って、そのオファーは、数少ない顧客が受け取ることのできる賞品として働くことができる。従って、釣り銭の代わりにそのような高い価値のオファーを与えることのコストが負担になることはまれであるが、会社を頻繁に訪れる顧客に提示される広告としては役立つ。
図７７を参照すると、図７０の表６０６０と類似した表６３００は、オファーのデータベース６０２４（図６７）の別の実施例を示す。表６３００は、それぞれが顧客に提供されるべきオファーを記述するエントリー６３０２，６３０４，６３０６，６３０８を含む。エントリー６３０２，６３０４，６３０６，６３０８はそれぞれ、（Ｉ）そのオファーを一意的に指示するオファー識別子６３１０と、（ＩＩ）そのオファーを説明するオファー記述６３１２と、（ＩＩＩ）提供者に対するそのオファーのコスト６３１４と、（ＩＶ）オファー頻度６３１６と、（Ｖ）固定された頻度表示６３１８とを含む。固定された頻度表示６３１８は、上述したように、対応するオファー頻度がそのオファーのパフォーマンス・レートに基づいて変更されるかどうかを表示する。例えば、エントリー６３０８は１％のオファー頻度を含む。このオファーは比較的高い価値（＄５０ギフト証明）を有するので、それは、しばしば、多分常に、受け入れられるであろう。しかし、このオファーの高い値（＄５０のギフト証明）は、より頻繁にオファーすることを不利益とする可能性がある。従って、そのオファーの頻度は１％に固定される。
【００９２】
本発明はそれの好適実施例に関して説明されたが、当業者は気づくであろうが、本発明の精神および範囲から外れることなく、ここに述べた実施例に対して各種の置換を行い得る。
【図面の簡単な説明】
【００９３】
【図１】図１は、本発明によるシステムのブロック図である。
【図２】図２は、図１のＰＯＳコントローラのブロック図である。
【図３】図３は、図１のＰＯＳ端末のブロック図である。
【図４】図４は、宝くじデータ処理システムのブロック図である。
【図５】図５は、図３のＰＯＳコントローラ内のローカルな宝くじ券データベースを示す表である。
【図６】図６は、図４の宝くじデータ処理システム内の宝くじ券データベースを示す表である。
【図７】図７は、図４の宝くじデータ処理システム内のＰＯＳコントローラ・データベースを示す表である。
【図８】図８は、ＰＯＳ端末における宝くじ取引を示すフローチャートである。
【図９】図９は、本発明の好適実施例による店舗販売レシートの一例である。
【図１０】図１０は、ＰＯＳコントローラの動作のフローチャートである。
【図１１】図１１は、宝くじデータ処理システムの動作のフローチャートである。
【図１２】図１２は、電話認証処理を示すフローチャートである。
【図１３Ａ】図１３Ａは、本発明に従って提供されるＰＯＳ端末の模式図である。
【図１３Ｂ】図１３Ｂは、図１３ＡのＰＯＳ端末の別の実施例の模式図である。
【図１４】図１４は、ＰＯＳ端末におけるアップセルを決定するための本発明の方法を示すフローチャートである。
【図１５】図１５は、図１３ＡのＰＯＳ端末の記憶エリアの例示である。
【図１６】図１６は、図１３ＡのＰＯＳ端末のアップセルデータベースの模式図である。
【図１７】図１７は、図１３ＡのＰＯＳ端末の顧客データベースの模式図である。
【図１８】図１８は、図１３ＡのＰＯＳ端末の在庫価格データベースの模式図である。
【図１９】図１９は、図１３ＡのＰＯＳ端末のオファーされる価格データベースの模式図である。
【図２０】図２０は、ＰＯＳ端末におけるアップセル用の逆オファーを評価するための本発明の方法を示すフローチャートである。
【図２１】図２１は、図１３ＡのＰＯＳ端末の識別子データベースの模式図である。
【図２２】図２２は、宝くじデータ処理システムへつながれたＰＯＳ端末の模式図である。
【図２３】図２３は、図１３ＡのＰＯＳ端末の顧客データベースの別の実施例の模式図である。
【図２４Ａ】図２４Ａは、顧客の好みを記憶するための本発明の方法を示すフローチャートである。
【図２４Ｂ】図２４Ｂは、顧客の好みを記憶するための本発明の方法を示すフローチャートである。
【図２５】図２５は、予め選ばれた顧客の好みを適用するための本発明の方法を示すフローチャートである。
【図２６】図２６は、寄付されたアップセルを受け取るための本発明の方法を示すフローチャートである。
【図２７】図２７は、ＰＯＳ端末においてアップセルを決定するための本発明の方法を示すフローチャートである。
【図２８】図２８は、本発明に従って提供されるＰＯＳ端末のネットワークの模式図である。
【図２９】図２９は、図２８のネットワークの店舗コントローラの模式図である。
【図３０】図３０は、図２８のネットワークのＰＯＳ端末の模式図である。
【図３１】図３１は、図２８のネットワークのＰＯＳ端末の代替実施例の模式図である。
【図３２】図３２は、図２９の店舗コントローラの発券データベースの模式図である。
【図３３】図３３は、図３２の発券データベースのデータ例を含む模式図である。
【図３４】図３４は、図２９の店舗コントローラの商取引データベースの模式図である。
【図３５】図３５は、図２９の店舗コントローラの分割式券データベースの記録の模式図である。
【図３６】図３６は、図３２の発券データベース用のさらに別のデータ例を含む模式図である。
【図３７】図３７は、宝くじ券の部分を割り当てるための方法を示すフローチャートである。
【図３８】図３８は、図２９の店舗コントローラの当たり宝くじ券データベースの模式図である。
【図３９】図３９は、図２９の店舗コントローラのお得意様買物客データベースの模式図である。
【図４０】図４０は、分割式宝くじ券を払い戻すための方法を示すフローチャートである。
【図４１】図４１は、本発明に従って提供されるＰＯＳ端末の模式図である。
【図４２】図４２は、図４１のＰＯＳ端末の別の実施例の模式図である。
【図４３】図４３は、図４１のＰＯＳ端末の在庫データベースの模式図である。
【図４４】図４４は、図４１のＰＯＳ端末の可能なアップセル・データベースの模式図である。
【図４５】図４５は、図４１のＰＯＳ端末のアップセルオファー・データベースの実施例の模式図である。
【図４６】図４６は、図４１のＰＯＳ端末のアップセルオファー・データベースの別の実施例の模式図である。
【図４７】図４７は、図４１のＰＯＳ端末のアップセルオファー・データベースの別の実施例の模式図である。
【図４８】図４８は、図４１のＰＯＳ端末のアップセルオファー・データベースの別の実施例の模式図である。
【図４９】図４９は、ＰＯＳ端末における補助的製品販売を提供するための方法を示すフローチャートである。
【図５０】図５０は、本発明に従って提供されるＰＯＳ端末の模式図である。
【図５１】図５１は、図５０のＰＯＳ端末の別の実施例の模式図である。
【図５２】図５２は、ＰＯＳ端末における補助的プロセスの実行を制御するための、本発明に従って提供される方法を示すフローチャートである。
【図５３】図５３は、ＰＯＳ端末における活動率に依存するオファースケジュールを示す表である。
【図５４】図５４は、図５１のＰＯＳ端末のオーバーライド決定マネージャの模式図である。
【図５５】図５５は、ＰＯＳ端末のネットワークの模式図である。
【図５６】図５６は、複数個のＰＯＳ端末活動率に依存するオファースケジュールを示す表である。
【図５７】図５７は、本発明に従って提供されるＰＯＳ端末の模式図である。
【図５８】図５８は、図５７のＰＯＳ端末の別の実施例の模式図である。
【図５９】図５９は、ＰＯＳ端末のネットワークの模式図である。
【図６０】図６０は、ＰＯＳ端末の在庫データベースの模式図である。
【図６１】図６１は、ＰＯＳ端末の丸めコード・データベースの模式図である。
【図６２】図６２は、購入品目に対して支払うべき金額およびアップセルを決定するために使用されるデータの模式図である。
【図６３】図６３は、商取引に関連する情報を表す模式図である。
【図６４】図６４は、アップセルおよび１または複数の品目を含む買物に対する丸められた価格を決定するための方法を説明するフローチャートである。
【図６５】図６５は、複数のアップセルおよび１または複数の品目を含む購入の丸められた価格を決定するための方法を説明するフローチャートである。
【図６６】図６６は、買物の品目および複数のアップセルに対して支払うべき金額を決定するために使用されるデータの模式図である。
【図６７】図６７は、本発明に従って提供されるＰＯＳ端末の模式図である。
【図６８】図６８は、図６７のＰＯＳ端末の別の実施例の模式図である。
【図６９】図６９は、ＰＯＳ端末のネットワークの模式図である。
【図７０】図７０は、オファーのデータベースの実施例を示す表である。
【図７１】図７１は、商取引データベースの記録の模式図である。
【図７２】図７２は、１または複数のＰＯＳ端末に提供される、オファーを制御するための方法を示すフローチャートである。
【図７３】図７３は、パフォーマンス・レート・データベースの実施例を示す表である。
【図７４】図７４は、パフォーマンス・レート・データベースの別の実施例を示す表である。
【図７５】図７５は、継続して提供されるオファーを決定するために用いられるデータベースの模式図である。
【図７６】図７６は、継続して提供されるオファーを決定するために用いられるデータベースの別の実施例の模式図である。
【図７７】図７７は、オファーのデータベースの別の実施例を示す表である。
【図１】
2006059345.tif 000004
【図２】
2006059345.tif 000005
【図３】
2006059345.tif 000006
【図４】
2006059345.tif 000007
【図５】
2006059345.tif 000008
【図６】
2006059345.tif 000009
【図７】
2006059345.tif 000010
【図８】
2006059345.tif 000011
【図９】
2006059345.tif 000012
【図１０】
2006059345.tif 000013
【図１１】
2006059345.tif 000014
【図１２】
2006059345.tif 000015
【図１３Ａ】
2006059345.tif 000016
【図１３Ｂ】
2006059345.tif 000017
【図１４】
2006059345.tif 000018
【図１５】
2006059345.tif 000019
【図１６】
2006059345.tif 000020
【図１７】
2006059345.tif 000021
【図１８】
2006059345.tif 000022
【図１９】
2006059345.tif 000023
【図２０】
2006059345.tif 000024
【図２１】
2006059345.tif 000025
【図２２】
2006059345.tif 000026
【図２３】
2006059345.tif 000027
【図２４Ａ】
2006059345.tif 000028
【図２４Ｂ】
2006059345.tif 000029
【図２５】
2006059345.tif 000030
【図２６】
2006059345.tif 000031
【図２７】
2006059345.tif 000032
【図２８】
2006059345.tif 000033
【図２９】
2006059345.tif 000034
【図３０】
2006059345.tif 000035
【図３１】
2006059345.tif 000036
【図３２】
2006059345.tif 000037
【図３３】
2006059345.tif 000038
【図３４】
2006059345.tif 000039
【図３５】
2006059345.tif 000040
【図３６】
2006059345.tif 000041
【図３７】
2006059345.tif 000042
【図３８】
2006059345.tif 000043
【図３９】
2006059345.tif 000044
【図４０】
2006059345.tif 000045
【図４１】
2006059345.tif 000046
【図４２】
2006059345.tif 000047
【図４３】
2006059345.tif 000048
【図４４】
2006059345.tif 000049
【図４５】
2006059345.tif 000050
【図４６】
2006059345.tif 000051
【図４７】
2006059345.tif 000052
【図４８】
2006059345.tif 000053
【図４９】
2006059345.tif 000054
【図５０】
2006059345.tif 000055
【図５１】
2006059345.tif 000056
【図５２】
2006059345.tif 000057
【図５３】
2006059345.tif 000058
【図５４】
2006059345.tif 000059
【図５５】
2006059345.tif 000060
【図５６】
2006059345.tif 000061
【図５７】
2006059345.tif 000062
【図５８】
2006059345.tif 000063
【図５９】
2006059345.tif 000064
【図６０】
2006059345.tif 000065
【図６１】
2006059345.tif 000066
【図６２】
2006059345.tif 000067
【図６３】
2006059345.tif 000068
【図６４】
2006059345.tif 000069
【図６５】
2006059345.tif 000070
【図６６】
2006059345.tif 000071
【図６７】
2006059345.tif 000072
【図６８】
2006059345.tif 000073
【図６９】
2006059345.tif 000074
【図７０】
2006059345.tif 000075
【図７１】
2006059345.tif 000076
【図７２】
2006059345.tif 000077
【図７３】
2006059345.tif 000078
【図７４】
2006059345.tif 000079
【図７５】
2006059345.tif 000080
【図７６】
2006059345.tif 000081
【図７７】
2006059345.tif 000082
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
要求された支払額を記憶する、処理システムと通信するレジスタで買物のアップセルを決定する方法であって、
前記買物の購入価格を発生するステップと、
前記要求された支払額を前記購入価格に等しく設定するステップと、
前記購入価格を前記処理システムに送信するステップと、
前記処理システムから丸められた価格が受信されれば、前記要求された支払額を前記丸められた価格に等しく設定するステップと、
を含む、方法。
【請求項２】
処理システムと通信する、買物のアップセルを決定する装置であって、
記憶装置と、
該記憶装置に接続されたプロセッサとを含み、
前記記憶装置が、
要求された支払額と、
前記プロセッサを制御するプログラムとを記憶し、
前記プロセッサが、前記プログラムにより、
前記買物の購入価格を発生し、
前記要求された支払額を前記購入価格に等しく設定し、
前記購入価格を前記処理システムに送信し、
前記処理システムから丸められた価格が受信されれば、前記要求された支払額を前記丸められた価格に等しく設定する、
装置。
【請求項３】
販売地点端末を用いて分割式宝くじ券の購入を容易にする方法であって、
金銭的な価値を決定するステップと、
１枚の券の一部を割り当てるステップであって、前記部分が前記金銭的価値に基づく、ステップと、
前記券を同定する券識別子と前記券の前記割り当てられた部分を同定する部分識別子とを出力するステップと、
前記券識別子と前記部分識別子とを記憶するステップと、
を含む、方法。
【請求項４】
前記金銭的価値を決定するステップが、買物の釣り銭の額に基づいて金銭的価値を決定するステップを含む、請求項３記載の方法。
【請求項５】
複数の券から前記券を選ぶステップをさらに含む、請求項３記載の方法。
【請求項６】
前記複数の券から前記券を選ぶステップが、前記金銭的価値と少なくとも同じ大きさの未割当部分を有する券を選ぶステップを含む、請求項５記載の方法。
【請求項７】
前記複数の券から前記券を選ぶステップが、
前記金銭的価値と少なくとも同じ大きさの未割当部分をそれぞれが有する１組の券を決定するステップと、
最小の未割当部分を有する１枚の券を前記１組の券から選ぶステップと、
を含む、請求項５記載の方法。
【請求項８】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
金銭的価値を決定し、
該金銭的価値に基づく１枚の券の一部を割り当て、
前記券を同定する券識別子と前記券の前記割り当てられた部分を同定する部分識別子とを出力し、
前記券識別子および前記部分識別子を前記記憶装置に記憶する、
装置。
【請求項９】
前記プロセッサがさらに、前記プログラムにより、買物の釣り銭の額に基づいて金銭的価値を決定する、請求項８記載の装置。
【請求項１０】
前記プロセッサがさらに、前記プログラムにより、複数の券から前記券を選ぶ、請求項８記載の装置。
【請求項１１】
前記プロセッサがさらに、前記プログラムにより、前記金銭的価値と少なくとも同じ大きさの未割当部分を有する券を選ぶ、請求項１０記載の装置。
【請求項１２】
前記プロセッサがさらに、前記プログラムにより、
前記金銭的価値と少なくとも同じ大きさの未割当部分をそれぞれが有する１組の券を決定し、
最小の未割当部分を有する１枚の券を前記１組の券から選ぶ、
請求項１０記載の装置。
【請求項１３】
販売地点端末を用いて分割式宝くじ券の購入を容易にする方法であって、
金銭的な価値を決定するステップと、
複数の券の各券の一部を割り当てるステップであって、前記各券の前記部分が前記金銭的価値の一部と関連する、ステップと、
前記複数の券を同定する複数の券識別子と前記各券の前記割り当てられた部分を同定する複数の部分識別子とを出力するステップと、
前記券識別子および前記部分識別子を記憶するステップと、
を含む、方法。
【請求項１４】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
金銭的価値を決定し、
前記金銭的価値の一部と関連する、複数の券の各券の一部を割り当て、
前記複数の券を同定する複数の券識別子と前記各券の前記割り当てられた部分を同定する複数の部分識別子とを出力し、
前記券識別子および前記部分識別子を記憶する、
装置。
【請求項１５】
販売地点端末を用いて分割式宝くじ券の購入を容易にする方法であって、
買物の釣り銭の額を決定するステップと、
該釣り銭の額に基づいて金銭的価値を決定するステップと、
該金銭的価値と少なくとも同じ大きさの未割当部分を有する１枚の券を複数の券から選ぶステップと、
前記金銭的価値に基づく、前記選ばれた券の少なくとも一部を割り当てるステップと、
前記券を同定する券識別子と前記選ばれた券の前記割り当てられた部分を同定する部分識別子とを出力するステップと、
前記券識別子および前記部分識別子を記憶するステップと、
を含む、方法。
【請求項１６】
前記金銭的価値を決定するステップが、
所定の倍数によって前記釣り銭の額を丸め、それによって、丸められた釣り銭の額を発生するステップと、
前記金銭的価値を前記丸められた釣り銭の額に等しく設定するステップと、
を含む、請求項１５記載の方法。
【請求項１７】
前記釣り銭の額を丸めるステップが、所定の倍数に従って前記釣り銭の額を切り捨て、それによって、切り捨てられた釣り銭の額を発生するステップを含む、請求項１６記載の方法。
【請求項１８】
分割式宝くじ券を釣り銭と交換するオファーを出力するステップをさらに含む、請求項１５記載の方法。
【請求項１９】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
買物の釣り銭の額を決定し、
該釣り銭の額に基づいて金銭的価値を決定し、
前記金銭的価値と少なくとも同じの大きさの未割当部分を有する１枚の券を複数の券から選び、
前記金銭的価値に基づく、前記選ばれた券の少なくとも一部を割り当て、
前記券を同定する券識別子と前記選ばれた券の前記割り当てられた部分を同定する部分識別子とを出力し、
前記券識別子および前記部分識別子を前記記憶装置に記憶する、
装置。
【請求項２０】
前記プロセッサがさらに、前記プログラムにより、
前記釣り銭の額を所定の倍数に丸め、それによって、丸められた釣り銭の額を発生し、
前記金銭的価値を前記丸められた釣り銭の額に等しく設定する、
請求項１９記載の装置。
【請求項２１】
前記プロセッサがさらに、前記プログラムにより、前記釣り銭の額を所定の倍数に従って切り捨て、それによって、切り捨てられた釣り銭の額を発生する、請求項２０記載の装置。
【請求項２２】
前記プロセッサがさらに、前記プログラムにより、分割式宝くじ券を釣り銭と交換するオファーを出力する、請求項１９記載の装置。
【請求項２３】
販売地点端末を用いて分割式宝くじ券の購入を容易にする方法であって、
券を同定する券識別子と前記券の割当部分を同定する部分識別子とを受信するステップと、
前記券の賞品価値を決定するステップと、
前記券の前記割当部分に基づいて前記賞品価値の部分を決定するステップと、
を含む、方法。
【請求項２４】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
券を識別する券識別子と券の割当部分を識別する部分識別子とを受信し、
前記券の賞品価値を決定し、
前記券の前記割当部分に基づいて前記賞品価値の部分を決定する、
装置。
【請求項２５】
販売地点端末を用いて分割式宝くじ券の購入を容易にする方法であって、
金銭的価値を決定するステップと、
該金銭的価値に基づく、１枚の券の少なくとも一部を割り当てるステップと、
前記券の賞品価値を決定するステップと、
前記券の前記割り当てられた部分に基づいて前記賞品価値の部分を提供するステップと、
を含む、方法。
【請求項２６】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
金銭的価値を決定し、
前記金銭的価値に基づく、１枚の券の少なくとも一部を割り当て、
前記券の賞品価値を決定し、
前記券の前記割り当てられた部分に基づいて前記賞品価値の部分を提供する、
装置。
【請求項２７】
販売地点端末を用いて分割式宝くじ券の購入を容易にする方法であって、
複数の券の供給を維持するステップであって、各券が未割当部分を有する、ステップと、
追加の券を取得するステップと、
を含む、方法。
【請求項２８】
前記追加の券を取得するステップが、
第１の所定のしきい値を超える未割当部分を有する券の枚数を計数するステップと、
前記第１の所定のしきい値を超える未割当部分を有する券の枚数が第２の所定のしきい値よりも少なければ、追加の券を取得するステップと、
を含む、請求項２７記載の方法。
【請求項２９】
前記追加の券を取得するステップが、
要求された部分の表示を受信するステップと、
前記要求された部分を超える未割当部分を有する券の枚数を計数するステップと、
前記要求された部分を超える未割当部分を有する券の枚数が所定のしきい値よりも少なければ、追加の券を取得するステップと、
を含む、請求項２７記載の方法。
【請求項３０】
前記追加の券を取得するステップが、所定の枚数の追加の券を取得するステップを含む、請求項２７記載の方法。
【請求項３１】
前記券の前記未割当部分の和を計算するステップをさらに含む、請求項２７記載の方法。
【請求項３２】
前記追加の券を取得するステップが、前記計算された和が所定のしきい値よりも小さければ、追加の券を取得するステップを含む、請求項３１記載の方法。
【請求項３３】
販売地点端末を用いて分割式宝くじ券の購入を容易にする装置であって、
記憶装置と、
該記憶装置に接続されたプロセッサとを含み、
前記記憶装置が、前記プロセッサを制御するプログラムを記憶し、
前記プロセッサが、前記プログラムにより、
それぞれが未割当部分を有する券の供給を維持し、
追加の券を取得する、
装置。
【請求項３４】
前記プロセッサがさらに、前記プログラムにより、
第１の所定のしきい値を超える未割当部分を有する券の枚数を計数し、
前記第１の所定のしきい値を超える未割当部分を有する券の枚数が第２の所定のしきい値よりも少なければ、追加の券を取得する、
請求項３３記載の装置。
【請求項３５】
前記プロセッサがさらに、前記プログラムにより、
要求された部分の表示を受信し、
該要求された部分を超える未割当部分を有する券の枚数を計数し、
前記要求された部分を超える未割当部分を有する券の枚数が所定のしきい値よりも少なければ、追加の券を取得する、
請求項３３記載の装置。
【請求項３６】
前記プロセッサがさらに、前記プログラムにより、所定の枚数の追加の券を取得する、請求項３３記載の装置。
【請求項３７】
前記プロセッサがさらに、前記プログラムにより、前記券の前記未割当部分の和を計算する、請求項３３記載の装置。
【請求項３８】
前記プロセッサがさらに、前記プログラムにより、前記計算された和が所定のしきい値よりも小さければ、追加の券を取得する、請求項３７記載の装置。
【請求項３９】
販売地点端末で補助的製品販売を提供する方法であって、
少なくとも１つの品目を含む買物を受け取るステップと、
前記少なくとも１つの品目に基づいてアップセルを決定するステップと、
該アップセルの表示を出力するステップと、
を含む、方法。
【請求項４０】
販売地点端末で補助的製品販売を提供する装置であって、
記憶装置と、
該記憶装置に接続されたプロセッサとを含み、
前記記憶装置が、前記プロセッサを制御するプログラムを記憶し、
前記プロセッサが、前記プログラムにより、
少なくとも１つの品目を含む買物を受け取り、
前記少なくとも１つの品目に基づいてアップセルを決定し、
該アップセルの表示を出力する、
装置。
【請求項４１】
販売地点端末で補助的製品販売を提供する方法であって、
少なくとも１つの品目を含む買物を受け取るステップと、
前記少なくとも１つの品目に基づいてアップセルを決定するステップと、
前記少なくとも１つの品目および前記アップセルに対する丸められた価格を決定するステップと、
前記少なくとも１つの品目および前記アップセルを丸められた価格と交換するオファーを提供するステップと、
を含む、方法。
【請求項４２】
前記オファーに対する応答を受信するステップと、
前記少なくとも１つの品目および前記アップセルを前記丸められた価格と交換するステップと、
をさらに含む、請求項４１記載の方法。
【請求項４３】
販売地点端末で補助的製品販売を提供する装置であって、
記憶装置と、
該記憶装置に接続されたプロセッサとを含み、
前記記憶装置が、前記プロセッサを制御するプログラムを記憶し、
前記プロセッサが、前記プログラムにより、
少なくとも１つの品目を含む買物を受け取り、
前記少なくとも１つの品目に基づいてアップセルを決定し、
前記少なくとも１つの品目および前記アップセルに対して丸められた価格を決定し、
前記少なくとも１つの品目および前記アップセルを丸められた価格と交換するオファーを提供する、
装置。
【請求項４４】
前記プロセッサがさらに、前記プログラムにより、
前記オファーに対する応答を受信し、
前記少なくとも１つの品目および前記アップセルを前記丸められた価格と交換する、
請求項４３記載の装置。
【請求項４５】
販売地点端末で補助的製品販売を提供する方法であって、
少なくとも１つの品目を含む買物を受け取るステップと、
前記少なくとも１つの品目に対応するデータベース中の１つの記録を決定するステップと、
前記記録に基づいてアップセルを決定するステップと、
該アップセルの表示を出力するステップと、
を含む、方法。
【請求項４６】
前記少なくとも１つの品目および前記アップセルに対して丸められた価格を決定するステップをさらに含む、請求項４５記載の方法。
【請求項４７】
前記丸められた価格を決定するステップが、前記記録に基づいて前記丸められた価格を決定するステップを含む、請求項４６記載の方法。
【請求項４８】
前記丸められた価格を決定するステップが、
前記買物の購入価格を決定するステップと、
前記記録に基づいて丸め倍数を決定するステップと、
該丸め倍数に従って前記購入価格を丸め、それによって、前記丸められた価格を発生するステップと、
を含む、請求項４６記載の方法。
【請求項４９】
前記丸められた価格を決定するステップが、
前記買物の購入価格を決定するステップと、
前記記録に基づいてアップセル価格を決定するステップと、
前記アップセル価格に前記購入価格を加え、それによって、前記丸められた価格を発生するステップと、
を含む、請求項４６記載の方法。
【請求項５０】
要求された支払額を前記丸められた価格に設定するステップをさらに含む、請求項４６記載の方法。
【請求項５１】
前記記録を決定するステップが、
それぞれが前記少なくとも１つの品目に対応する前記データベース中の複数の記録を決定するステップと、
それぞれが前記複数の記録の１つの記録に基づく複数のアップセルを決定するステップと、
前記複数のアップセルの少なくとも１つのアップセルの表示を出力するステップと、
を含む、請求項４５記載の方法。
【請求項５２】
販売地点端末で補助的製品販売を提供する装置であって、
記憶装置と、
該記憶装置に接続されたプロセッサとを含み、
前記記憶装置が、前記プロセッサを制御するプログラムを記憶し、
前記プロセッサが、前記プログラムにより、
少なくとも１つの品目を含む買物を受け取り、
前記少なくとも１つの品目に対応するデータベース中の１つの記録を決定し、
該記録に基づいて１つのアップセルを決定し、
該アップセルの表示を出力する、
装置。
【請求項５３】
前記プロセッサがさらに、前記プログラムにより、前記少なくとも１つの品目および前記アップセルに対して丸められた価格を決定する、請求項５２記載の装置。
【請求項５４】
前記プロセッサがさらに、前記プログラムにより、前記記録に基づいて前記丸められた価格を決定する、請求項５３記載の装置。
【請求項５５】
前記プロセッサがさらに、前記プログラムにより、
前記買物の購入価格を決定し、
前記記録に基づいて丸め倍数を決定し、
該丸め倍数に従って前記購入価格を丸め、それによって、前記丸められた価格を発生する、
請求項５３記載の装置。
【請求項５６】
前記プロセッサがさらに、前記プログラムにより、
前記買物の購入価格を決定し、
前記記録に基づいてアップセル価格を決定し、
該アップセル価格に前記購入価格を加え、それによって、前記丸められた価格を発生する、
請求項５３記載の装置。
【請求項５７】
前記プロセッサがさらに、前記プログラムにより、要求された支払額を前記丸められた価格に設定する、請求項５３記載の装置。
【請求項５８】
前記プロセッサがさらに、前記プログラムにより、
それぞれが前記少なくとも１つの品目に対応する前記データベース中の複数の記録を決定し、
それぞれが前記複数の記録の１つの記録に基づく複数のアップセルを決定し、
該複数のアップセルの少なくとも１つのアップセルの表示を出力する、
請求項５２記載の装置。
【請求項５９】
販売地点端末で補助的製品販売を処理する方法であって、
丸めコードを受信するステップと、
該丸めコードに基づいて購入価格を丸めるステップと、
を含む、方法。
【請求項６０】
販売地点端末で補助的製品販売を処理する装置であって、
記憶装置と、
該記憶装置に接続されたプロセッサとを含み、
前記記憶装置が、前記プロセッサを制御するプログラムを記憶し、
前記プロセッサが、前記プログラムにより、
丸めコードを受信し、
該丸めコードに基づいて購入価格を丸める、
装置。
【請求項６１】
販売地点端末で補助的製品販売を処理する方法であって、
対応する丸め倍数を有する丸めコードを受信するステップと、
前記丸め倍数に基づいて購入価格を丸めるステップと、
を含む、方法。
【請求項６２】
販売地点端末で補助的製品販売を処理する装置であって、
記憶装置と、
該記憶装置に接続されたプロセッサとを含み、
前記記憶装置が、前記プロセッサを制御するプログラムを記憶し、
前記プロセッサが、前記プログラムにより、
対応する丸め倍数を有する丸めコードを受信し、
該丸め倍数に基づいて購入価格を丸める、
装置。
【請求項６３】
販売地点端末で補助的製品販売を処理する方法であって、
丸めコードを受信するステップと、
該丸めコードに対応する丸め倍数を決定するステップと、
該丸め倍数に基づいて購入価格を丸めるステップと、
を含む、方法。
【請求項６４】
販売地点端末で補助的製品販売を処理する装置であって、
記憶装置と、
該記憶装置に接続されたプロセッサとを含み、
前記記憶装置が、前記プロセッサを制御するプログラムを記憶し、
前記プロセッサが、前記プログラムにより、
丸めコードを受信し、
該丸めコードに対応する丸め倍数を決定し、
該丸め倍数に基づいて購入価格を丸める、
装置。
【請求項６５】
販売地点端末で補助的製品販売を処理する方法であって、
対応する丸め倍数および固定価格をそれぞれが有する複数の丸めコードを受信するステップと、
購入価格を決定するステップと、
前記丸めコードに基づいて前記購入価格を丸めるステップと、
を含む、方法。
【請求項６６】
前記丸めるステップが、
前記購入価格に前記固定価格の少なくとも１つを加え、それによって、増額された購入価格を発生するステップと、
丸め倍数に基づいて前記増額された購入価格を丸めるステップと、
を含む、請求項６５記載の方法。
【請求項６７】
前記丸めるステップが、
丸め倍数に基づいて前記購入価格を丸め、それによって、増額された購入価格を発生するステップと、
該増額された購入価格に前記固定価格の少なくとも１つを加えるステップと、
を含む、請求項６５記載の方法。
【請求項６８】
前記丸めるステップが、丸めコードを選択し、それによって、選択された丸めコードと選択されなかった丸めコードの組とを定義するステップを含む、請求項６５記載の方法。
【請求項６９】
前記丸めるステップが、
各選択されなかった丸めコードの前記固定価格を前記購入価格に加え、それによって、増額された購入価格を発生するステップと、
前記選択された丸めコードの前記丸め倍数に基づいて前記増額された購入価格を丸めるステップと、
をさらに含む、請求項６８記載の方法。
【請求項７０】
前記丸めるステップが、
前記選択された丸めコードの前記丸め倍数に基づいて前記購入価格を丸め、それによって、増額された価格を発生するステップと、
各選択されなかった丸めコードの固定価格を前記増額された価格に加えるステップと、
をさらに含む、請求項６８記載の方法。
【請求項７１】
前記丸めコードを選択するステップが、各選択されなかった丸めコードの前記丸め倍数よりも大きくない丸め倍数を有する丸めコードを選択するステップを含む、請求項６８記載の方法。
【請求項７２】
前記丸めコードを選択するステップが、最小丸め倍数を有する丸めコードを選択するステップを含む、請求項６８記載の方法。
【請求項７３】
前記固定価格と各丸めコードの前記丸め倍数とが等しい、請求項６５記載の方法。
【請求項７４】
販売地点端末で補助的製品販売を処理する装置であって、
記憶装置と、
該記憶装置に接続されたプロセッサとを含み、
前記記憶装置が、前記プロセッサを制御するプログラムを記憶し、
前記プロセッサが、前記プログラムにより、
対応する丸め倍数および固定価格を各丸めコードが有する複数の丸めコードを受信し、
購入価格を決定し、
前記丸めコードに基づいて前記購入価格を丸める、
装置。
【請求項７５】
前記プロセッサがさらに、前記プログラムにより、
前記購入価格に前記固定価格の少なくとも１つを加え、それによって、増額された購入価格を発生し、
丸め倍数に基づいて前記増額された購入価格を丸める、
請求項７４記載の装置。
【請求項７６】
前記プロセッサがさらに、前記プログラムにより、
丸め倍数に基づいて前記購入価格を丸め、それによって、増額された購入価格を発生し、
前記固定価格の少なくとも１つを前記増額された購入価格に加える、
請求項７４記載の装置。
【請求項７７】
前記プロセッサがさらに、前記プログラムにより、丸めコードを選択し、それによって、選択された丸めコードと選択されなかった丸めコードの組とを定義する、請求項７４記載の装置。
【請求項７８】
前記プロセッサがさらに、前記プログラムにより、
各選択されなかった丸めコードの前記固定価格を前記購入価格に加え、それによって、増額された購入価格を発生し、
前記選択された丸めコードの前記丸め倍数に基づいて前記増額された購入価格を丸める、
請求項７７記載の装置。
【請求項７９】
前記プロセッサがさらに、前記プログラムにより、
前記選択された丸めコードの前記丸め倍数に基づいて前記購入価格を丸め、それによって、増額価格を発生し、
各選択されなかった丸めコードの前記固定価格を前記増額された価格に加える、
請求項７７記載の装置。
【請求項８０】
前記プロセッサがさらに、前記プログラムにより、各選択されなかった丸めコードの前記丸め倍数よりも大きくない丸め倍数を有する丸めコードを選択する、請求項７７記載の装置。
【請求項８１】
前記プロセッサがさらに、前記プログラムにより、最小の丸め倍数を有する丸めコードを選択する、請求項７７記載の装置。
【請求項８２】
前記固定価格と各丸めコードの前記丸め倍数とが等しい、請求項６４記載の装置。
【請求項８３】
販売地点端末で買物のアップセルを決定する方法であって、
前記買物に依存してアップセルを決定するステップと、
前記アップセル価格を前記アップセルと交換するようにオファーするステップと、
を含む、方法。
【請求項８４】
販売地点端末で買物のアップセルを決定する装置であって、
記憶装置と、
該記憶装置に接続されたプロセッサとを含み、
前記記憶装置が、前記プロセッサを制御するプログラムを記憶し、
前記プロセッサが、前記プログラムにより、
前記買物に依存してアップセルを決定し、
前記アップセル価格を前記アップセルと交換するようにオファーする、
装置。
【請求項８５】
販売地点端末で買物のアップセルを決定する方法であって、
前記アップセルの購入価格を発生するステップと、
該購入価格に依存してアップセル価格を決定するステップと、
前記アップセルを前記アップセル価格と交換するようにオファーするステップと、
を含む、方法。
【請求項８６】
販売地点端末で買物のアップセルを決定する装置であって、
記憶装置と、
該記憶装置に接続されたプロセッサとを含み、
前記記憶装置が、前記プロセッサを制御するプログラムを記憶し、
前記プロセッサが、前記プログラムにより、
前記アップセルの購入価格を発生し、
該購入価格に依存してアップセル価格を決定し、
前記アップセルを前記アップセル価格と交換するようにオファーする、
装置。